(57)【要約】【課題】優先度の高いパケットの伝送遅延の長さの変動を抑制することが可能な無線通信装置、無線通信システム及び無線通信方法を提供する。【解決手段】振分手段１４は、パケット受信手段１２によって受信された複数のパケットを、優先度の高い高優先パケットと、優先度の低い低優先パケットとに振り分ける。高優先パケット抽出手段１８は、振分手段１４から高優先パケットを抽出する。低優先パケット抽出手段２０は、振分手段１４から低優先パケットを抽出する。変調手段２２は、高優先パケット抽出手段１８によって抽出された高優先パケットと、低優先パケット抽出手段２０によって抽出された低優先パケットとを並行して変調する。無線送信手段２４は、変調手段２２によって変調された高優先パケット及び低優先パケットを無線送信する。【選択図】図１
2015015539.tif 000002
【特許請求の範囲】
【請求項１】
少なくとも１つのネットワーク網から複数のパケットを受信するパケット受信手段と、
前記パケット受信手段によって受信された複数のパケットを、優先度の高い高優先パケットと、優先度の低い低優先パケットとに振り分ける振分手段と、
前記振分手段によって振り分けられた前記高優先パケットを抽出する高優先パケット抽出手段と、
前記振分手段によって振り分けられた前記低優先パケットを抽出する低優先パケット抽出手段と、
前記高優先パケット抽出手段によって抽出された高優先パケットと、前記低優先パケット抽出手段によって抽出された低優先パケットとを並行して変調する変調手段と、
前記変調手段によって変調された前記高優先パケット及び前記低優先パケットを受信局に無線送信する無線送信手段と
を有する無線通信装置。
【請求項２】
前記高優先パケット抽出手段は、前記パケット受信手段によって受信される前記高優先パケットの受信量に応じて、少なくとも前記高優先パケットが滞留しない程度の抽出容量で、前記高優先パケットを抽出する
請求項１に記載の無線通信装置。
【請求項３】
前記低優先パケット抽出手段は、前記高優先パケット抽出手段の抽出容量と当該無線通信装置の伝送容量とに基づいて設定される抽出容量で、前記低優先パケットを抽出する
請求項２に記載の無線通信装置。
【請求項４】
前記変調手段は、前記高優先パケット抽出手段による抽出容量に対応するデータ量で前記高優先パケットを変調し、前記低優先パケット抽出手段による抽出容量に対応するデータ量で前記低優先パケットを変調する
請求項１から３のいずれか１項に記載の無線通信装置。
【請求項５】
前記高優先パケットは、それぞれ、複数の優先度のうちの少なくとも１つを有し、
前記振分手段は、前記高優先パケットそれぞれを、当該高優先パケットの優先度に応じてさらに振り分け、
前記高優先パケット抽出手段は、優先度に応じて振り分けられた前記高優先パケットを、優先度に応じてそれぞれ別個に抽出し、
前記変調手段は、前記高優先パケット抽出手段によって優先度に応じて別個に抽出された高優先パケットそれぞれを並行して変調する
請求項１から４のいずれか１項に記載の無線通信装置。
【請求項６】
前記高優先パケット抽出手段は、複数の優先度のうちの少なくとも最も優先度が高い前記高優先パケットが滞留しない程度の第１の抽出容量で、前記最も優先度が高い高優先パケットを抽出する
請求項５に記載の無線通信装置。
【請求項７】
前記高優先パケット抽出手段は、複数の優先度のうちの２番目に優先度が高い前記高優先パケットを第２の抽出容量で抽出し、
前記低優先パケット抽出手段は、前記第１の抽出容量と前記第２の抽出容量と当該無線通信装置の伝送容量とに基づいて設定される抽出容量で、前記低優先パケットを抽出する
請求項６に記載の無線通信装置。
【請求項８】
前記高優先パケット抽出手段は、前記パケット受信手段における高優先パケットの受信量に応じて、前記高優先パケットを抽出する抽出容量を切り替える
請求項１から７のいずれか１項に記載の無線通信装置。
【請求項９】
前記高優先パケット抽出手段が前記高優先パケットを抽出する抽出容量を切り替えることに伴って、前記低優先パケット抽出手段は、前記低優先パケットを抽出する抽出容量を切り替える
請求項８に記載の無線通信装置。
【請求項１０】
前記高優先パケット抽出手段が抽出容量を増加させるように切り替える場合に、前記低優先パケット抽出手段は、抽出容量を減少させるように切り替える
請求項９に記載の無線通信装置。
【請求項１１】
前記振分手段が前記高優先パケットと前記低優先パケットとを振り分けるときに、前記高優先パケットの受信量を計測する計測手段
をさらに有し、
前記高優先パケット抽出手段は、前記計測手段の計測結果に応じて、前記高優先パケットを抽出する抽出容量を切り替える
請求項８から１０のいずれか１項に記載の無線通信装置。
【請求項１２】
前記低優先パケット抽出手段は、前記高優先パケット抽出手段が前記高優先パケットを抽出する抽出容量を切り替えるか否かを示す容量切替通知を、前記低優先パケットに挿入する
請求項８から１１のいずれか１項に記載の無線通信装置。
【請求項１３】
前記高優先パケット抽出手段は、前記低優先パケット抽出手段が第１の容量切替通知を挿入した後、次の第２の容量切替通知を挿入したときに、前記第１の容量切替通知に応じた抽出容量の切り替えを行う
請求項１２に記載の無線通信装置。
【請求項１４】
前記パケット受信手段は、複数のネットワーク網それぞれから複数のパケットを受信し、
前記振分手段は、前記複数のネットワーク網それぞれから受信されたパケットごとに、前記高優先パケットと前記低優先パケットとに振り分け、
前記高優先パケット抽出手段は、前記複数のネットワーク網それぞれから受信された高優先パケットごとに、前記高優先パケットを別個に抽出し、
前記変調手段は、前記高優先パケット抽出手段によって前記複数のネットワーク網それぞれから受信された高優先パケットごとに別個に抽出された高優先パケットそれぞれを並行して変調する
請求項１から１３のいずれか１項に記載の無線通信装置。
【請求項１５】
前記複数のネットワーク網それぞれから受信されたパケットが前記低優先パケットに振り分けられるときに、当該低優先パケットがどのネットワーク網から受信されたかを示すネットワーク識別子を付加するネットワーク識別子付加手段
をさらに有する請求項１４に記載の無線通信装置。
【請求項１６】
前記高優先パケット抽出手段は、前記パケット受信手段が前記高優先パケットを一定期間受信しない場合に、前記低優先パケットを抽出する
請求項１から１５のいずれか１項に記載の無線通信装置。
【請求項１７】
前記パケット受信手段が前記高優先パケットを一定期間受信しない場合に、前記低優先パケットに低優先パケットである旨を示す低優先パケット識別子を付加する低優先パケット識別子付加手段
をさらに有し、
前記高優先パケット抽出手段は、前記高優先パケットと、前記低優先パケット識別子が付加された前記低優先パケットとを抽出する
請求項１６に記載の無線通信装置。
【請求項１８】
送信局から、無線回線を介して、優先度の高い高優先パケットと優先度の低い低優先パケットとを含む無線信号を受信する無線受信手段と、
前記無線信号を復調する復調手段と、
前記復調手段によって復調されて得られたデータから前記高優先パケットを抽出する高優先パケット抽出手段と、
前記復調手段によって復調されたデータから前記低優先パケットを抽出する低優先パケット抽出手段と、
少なくとも１つのネットワーク網に前記高優先パケットと前記低優先パケットとを送信するパケット送信手段と
を有する無線通信装置。
【請求項１９】
前記高優先パケット抽出手段は、前記送信局において受信される前記高優先パケットを抽出するときの容量と同じ抽出容量で、前記高優先パケットを抽出する
請求項１８に記載の無線通信装置。
【請求項２０】
前記低優先パケット抽出手段によって抽出された低優先パケットを格納する記憶手段
をさらに有し、
前記パケット送信手段は、前記高優先パケットを送信していないときに、前記記憶手段から低優先パケットを取り出して、当該低優先パケットを送信する
請求項１８又は１９に記載の無線通信装置。
【請求項２１】
前記高優先パケットは、それぞれ、複数の優先度のうちの少なくとも１つを有し、
前記高優先パケット抽出手段は、異なる優先度の前記高優先パケットをそれぞれ別個に抽出する
請求項１８から２０のいずれか１項に記載の無線通信装置。
【請求項２２】
前記高優先パケット抽出手段は、前記高優先パケットを抽出する抽出容量を切り替えるか否かを示す容量切替通知が前記送信局から受信されたことに応じて、前記高優先パケットを抽出する抽出容量を切り替える
請求項１８から２１のいずれか１項に記載の無線通信装置。
【請求項２３】
前記低優先パケット抽出手段は、前記容量切替通知が前記低優先パケットに挿入されていた場合に、当該容量切替通知を高優先パケット抽出手段に対して出力し、
前記高優先パケット抽出手段は、前記低優先パケット抽出手段から前記容量切替通知を受け付けたことに応じて、前記高優先パケットを抽出する抽出容量を切り替える
請求項２２に記載の無線通信装置。
【請求項２４】
前記高優先パケット抽出手段は、第１の容量切替通知が受信された後、次の第２の容量切替通知が受信されたときに、前記第１の容量切替通知に応じた抽出容量の切り替えを行う
請求項２２又は２３に記載の無線通信装置。
【請求項２５】
前記ネットワーク網は、複数設けられており、
前記高優先パケット抽出手段は、前記複数のネットワーク網それぞれに関する高優先パケットごとに、前記高優先パケットを別個に抽出し、
前記パケット送信手段は、前記複数のネットワーク網それぞれに、当該複数のネットワーク網それぞれに関する高優先パケットを送信する
請求項１８から２４のいずれか１項に記載の無線通信装置。
【請求項２６】
前記低優先パケット抽出手段によって抽出された前記低優先パケットから、当該低優先パケットがどのネットワーク網から前記送信局によって受信されたかを示すネットワーク識別子を削除ネットワーク識別子削除手段
をさらに有する請求項２５に記載の無線通信装置。
【請求項２７】
前記高優先パケット抽出手段が抽出したパケットが低優先パケットであるか否かを判断する低優先パケット判断手段と、
前記低優先パケット抽出手段によって抽出された低優先パケットと、前記低優先パケット判断手段によって低優先パケットであると判断されたパケットとを格納する記憶手段と
をさらに有し、
前記パケット送信手段は、前記高優先パケットを送信していないときに、前記記憶手段から低優先パケットを取り出して、当該低優先パケットを送信する
請求項１８から２６のいずれか１項に記載の無線通信装置。
【請求項２８】
前記低優先パケット判断手段は、前記高優先パケット抽出手段が抽出したパケットに、低優先パケットであるか否かを示す低優先パケット識別子が付加されているか否かによって、当該パケットが低優先パケットであるか否かを判断し、
前記低優先パケット判断手段が前記記憶手段に低優先パケット識別子が付加された低優先パケットを格納するときに、前記低優先パケット識別子を削除する低優先パケット識別子削除手段をさらに有する
請求項２７に記載の無線通信装置。
【請求項２９】
少なくとも１つのネットワーク網から複数のパケットを受信するパケット受信手段と、
前記パケット受信手段によって受信された複数のパケットを、ＰＴＰパケットと、ＰＴＰパケットではない非ＰＴＰパケットとに振り分ける振分手段と、
前記振分手段によって振り分けられた前記ＰＴＰパケットと前記非ＰＴＰパケットとを変調する変調手段と、
前記変調手段によって変調された前記ＰＴＰパケットと前記非ＰＴＰパケットとを無線送信する無線送信手段と
を有する無線通信装置。
【請求項３０】
無線回線を介してパケットを送信する送信局と、
前記送信局から無線回線を介してパケットを受信する受信局と
を有し、
前記送信局は、
少なくとも１つのネットワーク網から複数のパケットを受信するパケット受信手段と、
前記パケット受信手段によって受信された複数のパケットを、優先度の高い高優先パケットと、優先度の低い低優先パケットとに振り分ける振分手段と、
前記振分手段によって振り分けられた前記高優先パケットを抽出する第１の高優先パケット抽出手段と、
前記振分手段によって振り分けられた前記低優先パケットを抽出する第１の低優先パケット抽出手段と、
前記第１の高優先パケット抽出手段によって抽出された高優先パケットと、前記第１の低優先パケット抽出手段によって抽出された低優先パケットとを並行して変調する変調手段と、
前記変調手段によって変調された前記高優先パケット及び前記低優先パケットを前記受信局に無線送信する無線送信手段と
を有し、
前記受信局は、
前記送信局から、前記高優先パケットと前記低優先パケットとを含む無線信号を受信する無線受信手段と、
前記無線信号を復調する復調手段と、
前記復調手段によって復調されたデータから前記高優先パケットを抽出する第２の高優先パケット抽出手段と、
前記復調手段によって復調されたデータから前記低優先パケットを抽出する第２の低優先パケット抽出手段と、
少なくとも１つのネットワーク網に前記高優先パケットと前記低優先パケットとを送信するパケット送信手段と
を有する
無線通信システム。
【請求項３１】
少なくとも１つのネットワーク網から複数のパケットを受信するステップと、
前記受信された複数のパケットを、優先度の高い高優先パケットと、優先度の低い低優先パケットとに振り分けるステップと、
前記振り分けられた前記高優先パケットを抽出するステップと、
前記振り分けられた前記低優先パケットを抽出するステップと、
前記抽出された高優先パケットと、前記抽出された低優先パケットとを並行して変調するステップと、
前記変調された前記高優先パケット及び前記低優先パケットを受信局に無線送信するステップと
を含む無線通信方法。
【請求項３２】
送信局から、無線回線を介して、優先度の高い高優先パケットと優先度の低い低優先パケットとを含む無線信号を受信するステップと、
前記無線信号を復調するステップと、
前記復調されて得られたデータから前記高優先パケットを抽出するステップと、
前記復調されて得られたデータから前記低優先パケットを抽出するステップと、
少なくとも１つのネットワーク網に前記高優先パケットと前記低優先パケットとを送信するステップと
を含む無線通信方法。
【発明の詳細な説明】
【技術分野】
【０００１】
本発明は、無線通信装置、無線通信システム及び無線通信方法に関し、特に、互いに優先度の異なる複数のパケットを伝送する無線通信装置、無線通信システム及び無線通信方法に関する。
【背景技術】
【０００２】
無線通信において、ＰＴＰ（Precision Time Protocol：高精度時間プロトコル）パケット等のリアルタイム性を有するパケットを伝送することがある。この場合、このようなリアルタイム性を有するパケットを、他のパケットよりも優先的に伝送する必要がある。そのため、リアルタイム性を有するパケット等の、優先度の高いパケットの伝送遅延の長さの変動を抑制することが求められる。
【０００３】
上記技術に関連し、例えば、特許文献１には、第１伝送路からパケットを受信して、該受信されたパケットを転送する受信手段と、所定の通信サービスにより第１伝送路へ送信されたパケットが属するリアルタイムクラスと、該リアルタイムクラス以外の非リアルタイムクラスとに、転送されたパケットを類別する類別手段と、リアルタイムクラスに属するパケットが受信手段によって転送された時刻に基づく第１時刻に、リアルタイムクラスに類別されたパケットの第２伝送路への送信を開始する第１送信手段と、非リアルタイムクラスに類別されたパケットの第２伝送路への送信が終了する第２時刻をあらかじめ求め、第２時刻が第１時刻より後の場合には、非リアルタイムクラスに類別されたパケットの送信を停止する停止手段とを備えるパケット送信装置が開示されている。
【０００４】
また、特許文献２には、送信されるべきパケットを優先度に応じて３種類以上にクラス分けして格納する３つ以上のデータフレームバッファ部と、該３つ以上のデータフレームバッファ部に対応して設けられてクラス分けされたパケットに対してフラグメント処理を行なう３つ以上のデータフラグメント部と、クラス分けされた３つ以上のデータフレームバッファ部の監視を行い、各データフレームバッファ部の状態に応じて、クラス分けされた３つ以上のデータフラグメント部のそれぞれにフラグメントサイズを通知するパケット処理パラメータ部とを備えるパケット送信装置が開示されている。
【先行技術文献】
【特許文献】
【０００５】
【特許文献１】特開２０１３−４６３８９号公報
【特許文献２】特開２０１１−１７２１３５号公報
【発明の概要】
【発明が解決しようとする課題】
【０００６】
特許文献１及び特許文献２の技術においては、優先度の高いパケットの前後に優先度の低いパケットをフラグメント化してスケジューリングするように構成されている。このような構成では、何らかの原因で、優先度の高いパケットの前で優先度の低いパケットが滞留すると、優先度の高いパケットを伝送することができず、結果的に優先度の高いパケットが滞留する。そのため、優先度の高いパケットの伝送遅延の長さが変動するおそれがあった。
【０００７】
本発明の目的は、このような課題を解決するためになされたものであり、優先度の高いパケットの伝送遅延の長さの変動を抑制することが可能な無線通信装置、無線通信システム及び無線通信方法を提供することにある。
【課題を解決するための手段】
【０００８】
本発明にかかる第１の無線通信装置は、少なくとも１つのネットワーク網から複数のパケットを受信するパケット受信手段と、前記パケット受信手段によって受信された複数のパケットを、優先度の高い高優先パケットと、優先度の低い低優先パケットとに振り分ける振分手段と、前記振分手段によって振り分けられた前記高優先パケットを抽出する高優先パケット抽出手段と、前記振分手段によって振り分けられた前記低優先パケットを抽出する低優先パケット抽出手段と、前記高優先パケット抽出手段によって抽出された高優先パケットと、前記低優先パケット抽出手段によって抽出された低優先パケットとを並行して変調する変調手段と、前記変調手段によって変調された前記高優先パケット及び前記低優先パケットを受信局に無線送信する無線送信手段とを有する。
【０００９】
本発明にかかる第２の無線通信装置は、送信局から、無線回線を介して、優先度の高い高優先パケットと優先度の低い低優先パケットとを含む無線信号を受信する無線受信手段と、前記無線信号を復調する復調手段と、前記復調手段によって復調されて得られたデータから前記高優先パケットを抽出する高優先パケット抽出手段と、前記復調手段によって復調されたデータから前記低優先パケットを抽出する低優先パケット抽出手段と、少なくとも１つのネットワーク網に前記高優先パケットと前記低優先パケットとを送信するパケット送信手段とを有する。
また、本発明にかかる第３の無線通信装置は、少なくとも１つのネットワーク網から複数のパケットを受信するパケット受信手段と、前記パケット受信手段によって受信された複数のパケットを、ＰＴＰパケットと、ＰＴＰパケットではない非ＰＴＰパケットとに振り分ける振分手段と、前記振分手段によって振り分けられた前記ＰＴＰパケットと前記非ＰＴＰパケットとを変調する変調手段と、前記変調手段によって変調された前記ＰＴＰパケットと前記非ＰＴＰパケットとを無線送信する無線送信手段とを有する。
【００１０】
本発明にかかる無線通信システムは、無線回線を介してパケットを送信する送信局と、前記送信局から無線回線を介してパケットを受信する受信局とを有し、前記送信局は、少なくとも１つのネットワーク網から複数のパケットを受信するパケット受信手段と、前記パケット受信手段によって受信された複数のパケットを、優先度の高い高優先パケットと、優先度の低い低優先パケットとに振り分ける振分手段と、前記振分手段によって振り分けられた前記高優先パケットを抽出する第１の高優先パケット抽出手段と、前記振分手段によって振り分けられた前記低優先パケットを抽出する第１の低優先パケット抽出手段と、前記第１の高優先パケット抽出手段によって抽出された高優先パケットと、前記低第１の優先パケット抽出手段によって抽出された低優先パケットとを並行して変調する変調手段と、前記変調手段によって変調された前記高優先パケット及び前記低優先パケットを前記受信局に無線送信する無線送信手段とを有し、前記受信局は、前記送信局から、前記高優先パケットと前記低優先パケットとを含む無線信号を受信する無線受信手段と、前記無線信号を復調する復調手段と、前記復調手段によって復調されたデータから前記高優先パケットを抽出する第２の高優先パケット抽出手段と、前記復調手段によって復調されたデータから前記低優先パケットを抽出する第２の低優先パケット抽出手段と、少なくとも１つのネットワーク網に前記高優先パケットと前記低優先パケットとを送信するパケット送信手段とを有する。
【００１１】
本発明にかかる第１の無線通信方法は、少なくとも１つのネットワーク網から複数のパケットを受信するステップと、前記受信された複数のパケットを、優先度の高い高優先パケットと、優先度の低い低優先パケットとに振り分ける振分ステップと、前記振り分けられた前記高優先パケットを抽出するステップと、前記振り分けられた前記低優先パケットを抽出するステップと、前記抽出された高優先パケットと、前記抽出された低優先パケットとを並行して変調するステップと、前記変調された前記高優先パケット及び前記低優先パケットを受信局に無線送信するステップとを含む。
【００１２】
本発明にかかる第２の無線通信方法は、送信局から、無線回線を介して、優先度の高い高優先パケットと優先度の低い低優先パケットとを含む無線信号を受信するステップと、前記無線信号を復調するステップと、前記復調されて得られたデータから前記高優先パケットを抽出するステップと、前記復調されて得られたデータから前記低優先パケットを抽出するステップと、少なくとも１つのネットワーク網に前記高優先パケットと前記低優先パケットとを送信するステップとを含む。
【発明の効果】
【００１３】
本発明によれば、優先度の高いパケットの伝送遅延の長さの変動を抑制することが可能な無線通信装置、無線通信システム及び無線通信方法を提供できる。
【図面の簡単な説明】
【００１４】
【図１】本発明の実施の形態にかかる無線通信装置の概要を示す図である。
【図２】実施の形態１にかかる無線通信システムを示す図である。
【図３】実施の形態１にかかる送信局の構成を示す図である。
【図４】実施の形態１において、送信局の無線帯域（伝送容量）に、高優先パケット及び低優先パケットが多重化される状態を説明するための概念図である。
【図５】実施の形態１において、送信局の無線帯域（伝送容量）に、高優先パケット及び低優先パケットが多重化される状態を説明するための概念図である。
【図６】実施の形態１にかかる受信局の構成を示す図である。
【図７】実施の形態１にかかる送信局の処理を示すフローチャートである。
【図８】実施の形態１にかかる受信局の処理を示すフローチャートである。
【図９】比較例において、無線帯域（伝送容量）に、高優先パケット及び低優先パケットが多重化される状態を説明するための概念図である。
【図１０】実施の形態２にかかる送信局の構成を示す図である。
【図１１】実施の形態２において、送信局の無線帯域（伝送容量）に、優先度１パケット、優先度２パケット及び低優先パケットが多重化される状態を説明するための概念図である。
【図１２】実施の形態２にかかる受信局の構成を示す図である。
【図１３】実施の形態２にかかる送信局の処理を示すフローチャートである。
【図１４】実施の形態２にかかる受信局の処理を示すフローチャートである。
【図１５】実施の形態３にかかる送信局の構成を示す図である。
【図１６】高優先パケット受信量に応じて高優先パケット抽出容量を切り替える方法を説明するための図である。
【図１７】実施の形態３にかかる受信局の構成を示す図である。
【図１８】実施の形態３において、送信局の無線帯域（伝送容量）に、高優先パケット及び低優先パケットが多重化される状態を説明するための概念図である。
【図１９】実施の形態３にかかる送信局の処理を示すフローチャートである。
【図２０】実施の形態３にかかる受信局の処理を示すフローチャートである。
【図２１】実施の形態４にかかる送信局の構成を示す図である。
【図２２】実施の形態４において、送信局の無線帯域（伝送容量）に、高優先パケットＡ、高優先パケットＢ及び低優先パケットが多重化される状態を説明するための概念図である。
【図２３】実施の形態４にかかる受信局の構成を示す図である。
【図２４】実施の形態４にかかる送信局の処理を示すフローチャートである。
【図２５】実施の形態４にかかる受信局の処理を示すフローチャートである。
【図２６】実施の形態５にかかる送信局の構成を示す図である。
【図２７】実施の形態５において、送信局の無線帯域（伝送容量）に、高優先パケット及び低優先パケットが多重化される状態を説明するための概念図である。
【図２８】実施の形態５にかかる受信局の構成を示す図である。
【図２９】実施の形態５にかかる送信局の処理を示すフローチャートである。
【図３０】実施の形態５にかかる受信局の処理を示すフローチャートである。
【図３１】実施の形態６にかかる送信局の構成を示す図である。
【図３２】実施の形態６において、送信局の無線帯域（伝送容量）に、高優先パケットＡ、高優先パケットＢ及び低優先パケットが多重化される状態を説明するための概念図である。
【図３３】実施の形態６にかかる受信局の構成を示す図である。
【図３４】実施の形態６にかかる送信局の処理を示すフローチャートである。
【図３５】実施の形態６にかかる受信局の処理を示すフローチャートである。
【図３６】実施の形態７にかかる送信局の構成を示す図である。
【図３７】実施の形態７にかかる受信局の構成を示す図である。
【図３８】実施の形態７において、送信局の無線帯域（伝送容量）に、高優先パケット及び低優先パケットが多重化される状態を説明するための概念図である。
【図３９】実施の形態７において、送信局の無線帯域（伝送容量）に、高優先パケット及び低優先パケットが多重化される状態を説明するための概念図である。
【図４０】実施の形態７にかかる送信局の処理を示すフローチャートである。
【発明を実施するための形態】
【００１５】
［本発明にかかる実施の形態の概要］
実施の形態の説明に先立って、図１を用いて、本発明にかかる実施の形態の概要を説明する。図１は、本発明の実施の形態にかかる無線通信装置１の概要を示す図である。図１に示すように、無線通信装置１は、パケット受信手段１２と、振分手段１４と、高優先パケット抽出手段１８と、低優先パケット抽出手段２０と、変調手段２２と、無線送信手段２４とを有する。
【００１６】
パケット受信手段１２は、少なくとも１つのネットワークから複数のパケットを受信する。振分手段１４は、パケット受信手段１２によって受信された複数のパケットを、優先度の高い高優先パケットと、優先度の低い低優先パケットとに振り分ける。高優先パケット抽出手段１８は、振分手段１４から高優先パケットを抽出する。低優先パケット抽出手段２０は、振分手段１４から低優先パケットを抽出する。変調手段２２は、高優先パケット抽出手段１８によって抽出された高優先パケットと、低優先パケット抽出手段２０によって抽出された低優先パケットとを並行して変調する。無線送信手段２４は、変調手段２２によって変調された高優先パケット及び低優先パケットを無線送信する。
本発明の実施の形態にかかる無線通信装置１によれば、優先度の高いパケットの伝送遅延の長さの変動を抑制することができる。
【００１７】
［実施の形態１］
以下、図面を参照して実施の形態１について説明する。
図２は、実施の形態１にかかる無線通信システム５０を示す図である。無線通信システム５０は、無線通信装置である送信局１００と、無線通信装置である受信局２００とから構成される。送信局１００と受信局２００とは、無線回線を介して無線通信可能に接続されている。
【００１８】
また、送信局１００は、データ回線６０と接続されている。同様に、受信局２００は、データ回線７０と接続されている。データ回線６０及びデータ回線７０は、例えば通信事業者又はプロバイダ事業者等のネットワーク網と接続される回線である。送信局１００及び受信局２００は、それぞれデータ回線６０及びデータ回線７０を介して、パケット又はフレーム等のユーザデータを、ネットワーク網との間で送受信する。ここで、無線通信システム５０は、例えば、イーサネット（登録商標）に準拠していてもよい。
送信局１００及び受信局２００は、例えばディジタルマイクロ波通信装置であってもよい。また、送信局１００及び受信局２００の一方は、携帯端末又は無線ＬＡＮ（Local Area Network）装置であってもよく、他方は無線基地局又は無線ＬＡＮ基地局であってもよい。
【００１９】
送信局１００は、データ回線６０を介してネットワーク網からユーザデータを受信する。さらに、送信局１００は、受信局２００に対して、そのユーザデータを変調した無線信号を伝送する。
受信局２００は、送信局１００から無線信号を受信する。受信局２００は、その無線信号を復調して、得られたユーザデータを、データ回線７０を介してネットワーク網に対して送信する。
【００２０】
なお、以下、送信局１００及び受信局２００のそれぞれの構成要素について説明するが、送信局１００が受信局２００の構成要素を有してもよいし、受信局２００が送信局１００の構成要素を有してもよい。言い換えれば、送信局１００及び受信局２００は、それぞれ同じ構成要素を有していてもよい。このことは、他の実施の形態においても同様である。
【００２１】
また、以下、送信局１００受信局２００に対してデータが伝送されることを前提として説明するが、受信局２００から送信局１００に対して無線信号が伝送されてもよい。この場合、受信局２００が実質的に送信局として機能し、送信局１００が実質的に受信局として機能する。このことは、他の実施の形態においても同様である。
【００２２】
図３は、実施の形態１にかかる送信局１００の構成を示す図である。送信局１００は、アンテナ１０２、パケット受信部１０４、パケットヘッダ解析部１１０、高優先パケットキュー部１２０、高優先パケット抽出部１２２、低優先パケットキュー部１３０、低優先パケット抽出部１３２、ＦＥＣ符号化部１４０、シンボルマッピング部１４２、及び無線送信部１５０を有する。
【００２３】
パケット受信部１０４は、パケット受信手段１２に対応する。パケット受信部１０４は、データ回線６０を介して、ネットワーク網からパケットを受信する。さらに、パケット受信部１０４は、受信したパケットを、パケットヘッダ解析部１１０に対して出力する。
【００２４】
パケットヘッダ解析部１１０は、振分手段１４に対応する。また、振分手段１４は、後述する高優先パケットキュー部１２０及び低優先パケットキュー部１３０を含んでもよい。
パケットヘッダ解析部１１０は、パケット受信部１０４から受け付けたパケットのヘッダ（パケットヘッダ）を解析する。パケットヘッダには、そのパケットが、優先度の高いパケット（高優先パケット）であるか、又は優先度の低いパケット（低優先パケット）であるかを識別するための情報が含まれている。したがって、パケットヘッダ解析部１１０は、パケットのヘッダを解析することにより、受け付けたパケットが、高優先パケットであるか、低優先パケットであるかを判断する。
【００２５】
なお、パケットヘッダ解析部１１０が、パケットが高優先パケットか低優先パケットかを判断する方法としては、例えば以下の方法が挙げられる。例えば、パケットヘッダが優先度を示す情報を含んでもよく、パケットヘッダ解析部１１０が、その優先度を示す情報を解析してもよい。その場合、パケットヘッダ解析部１１０は、その情報が「高優先」を示す場合に、そのパケットを「高優先パケット」と判断してもよい。また、例えば、パケットヘッダ解析部１１０が、ある特定の情報がパケットヘッダに含まれていると判断した場合に、そのパケットを「高優先パケット」と判断してもよい。また、例えば、パケットヘッダ解析部１１０が、そのパケットの種類を示す情報を解析して、その種類ごとに、そのパケットを「高優先パケット」又は「低優先パケット」と判断してもよい。
【００２６】
例えば、パケットヘッダ解析部１１０は、そのパケットがＰＴＰ又はＶｏＩＰ（Voice over Internet Protocol）等のリアルタイム性が要求されるパケットであると判断された場合に、そのパケットを「高優先パケット」と判断してもよい。また、パケットヘッダ解析部１１０は、そのパケットがＴｅｌｎｅｔ（Telecommunication network）、ＦＴＰ（File Transfer Protocol）又はＨＴＴＰ（Hypertext Transfer Protocol）によるパケットであると判断された場合に、そのパケットを「低優先パケット」と判断してもよい。
【００２７】
さらに、パケットヘッダ解析部１１０は、パケットを、高優先パケットと低優先パケットとに振り分ける。また、パケットヘッダ解析部１１０は、振り分けられた高優先パケットを、高優先パケットキュー部１２０に対して出力する。同様に、パケットヘッダ解析部１１０は、振り分けられた低優先パケットを、低優先パケットキュー部１３０に対して出力する。
【００２８】
高優先パケットキュー部１２０は、パケットヘッダ解析部１１０によって振り分けられた高優先パケットを、一時的に格納する。つまり、高優先パケットキュー部１２０は、記憶手段としての機能を有する。なお、他の実施の形態も含み、以下の「パケットキュー」としての構成要素（例えば低優先パケットキュー部又は優先度１パケットキュー部等）についても、同様に、記憶手段としての機能を有する。
【００２９】
高優先パケット抽出部１２２は、高優先パケットキュー部１２０に格納された高優先パケットを、高優先パケット抽出部１２２に設定された抽出容量（高優先パケット抽出容量）Ｃｈで抽出する。さらに、高優先パケット抽出部１２２は、抽出した高優先パケットを、ＦＥＣ符号化部１４０に対して出力する。なお、高優先パケット抽出容量Ｃｈは、単位時間あたりのデータ量（単位は例えば［Ｍｂｐｓ］）であって、高優先パケットキュー部１２０において高優先パケットが滞留しないような容量である。本実施の形態１においては、高優先パケット抽出容量Ｃｈは、システムの管理者等が手動で任意に設定してもよい。
【００３０】
このとき、管理者は、送信局１００（パケット受信部１０４）がどのくらいのレートでパケットを受信しているかを計測し、その受信レートに応じて高優先パケット抽出容量Ｃｈを設定してもよい。また、このとき、管理者は、高優先パケットキュー部１２０において高優先パケットが滞留し、送信待ち状態が発生しないように、高優先パケット抽出容量Ｃｈを設定してもよい。
【００３１】
低優先パケットキュー部１３０は、パケットヘッダ解析部１１０によって振り分けられた低優先パケットを、一時的に格納する。
低優先パケット抽出部１３２は、低優先パケットキュー部１３０に格納された低優先パケットを、低優先パケット抽出部１３２に設定された抽出容量（低優先パケット抽出容量）Ｃｌで抽出する。さらに、低優先パケット抽出部１３２は、抽出した低優先パケットを、ＦＥＣ符号化部１４０に対して出力する。なお、低優先パケット抽出容量Ｃｌは、単位時間あたりのデータ量（単位は例えば［Ｍｂｐｓ］）であって、送信局１００に設定された伝送容量（無線帯域）Ｃと、高優先パケット抽出容量Ｃｈとから定まる抽出容量であってもよい。例えば、Ｃｌ＝Ｃ−Ｃｈであってもよいし、Ｃｌ＝Ｃ−Ｃｈ−α（αは０以上の定数）であってもよい。
【００３２】
ここで、高優先パケットキュー部１２０及び高優先パケット抽出部１２２と、低優先パケットキュー部１３０及び低優先パケット抽出部１３２とは、互いに独立して処理を行う。つまり、高優先パケット抽出部１２２の処理が終わった後で低優先パケット抽出部１３２が処理を開始するのではなく、高優先パケット抽出部１２２の処理及び低優先パケット抽出部１３２の処理は、並行して行われる。
【００３３】
ＦＥＣ符号化部１４０は、高優先パケット及び低優先パケットのそれぞれに対して、ＦＥＣ（Forward Error Correction：前方誤り訂正）符号化処理を行う。つまり、ＦＥＣ符号化部１４０は、高優先パケット及び低優先パケットのそれぞれに対して、別個に、前方誤り訂正処理を行って、冗長性を付与する。なお、ＦＥＣ符号化処理は、例えば、ブロック符号又は畳み込み符号を用いてもよい。さらに、ＦＥＣ符号化部１４０は、ＦＥＣ符号化処理を施された高優先パケット及び低優先パケットを、シンボルマッピング部１４２に対して出力する。
【００３４】
シンボルマッピング部１４２は、変調手段２２に対応する。シンボルマッピング部１４２は、高優先パケット抽出容量Ｃｈに対応するレートで高優先パケットを受け付ける。同様に、シンボルマッピング部１４２は、低優先パケット抽出容量Ｃｌに対応するレートで低優先パケットを受け付ける。
【００３５】
ここで、上述したように、高優先パケット抽出部１２２の処理及び低優先パケット抽出部１３２の処理は、互いに独立して、並行して行われる。したがって、シンボルマッピング部１４２は、高優先パケットと低優先パケットとを、それぞれ上述したレートで、並行して受け付ける。そして、シンボルマッピング部１４２は、高優先パケットと低優先パケットとを並行して変調し、変調信号を生成する。そして、シンボルマッピング部１４２は、高優先パケットと低優先パケットとが変調されて得られた変調信号を、無線送信部１５０に対して出力する。
【００３６】
具体的には、シンボルマッピング部１４２は、１つのシンボルについて、高優先パケット抽出容量Ｃｈ及び低優先パケット抽出容量Ｃｌに応じて、高優先パケットに対応するデータと低優先パケットに対応するデータとを、組み合わせてマッピングする。つまり、シンボルマッピング部１４２は、高優先パケット抽出容量Ｃｈ及び低優先パケット抽出容量Ｃｌの大小に応じて、１シンボルにマッピングするデータ量を設定してもよい。
【００３７】
例えば、変調方式が１６ＱＡＭ（Quadrature Amplitude Modulation）である場合を想定する。１６ＱＡＭでは１シンボルあたりのビット数は４ビットである。
また、高優先パケット抽出容量Ｃｈを２０Ｍｂｐｓ、低優先パケット抽出容量Ｃｌを２０Ｍｂｐｓであるとする。このとき、Ｃｈ：Ｃｌ＝２０：２０＝１：１である。したがって、シンボルマッピング部１４２は、１シンボルあたりのビット数（４ビット）のうち、前の２ビットに対して、高優先パケットに対応するデータをマッピングし、後の２ビットに対して、低優先パケットに対応するデータをマッピングする。これによって、高優先パケットについて、伝送容量Ｃｈ（２０Ｍｂｐｓ）が確保される。同様に、低優先パケットについて、伝送容量Ｃｌ（２０Ｍｂｐｓ）が確保される。
【００３８】
また、例えば、高優先パケット抽出容量Ｃｈを３０Ｍｂｐｓ、低優先パケット抽出容量Ｃｌを１０Ｍｂｐｓであるとする。このとき、Ｃｈ：Ｃｌ＝３０：１０＝３：１である。したがって、シンボルマッピング部１４２は、１シンボルあたりのビット数（４ビット）のうち、前の３ビットに対して、高優先パケットに対応するデータをマッピングし、後の１ビットに対して、低優先パケットに対応するデータをマッピングする。これによって、高優先パケットについて、伝送容量Ｃｈ（３０Ｍｂｐｓ）が確保される。同様に、低優先パケットについて、伝送容量Ｃｌ（１０Ｍｂｐｓ）が確保される。
【００３９】
無線送信部１５０は、無線送信手段２４に対応する。無線送信部１５０は、シンボルマッピング部１４２からの変調信号に対して、増幅等の無線送信に必要な処理を施して、無線信号を生成する。さらに、無線送信部１５０は、アンテナ１０２及び無線回線を介して、無線信号を、受信局２００に対して無線送信する。
【００４０】
つまり、本実施の形態においては、高優先パケットについての処理と、低優先パケットについての処理とが、互いに独立して、別個に行われる。言い換えれば、高優先パケットについての処理が終了した後で低優先パケットについての処理が開始され、低優先パケットについての処理が終了した後で高優先パケットについての処理が開始されるのではなく、低優先パケットについての処理がなされている間に、高優先パケットについての処理も並行して行われ得る。
【００４１】
図４及び図５は、実施の形態１において、送信局１００の無線帯域（伝送容量）に、高優先パケット及び低優先パケットが多重化される状態を説明するための概念図である。図４では、高優先パケット抽出容量Ｃｈと低優先パケット抽出容量Ｃｌとが同じであるように設定されている。一方、図５では、高優先パケット抽出容量Ｃｈの方が低優先パケット抽出容量Ｃｌよりも大きいように設定されている。なお、以下、高優先パケット＃１〜＃３及び低優先パケット＃１〜＃５のサイズをＰｋ［Ｍｂｉｔ］とするが、各パケットのサイズは一定でなくてもよい。
【００４２】
図４に示された状態を説明する。なお、以下、便宜上、高優先パケットについての処理と低優先パケットについての処理とを分けて説明するが、両方の処理は、同時並行して実行され得る。
時刻ｔ１１において、高優先パケットキュー部１２０は、高優先パケット＃１の格納を開始する。そして、高優先パケット＃１の格納が開始されると、高優先パケット抽出部１２２によって高優先パケット＃１が高優先パケット抽出容量Ｃｈで抽出される。そして、ＦＥＣ符号化部１４０の処理を経て、上述したようにシンボルマッピング部１４２によって伝送容量Ｃｈが確保されるように高優先パケット＃１が変調される。そして、時刻ｔ１１＋Ｔｄにおいて、無線送信部１５０は、無線帯域を使用して、伝送容量Ｃｈで、高優先パケット＃１の送信を開始する。ここで、Ｔｄは、伝送遅延時間であって、送信局１００がパケットを受信してから無線回線に送信するまでの時間であってもよい。さらに、Ｔ＝Ｐｋ／Ｃｈとすると、時刻ｔ１１＋Ｔｄ＋Ｔにおいて、無線送信部１５０は、高優先パケット＃１の送信を終了する。
【００４３】
一方、時刻ｔ２１において、低優先パケットキュー部１３０は、低優先パケット＃１の格納を開始する。ここで、時刻ｔ２１は時刻ｔ１１と同時であってもよい。そして、低優先パケット＃１の格納が開始されると、低優先パケット抽出部１３２によって低優先パケット＃１が低優先パケット抽出容量Ｃｌで抽出される。そして、ＦＥＣ符号化部１４０の処理を経て、上述したようにシンボルマッピング部１４２によって伝送容量Ｃｌが確保されるように低優先パケット＃１が変調される。そして、時刻ｔ２１＋Ｔｄにおいて、無線送信部１５０は、無線帯域を使用して、伝送容量Ｃｌで、低優先パケット＃１の送信を開始する。さらに、時刻ｔ２１＋Ｔｄ＋Ｔにおいて、無線送信部１５０は、低優先パケット＃１の送信を終了する。
【００４４】
さらに、時刻ｔ２２において、低優先パケットキュー部１３０は、低優先パケット＃２の格納を開始する。ここで、低優先パケット＃２の格納が開始されたとき、先行する低優先パケット＃１の抽出が終了していないので、低優先パケット抽出部１３２は、低優先パケット＃２を抽出することができない。したがって、低優先パケット＃２の処理は送信待ち状態となる。つまり、低優先パケット＃２は、時刻ｔ２２＋Ｔｄから、先行する低優先パケット＃１の処理が終了する時刻ｔ２１＋Ｔｄ＋Ｔまで滞留する。
【００４５】
そして、低優先パケットキュー部１３０から低優先パケット＃１の抽出が終わった後、低優先パケット抽出部１３２によって低優先パケット＃２が低優先パケット抽出容量Ｃｌで抽出される。そして、ＦＥＣ符号化部１４０の処理を経て、上述したようにシンボルマッピング部１４２によって伝送容量Ｃｌが確保されるように低優先パケット＃２が変調される。そして、時刻ｔ２１＋Ｔｄ＋Ｔにおいて、無線送信部１５０は、無線帯域を使用して、伝送容量Ｃｌで、低優先パケット＃２の送信を開始する。さらに、時刻ｔ２１＋Ｔｄ＋２Ｔにおいて、無線送信部１５０は、低優先パケット＃２の送信を終了する。
【００４６】
さらに、時刻ｔ２３において、低優先パケットキュー部１３０は、低優先パケット＃３の格納を開始する。ここで、低優先パケット＃３の格納が開始されたとき、先行する低優先パケット＃２の抽出が終了していないので、低優先パケット抽出部１３２は、低優先パケット＃３を抽出することができない。したがって、低優先パケット＃３の処理は送信待ち状態となる。つまり、低優先パケット＃３は、時刻ｔ２３＋Ｔｄから、先行する低優先パケット＃２の処理が終了する時刻ｔ２１＋Ｔｄ＋２Ｔまで滞留する。
【００４７】
そして、低優先パケットキュー部１３０から低優先パケット＃２の抽出が終わった後、低優先パケット抽出部１３２によって低優先パケット＃３が低優先パケット抽出容量Ｃｌで抽出される。そして、ＦＥＣ符号化部１４０の処理を経て、上述したようにシンボルマッピング部１４２によって伝送容量Ｃｌが確保されるように低優先パケット＃３が変調される。そして、時刻ｔ２１＋Ｔｄ＋２Ｔにおいて、無線送信部１５０は、無線帯域を使用して、伝送容量Ｃｌで、低優先パケット＃３の送信を開始する。さらに、時刻ｔ２１＋Ｔｄ＋３Ｔにおいて、無線送信部１５０は、低優先パケット＃２の送信を終了する。
【００４８】
一方、時刻ｔ１２において、高優先パケットキュー部１２０は、高優先パケット＃２の格納を開始する。ここで、上述したように、高優先パケット抽出部１２２に設定された高優先パケット抽出容量Ｃｈは、高優先パケットキュー部１２０において高優先パケットが滞留しないような容量である。したがって、高優先パケット＃２の格納が開始されるときに、高優先パケット＃１の抽出は終了しているので、高優先パケット＃２の抽出が可能である。さらに、高優先パケットについての処理と低優先パケットについての処理とが互いに独立して別個に行われる。したがって、高優先パケット＃２の格納が開始されると、高優先パケット抽出部１２２は、低優先パケットについての処理に関わらず、高優先パケット＃２を高優先パケット抽出容量Ｃｈで抽出する。
【００４９】
そして、高優先パケット抽出部１２２によって高優先パケット＃２が抽出されると、ＦＥＣ符号化部１４０の処理を経て、上述したようにシンボルマッピング部１４２によって伝送容量Ｃｈが確保されるように高優先パケット＃２が変調される。そして、時刻ｔ１２＋Ｔｄにおいて、無線送信部１５０は、無線帯域を使用して、伝送容量Ｃｈで、高優先パケット＃２の送信を開始する。
【００５０】
このとき、高優先パケットが滞留しないように高優先パケット抽出容量Ｃｈが設定されることによって、時刻ｔ１２＋Ｔｄは、時刻ｔ１１＋Ｔｄ＋Ｔよりも後になる。つまり、高優先パケット＃１及び高優先パケット＃２は、ともに、一定の伝送遅延時間Ｔｄで伝送されることとなる。
さらに、時刻ｔ１２＋Ｔｄ＋Ｔにおいて、無線送信部１５０は、高優先パケット＃２の送信を終了する。
【００５１】
同様に、時刻ｔ１３において、高優先パケットキュー部１２０は、高優先パケット＃３の格納を開始する。そして、同様に、高優先パケット＃３の格納が開始されると、低優先パケットに対する処理に関わらず、高優先パケット抽出部１２２によって高優先パケット＃３が高優先パケット抽出容量Ｃｈで抽出される。そして、ＦＥＣ符号化部１４０の処理を経て、上述したようにシンボルマッピング部１４２によって伝送容量Ｃｈが確保されるように高優先パケット＃３が変調される。そして、時刻ｔ１３＋Ｔｄにおいて、無線送信部１５０は、無線帯域を使用して、伝送容量Ｃｈで、高優先パケット＃３の送信を開始する。このとき、同様に、時刻ｔ１３＋Ｔｄは、時刻ｔ１２＋Ｔｄ＋Ｔよりも後になる。つまり、高優先パケット＃１、高優先パケット＃２及び高優先パケット＃３は、一定の伝送遅延時間Ｔｄで伝送されることとなる。
さらに、時刻ｔ１３＋Ｔｄ＋Ｔにおいて、無線送信部１５０は、高優先パケット＃３の送信を終了する。
【００５２】
また、図５に示すように、高優先パケットの受信量（受信レート）が増大した場合には、高優先パケット抽出容量Ｃｈを大きくすることができる。
この場合、図４の場合と同様に、時刻ｔ１１において、高優先パケットキュー部１２０は、高優先パケット＃１の格納を開始する。そして、高優先パケット＃１の格納が開始されると、高優先パケット抽出部１２２によって高優先パケット＃１が高優先パケット抽出容量Ｃｈで抽出される。そして、ＦＥＣ符号化部１４０の処理を経て、上述したようにシンボルマッピング部１４２によって伝送容量Ｃｈが確保されるように高優先パケット＃１が変調される。そして、時刻ｔ１１＋Ｔｄにおいて、無線送信部１５０は、無線帯域を使用して、伝送容量Ｃｈで、高優先パケット＃１の送信を開始する。さらに、時刻ｔ１１＋Ｔｄ＋Ｔ（Ｔ＝Ｐｋ／Ｃｈ）において、無線送信部１５０は、高優先パケット＃１の送信を終了する。
【００５３】
一方、時刻ｔ２１において、低優先パケットキュー部１３０は、低優先パケット＃１の格納を開始する。そして、低優先パケット＃１の格納が開始されると、低優先パケット抽出部１３２によって低優先パケット＃１が低優先パケット抽出容量Ｃｌで抽出される。そして、ＦＥＣ符号化部１４０の処理を経て、上述したようにシンボルマッピング部１４２によって伝送容量Ｃｌが確保されるように低優先パケット＃１が変調される。そして、時刻ｔ２１＋Ｔｄにおいて、無線送信部１５０は、無線帯域を使用して、伝送容量Ｃｌで、低優先パケット＃１の送信を開始する。さらに、時刻ｔ２１＋Ｔｄ＋Ｐｋ／Ｃｌにおいて、無線送信部１５０は、低優先パケット＃１の送信を終了する。ここで、Ｃｈ＞Ｃｌなので、Ｔ＜Ｐｋ／Ｃｌとなる。
【００５４】
一方、時刻ｔ１２において、高優先パケットキュー部１２０は、高優先パケット＃２の格納を開始する。ここで、上述したように、高優先パケットの受信量の増大に伴い、高優先パケット抽出容量Ｃｈを大きくしてある。つまり。高優先パケット抽出部１２２に設定された高優先パケット抽出容量Ｃｈは、高優先パケットキュー部１２０において高優先パケットが滞留しないような容量に設定してある。
【００５５】
したがって、高優先パケット＃２の格納が開始されるときに、高優先パケット＃１の抽出は終了しているので、高優先パケット＃２の抽出が可能である。さらに、高優先パケットについての処理と低優先パケットの処理が互いに独立して別個に行われる。したがって、高優先パケット＃２の格納が開始されると、高優先パケット抽出部１２２は、低優先パケットに対する処理に関わらず、高優先パケット＃２を高優先パケット抽出容量Ｃｈで抽出する。
【００５６】
そして、高優先パケット抽出部１２２によって高優先パケット＃２が抽出されると、ＦＥＣ符号化部１４０の処理を経て、上述したようにシンボルマッピング部１４２によって伝送容量Ｃｈが確保されるように高優先パケット＃２が変調される。そして、時刻ｔ１２＋Ｔｄにおいて、無線送信部１５０は、無線帯域を使用して、伝送容量Ｃｈで、高優先パケット＃２の送信を開始する。
【００５７】
このとき、高優先パケットが滞留しないように高優先パケット抽出容量Ｃｈが設定されることによって、時刻ｔ１２＋Ｔｄは、時刻ｔ１１＋Ｔｄ＋Ｔよりも後になる。つまり、高優先パケット＃１及び高優先パケット＃２は、ともに、一定の伝送遅延時間Ｔｄで伝送されることとなる。
さらに、時刻ｔ１２＋Ｔｄ＋Ｔにおいて、無線送信部１５０は、高優先パケット＃２の送信を終了する。
【００５８】
高優先パケット＃３についても同様に、時刻ｔ１３において、高優先パケットキュー部１２０は、高優先パケット＃３の格納を開始する。そして、高優先パケット抽出部１２２によって高優先パケット＃３が高優先パケット抽出容量Ｃｈで抽出される。そして、時刻ｔ１３＋Ｔｄにおいて、無線送信部１５０は、無線帯域を使用して、伝送容量Ｃｈで、高優先パケット＃３の送信を開始する。このとき、同様に、時刻ｔ１３＋Ｔｄは、時刻ｔ１２＋Ｔｄ＋Ｔよりも後になる。つまり、高優先パケット＃１、高優先パケット＃２及び高優先パケット＃３は、一定の伝送遅延時間Ｔｄで伝送されることとなる。
さらに、時刻ｔ１３＋Ｔｄ＋Ｔにおいて、無線送信部１５０は、高優先パケット＃３の送信を終了する。
【００５９】
このように、実施の形態１においては、高優先パケットと低優先パケットとを別個に抽出して、高優先パケットと低優先パケットとにそれぞれ設定された容量（レート）で高優先パケット及び低優先パケットを多重化する。言い換えれば、実施の形態１においては、無線帯域（伝送容量Ｃ）のうち、高優先パケットについては伝送容量Ｃｈを用いて送信され、低優先パケットについては伝送容量Ｃｌを用いて送信される。つまり、高優先パケット及び低優先パケットそれぞれについて、専用の帯域が設けられている。
【００６０】
これにより、低優先パケットの処理状態に関わらず、高優先パケットの滞留を抑制することができる。したがって、高優先パケットの伝送遅延の長さの変動を抑制することができる。さらに、高優先パケットの受信量が増大した場合には、高優先パケット抽出容量Ｃｈを大きくすることによって、高優先パケットの滞留を抑制することができ、したがって、高優先パケットの伝送遅延の長さの変動を抑制することができる。
【００６１】
図６は、実施の形態１にかかる受信局２００の構成を示す図である。受信局２００は、アンテナ２０２、無線受信部２０４、シンボルデマッピング部２０６、ＦＥＣ復号化部２０８、高優先パケット抽出部２２０、低優先パケット抽出部２３０、低優先パケットキュー部２３２及びパケット送信部２４０を有する。
無線受信部２０４は、無線回線及びアンテナ２０２を介して、送信局１００から無線信号を受信する。そして、無線信号に対して増幅等の必要な処理を施して、シンボルデマッピング部２０６に対して出力する。
【００６２】
シンボルデマッピング部２０６は、無線信号に対して復調処理を行う。具体的には、シンボルデマッピング部２０６は、無線信号に含まれる受信シンボル（位相・振幅情報）から送信データを復元する。さらに、シンボルデマッピング部２０６は、復元された送信データを、ＦＥＣ復号化部２０８に対して出力する。
ＦＥＣ復号化部２０８は、送信データに対してＦＥＣ復号化処理を行う。例えば、ＦＥＣ復号化部２０８は、ビタビアルゴリズムを使って、送信データを復号してもよい。
【００６３】
高優先パケット抽出部２２０は、送信局１００の高優先パケット抽出部１２２に設定された高優先パケット抽出容量Ｃｈで、ＦＥＣ復号化部２０８から高優先パケットを抽出する。さらに、高優先パケット抽出部２２０は、抽出された高優先パケットを、パケット送信部２４０に対して出力する。
【００６４】
上述したように、送信局１００のシンボルマッピング部１４２によって、高優先パケットは、１つのシンボルにおける前のビットにマッピングされている。したがって、高優先パケット抽出部２２０は、ＦＥＣ復号化部２０８によって復号された送信データのうち、シンボルマッピング部１４２においてマッピングされたシンボルの前のビットに相当するデータを抽出する。これによって、高優先パケット抽出部２２０は、高優先パケット抽出容量Ｃｈで、高優先パケットを抽出する。
【００６５】
低優先パケット抽出部２３０は、送信局１００の低優先パケット抽出部１３２に設定された低優先パケット抽出容量Ｃｌで、ＦＥＣ復号化部２０８から低優先パケットを抽出する。さらに、低優先パケット抽出部２３０は、抽出された低優先パケットを、低優先パケットキュー部２３２に対して出力する。
【００６６】
上述したように、送信局１００のシンボルマッピング部１４２によって、低優先パケットは、１つのシンボルにおける後のビットにマッピングされている。したがって、低優先パケット抽出部２３０は、ＦＥＣ復号化部２０８によって復号された送信データのうち、シンボルマッピング部１４２においてマッピングされたシンボルの後のビットに相当するデータを抽出する。これによって、低優先パケット抽出部２３０は、低優先パケット抽出容量Ｃｌで、低優先パケットを抽出する。
【００６７】
具体例を挙げて説明する。例えば、変調方式が１６ＱＡＭであって、高優先パケット抽出容量Ｃｈが２０Ｍｂｐｓ、低優先パケット抽出容量Ｃｌが２０Ｍｂｐｓである場合を仮定する。このとき、上述したように、送信局１００のシンボルマッピング部１４２は、１シンボルあたりのビット数（４ビット）のうち、前の２ビットに対して、高優先パケットに対応するデータをマッピングし、後の２ビットに対して、低優先パケットに対応するデータをマッピングしている。したがって、高優先パケット抽出部２２０は、１つのシンボルのうち前の２ビットに相当するデータを、高優先パケット抽出容量Ｃｈ（２０Ｍｂｐｓ）で抽出する。また、低優先パケット抽出部２３０は、１つのシンボルのうち後の２ビットに相当するデータを、低優先パケット抽出容量Ｃｌ（２０Ｍｂｐｓ）で抽出する。
【００６８】
また、例えば、高優先パケット抽出容量Ｃｈを３０Ｍｂｐｓ、低優先パケット抽出容量Ｃｌを１０Ｍｂｐｓであるとする。このとき、上述したように、シンボルマッピング部１４２は、１シンボルあたりのビット数（４ビット）のうち、前の３ビットに対して、高優先パケットに対応するデータをマッピングし、後の１ビットに対して、低優先パケットに対応するデータをマッピングしている。したがって、高優先パケット抽出部２２０は、１つのシンボルのうち前の３ビットに相当するデータを、高優先パケット抽出容量Ｃｈ（３０Ｍｂｐｓ）で抽出する。また、低優先パケット抽出部２３０は、１つのシンボルのうち後の１ビットに相当するデータを、低優先パケット抽出容量Ｃｌ（１０Ｍｂｐｓ）で抽出する。
【００６９】
低優先パケットキュー部２３２は、低優先パケット抽出部２３０から低優先パケットを受け付ける。また、低優先パケットキュー部２３２は、低優先パケットを、一時的に格納する。そして、低優先パケットキュー部２３２は、パケット送信部２４０が高優先パケットを送信していない状態のときに、パケット送信部２４０に対して低優先パケットを出力する。
【００７０】
パケット送信部２４０は、高優先パケット抽出部２２０から高優先パケットを受け付ける。そして、パケット送信部２４０は、高優先パケットを、データ回線７０を介して、ネットワーク網に対して送信する。このとき、パケット送信部２４０は、高優先パケットを優先的に送信する。つまり、パケット送信部２４０は、低優先パケットよりも優先的に高優先パケットを送信し、高優先パケットを送信し終わったときに、低優先パケットキュー部２３２から低優先パケットを取り出す。そして、パケット送信部２４０は、低優先パケットを、データ回線７０を介して、ネットワーク網に対して送信する。
【００７１】
次に、実施の形態１にかかる送信局１００及び受信局２００の処理フローについて説明する。
図７は、実施の形態１にかかる送信局１００の処理を示すフローチャートである。まず、送信局１００は、ネットワーク網からパケットを受信する（Ｓ１０２）。具体的には、上述したように、送信局１００のパケット受信部１０４は、データ回線６０を介して、ネットワーク網からパケットを受信する。
【００７２】
次に、送信局１００は、受信されたパケットを、高優先パケットと低優先パケットとに振り分ける（Ｓ１０４）。具体的には、送信局１００のパケットヘッダ解析部１１０は、パケットのヘッダを解析し、受け付けたパケットが、高優先パケットであるか、低優先パケットであるかを判断する。そして、パケットヘッダ解析部１１０は、その判断結果に応じて、パケットを、高優先パケットと低優先パケットとに振り分ける。
【００７３】
次に、送信局１００は、高優先パケットを高優先パケットキュー部１２０に格納し、低優先パケットを低優先パケットキュー部１３０に格納する（Ｓ１０６）。具体的には、高優先パケットキュー部１２０は、パケットヘッダ解析部１１０によって振り分けられた高優先パケットを、一時的に格納する。また、低優先パケットキュー部１３０は、パケットヘッダ解析部１１０によって振り分けられた低優先パケットを、一時的に格納する。
【００７４】
次に、送信局１００は、高優先パケットを高優先パケット抽出容量Ｃｈで高優先パケットキュー部１２０から抽出し、低優先パケットを低優先パケット抽出容量Ｃｌで低優先パケットキュー部１３０から抽出する（Ｓ１０８）。具体的には、送信局１００の高優先パケット抽出部１２２は、高優先パケットキュー部１２０に格納された高優先パケットを、高優先パケット抽出部１２２に設定された高優先パケット抽出容量Ｃｈで抽出する。また、送信局１００の低優先パケット抽出部１３２は、低優先パケットキュー部１３０に格納された低優先パケットを、低優先パケット抽出部１３２に設定された低優先パケット抽出容量Ｃｌで抽出する。ここで、高優先パケット抽出部１２２による高優先パケットの抽出処理と、低優先パケット抽出部１３２による低優先パケットの抽出処理とは、並行して行われ得る。つまり、両方の抽出処理が、同時になされていてもよい。
【００７５】
次に、送信局１００は、高優先パケットと低優先パケットとを並行して変調する（Ｓ１１０）。具体的には、送信局１００のシンボルマッピング部１４２は、高優先パケットと低優先パケットとを並行して変調する。このとき、シンボルマッピング部１４２は、高優先パケット抽出容量Ｃｈ及び低優先パケット抽出容量Ｃｌの大きさに応じて、１シンボルにマッピングするデータ量を設定する。つまり、Ｃｈ＞Ｃｌであれば、１シンボルにマッピングするデータ量は、高優先パケットの方が低優先パケットよりも大きい。一方、Ｃｈ＜Ｃｌであれば、１シンボルにマッピングするデータ量は、低優先パケットの方が高優先パケットよりも大きい。
【００７６】
次に、送信局１００は、高優先パケット及び低優先パケットを受信局２００に対して送信する（Ｓ１１２）。具体的には、送信局１００の無線送信部１５０は、シンボルマッピング部１４２からの変調信号に対して、増幅等の無線送信に必要な処理を施す。そして、無線送信部１５０は、高優先パケット及び低優先パケットに対応するデータを含む無線信号を、受信局２００に対して無線送信する。
【００７７】
図８は、実施の形態１にかかる受信局２００の処理を示すフローチャートである。まず、受信局２００は、高優先パケット及び低優先パケットを送信局１００から受信する（Ｓ２０２）。具体的には、受信局２００の無線受信部２０４は、アンテナ２０２を介して、送信局１００から、高優先パケット及び低優先パケットに対応するデータを含む無線信号を受信する。
【００７８】
次に、受信局２００は、高優先パケットと低優先パケットとを復調する（Ｓ２０４）。具体的には、受信局２００のシンボルデマッピング部２０６は、無線信号に含まれる受信シンボル（位相・振幅情報）から送信データを復元する。
【００７９】
次に、受信局２００は、高優先パケットを高優先パケット抽出容量Ｃｈで抽出し、低優先パケットを低優先パケット抽出容量Ｃｌで抽出する（Ｓ２０６）。具体的には、受信局２００の高優先パケット抽出部２２０は、高優先パケット抽出容量Ｃｈで、高優先パケットを抽出する。また、受信局２００の低優先パケット抽出部２３０は、低優先パケット抽出容量Ｃｌで、低優先パケットを抽出する。ここで、高優先パケット抽出部２２０による高優先パケットの抽出処理と、低優先パケット抽出部２３０による低優先パケットの抽出処理とは、並行して行われる。つまり、両方の抽出処理が、同時になされていてもよい。
【００８０】
次に、受信局２００は、パケットをネットワーク網に対して送信する（Ｓ２０８）。具体的には、受信局２００のパケット送信部２４０は、高優先パケット及び低優先パケットを含むパケットを、データ回線７０を介して、ネットワーク網に対して送信する。
【００８１】
［比較例］
次に、比較例について説明する。図９は、比較例において、無線帯域（伝送容量）に、高優先パケット及び低優先パケットが多重化される状態を説明するための概念図である。ここで、比較例においては、高優先パケットと低優先パケットとを多重化する際に、スケジューリングによって、高優先パケット及び低優先パケットを多重化している。つまり、高優先パケットの後に低優先パケットが多重化され、低優先パケットの後に高優先パケットが多重化され得る。
【００８２】
この場合、まず、高優先パケットキューから高優先パケット＃１が抽出されて無線帯域に多重化される。つまり、抽出された高優先パケット＃１は、変調後、送信局の無線帯域全てを使用して、受信局に対して無線送信される。次に、低優先パケットキューから低優先パケット＃１が抽出されて、高優先パケット＃１の次に、無線帯域に多重化される。次に、高優先パケットキューに高優先パケット＃２が格納されるが、その時点で低優先パケット＃１についての処理が終了していない。したがって、高優先パケット＃２が、滞留時間Ｔｓ１の間滞留する。つまり、高優先パケット＃２の送信待ち状態が発生する。
【００８３】
低優先パケット＃１の処理が終了すると、高優先パケットキューから高優先パケット＃２が抽出されて、低優先パケット＃１の次に、無線帯域に多重化される。さらにその後、低優先パケットキューから低優先パケット＃２が抽出されて、高優先パケット＃２の次に、無線帯域に多重化される。次に、高優先パケットキューに高優先パケット＃３が格納されるが、その時点で低優先パケット＃２についての処理が終了していない。したがって、高優先パケット＃３が、滞留時間Ｔｓ２の間滞留する。つまり、高優先パケット＃３の送信待ち状態が発生する。
【００８４】
このように、高優先パケット＃２について滞留時間Ｔｓ１が発生し、高優先パケット＃３について滞留時間Ｔｓ２が発生する。ここで、滞留時間は、低優先パケットの処理に依存して変動するので、高優先パケットの伝送遅延の長さに変動が生じる。
【００８５】
一方で、低優先パケットを分割してフラグメント化する方法もある。しかしながら、フラグメント化したとしても、スケジューリングによって高優先パケットの間に低優先パケットのフラグメントを多重化する方法では、高優先パケットの多重化するタイミングは、低優先パケットのフラグメントの処理に依存することには変わりない。つまり、何らかの原因によって低優先パケットのフラグメントの処理が終了しなければ、次の高優先パケットの処理を開始できない。この場合、その高優先パケットが滞留し、伝送遅延の長さに変動が生じる。
【００８６】
一方、後述する他の実施の形態も含め、本実施の形態においては、高優先パケットの処理と低優先パケットの処理とを別個に独立して行うように構成されている。したがって、低優先パケットの処理状態に関わらず、高優先パケットの滞留を抑制することができる。したがって、高優先パケットの伝送遅延の長さの変動を抑制することができる。
【００８７】
［実施の形態２］
次に、実施の形態２について説明する。実施の形態２においては、高優先パケットの種類が、優先度ごとに複数設けられている点で、他の実施の形態と異なる。なお、実施の形態２においては、図２の送信局１００が送信局３００に置き換えられ、受信局２００が受信局４００に置き換えられている。つまり、実施の形態２においては、送信局３００と受信局４００とが、無線回線を介して無線通信可能に接続されており、送信局３００から受信局４００に対して、パケット等のユーザデータが伝送される。
【００８８】
なお、実施の形態１と実質的に同様の構成部分については同じ符号を付し、説明を省略する（以下の他の実施の形態においても同様）。
また、以下に説明する実施の形態２においては、高優先パケットの優先度を優先度１と優先度２の２種類としているが、これに限定されず、優先度は３種類以上（優先度１、優先度２、優先度３、優先度４等）であってもよい。
【００８９】
図１０は、実施の形態２にかかる送信局３００の構成を示す図である。送信局１００は、アンテナ１０２、パケット受信部１０４、パケットヘッダ解析部３１０、優先度１パケットキュー部３２０−１、優先度２パケットキュー部３２０−２、優先度１パケット抽出部３２２−１、優先度２パケット抽出部３２２−２、低優先パケットキュー部１３０、低優先パケット抽出部１３２、ＦＥＣ符号化部１４０、シンボルマッピング部３４２、及び無線送信部１５０を有する。
【００９０】
パケットヘッダ解析部３１０は、パケット受信部１０４から受け付けたパケットのヘッダ（パケットヘッダ）を解析する。そして、パケットヘッダ解析部３１０は、パケットのヘッダを解析することにより、受け付けたパケットが、高優先パケットであるか、低優先パケットであるかを判断する。さらに、高優先パケットについては、その高優先パケットの優先度を判断する。
【００９１】
例えば、パケットヘッダが優先度を示す情報を含んでもよく、パケットヘッダ解析部３１０は、その優先度を示す情報に応じて、パケットの優先度を判断してもよい。例えば、パケットヘッダに「優先度１」を示す情報が含まれているとき、パケットヘッダ解析部３１０は、そのパケットを「優先度１の高優先パケット（優先度１パケット）」と判断してもよい。また、パケットヘッダに「優先度２」を示す情報が含まれているとき、パケットヘッダ解析部３１０は、そのパケットを「優先度２の高優先パケット（優先度２パケット）」と判断してもよい。また、パケットヘッダに「優先度３」を示す情報が含まれているとき、パケットヘッダ解析部３１０は、そのパケットを「低優先パケット」と判断してもよい。
【００９２】
また、例えば、パケットヘッダ解析部３１０は、パケットの種類に応じて、パケットの優先度を判断してもよい。例えば、パケットヘッダ解析部３１０は、受信されたパケットがＰＴＰによるパケットであると判断された場合に、そのパケットを「優先度１パケット」と判断してもよい。また、受信されたパケットがＶｏＩＰによるパケットであると判断された場合に、そのパケットを「優先度２パケット」と判断してもよい。また、受信されたパケットがそれ以外のパケットであると判断された場合に、そのパケットを「低優先パケット」と判断してもよい。
【００９３】
さらに、パケットヘッダ解析部３１０は、パケットを、優先度１パケットと優先度２パケットと低優先パケットとに振り分ける。また、パケットヘッダ解析部３１０は、振り分けられた優先度１パケットを、優先度１パケットキュー部３２０−１に対して出力する。また、パケットヘッダ解析部３１０は、振り分けられた優先度２パケットを、優先度２パケットキュー部３２０−２に対して出力する。同様に、パケットヘッダ解析部３１０は、振り分けられた低優先パケットを、低優先パケットキュー部１３０に対して出力する。
【００９４】
優先度１パケットキュー部３２０−１は、パケットヘッダ解析部３１０によって振り分けられた優先度１パケットを、一時的に格納する。
優先度１パケット抽出部３２２−１は、優先度１パケットキュー部３２０−１に格納された優先度１パケットを、優先度１パケット抽出部３２２−１に設定された抽出容量（優先度１パケット抽出容量）Ｃｈ１で抽出する。さらに、優先度１パケット抽出部３２２−１は、抽出した優先度１パケットを、ＦＥＣ符号化部１４０に対して出力する。
【００９５】
なお、優先度１パケット抽出容量Ｃｈ１は、単位時間あたりのデータ量（単位は例えば［Ｍｂｐｓ］）であって、優先度１パケットキュー部３２０−１において優先度１パケットが滞留せず、優先度１パケットの送信待ち状態が発生しないような容量である。優先度１パケット抽出容量Ｃｈ１は、実施の形態１のようにシステムの管理者が任意に設定してもよいし、後述する実施の形態３のように、優先度１パケットの受信量に応じて、自動的に設定されるようにしてもよい。
【００９６】
優先度２パケットキュー部３２０−２は、パケットヘッダ解析部３１０によって振り分けられた優先度２パケットを、一時的に格納する。
優先度２パケット抽出部３２２−２は、優先度２パケットキュー部３２０−２に格納された優先度２パケットを、優先度２パケット抽出部３２２−２に設定された抽出容量（優先度２パケット抽出容量）Ｃｈ２で抽出する。さらに、優先度２パケット抽出部３２２−２は、抽出した優先度２パケットを、ＦＥＣ符号化部１４０に対して出力する。
【００９７】
なお、優先度２パケット抽出容量Ｃｈ２は、単位時間あたりのデータ量（単位は例えば［Ｍｂｐｓ］）であって、優先度２パケットキュー部３２０−２において優先度２パケットが滞留せず、優先度２パケットの送信待ち状態が発生しないような容量である。ただし、優先度２パケットが滞留しないように優先度２パケット抽出容量Ｃｈ２を設定すると優先度１パケット抽出容量Ｃｈ１を確保できなくなる場合は、優先度２パケットの滞留が最小限となるように、優先度２パケット抽出容量Ｃｈ２が設定される。つまり、優先度１パケットが滞留しないことが最優先され、その上で、優先度２パケットが滞留しないように（又は滞留が最小限となるように）優先度２パケット抽出容量Ｃｈ２が設定される。
なお、優先度２パケット抽出容量Ｃｈ２は、実施の形態１のようにシステムの管理者が任意に設定してもよいし、後述する実施の形態３のように、優先度２パケットの受信量に応じて、自動的に設定されるようにしてもよい。
【００９８】
また、低優先パケット抽出容量Ｃｌは、送信局１００に設定された伝送容量（無線帯域）Ｃと、優先度１パケット抽出容量Ｃｈ１と、優先度２パケット抽出容量Ｃｈ２とから定まる抽出容量であってもよい。例えば、Ｃｌ＝Ｃ−Ｃｈ１−Ｃｈ２であってもよいし、Ｃｌ＝Ｃ−Ｃｈ１−Ｃｈ２−α（αは０以上の定数）であってもよい。
【００９９】
ここで、優先度１パケットキュー部３２０−１及び優先度１パケット抽出部３２２−１と、優先度２パケットキュー部３２０−２及び優先度２パケット抽出部３２２−２と、低優先パケットキュー部１３０及び低優先パケット抽出部１３２とは、互いに独立して処理を行う。つまり、優先度１パケット抽出部３２２−１の処理が終わった後で優先度２パケット抽出部３２２−２の処理を開始し、優先度２パケット抽出部３２２−２の処理が終わった後で低優先パケット抽出部１３２が処理を開始するのではなく、優先度１パケット抽出部３２２−１の処理、優先度２パケット抽出部３２２−２の処理及び低優先パケット抽出部１３２の処理は、並行して行われる。
【０１００】
シンボルマッピング部３４２は、優先度１パケット抽出容量Ｃｈ１に対応するレートで優先度１パケットを受け付ける。同様に、シンボルマッピング部３４２は、優先度２パケット抽出容量Ｃｈ２に対応するレートで優先度２パケットを受け付ける。また、シンボルマッピング部３４２は、低優先パケット抽出容量Ｃｌに対応するレートで低優先パケットを受け付ける。
【０１０１】
ここで、上述したように、優先度１パケット抽出部３２２−１の処理、優先度２パケット抽出部３２２−２の処理及び低優先パケット抽出部１３２の処理は、互いに独立して、並行して行われる。したがって、シンボルマッピング部３４２は、優先度１パケットと優先度２パケットと低優先パケットとを、それぞれ上述したレートで、並行して受け付ける。そして、シンボルマッピング部３４２は、優先度１パケットと優先度２パケットと低優先パケットとを並行して変調し、変調信号を生成する。そして、シンボルマッピング部３４２は、優先度１パケットと優先度２パケットと低優先パケットとが変調されて得られた変調信号を、無線送信部１５０に対して出力する。
【０１０２】
具体的には、シンボルマッピング部３４２は、１つのシンボルについて、優先度１パケット抽出容量Ｃｈ１と優先度２パケット抽出容量Ｃｈ２と低優先パケット抽出容量Ｃｌとに応じて、優先度１パケットに対応するデータと優先度２パケットに対応するデータと低優先パケットに対応するデータとを、組み合わせてマッピングする。つまり、優先度１パケット抽出容量Ｃｈ１と優先度２パケット抽出容量Ｃｈ２と低優先パケット抽出容量Ｃｌとの大小に応じて、１シンボルにマッピングするデータ量を設定してもよい。
【０１０３】
例えば、変調方式が６４ＱＡＭである場合を想定する。６４ＱＡＭでは１シンボルあたりのビット数は６ビットである。
また、優先度１パケット抽出容量Ｃｈ１が３０Ｍｂｐｓ、優先度２パケット抽出容量Ｃｈ２が２０Ｍｂｐｓ、低優先パケット抽出容量Ｃｌが１０Ｍｂｐｓであるとする。このとき、Ｃｈ１：Ｃｈ２：Ｃｌ＝３０：２０：１０＝３：２：１である。したがって、シンボルマッピング部３４２は、１シンボルあたりのビット数（６ビット）のうち、先頭から３ビットに対して、優先度１パケットに対応するデータをマッピングし、次の２ビットに対して、優先度２パケットに対応するデータをマッピングし、次の１ビットに対して、低優先パケットに対応するデータをマッピングする。これによって、優先度１パケットについて、伝送容量Ｃｈ１（３０Ｍｂｐｓ）が確保される。また、優先度２パケットについて、伝送容量Ｃｈ２（２０Ｍｂｐｓ）が確保される。同様に、低優先パケットについて、伝送容量Ｃｌ（１０Ｍｂｐｓ）が確保される。
【０１０４】
つまり、本実施の形態においては、優先度１パケットについての処理と、優先度２パケットについての処理と、低優先パケットについての処理とが、互いに独立して、別個に行われる。言い換えれば、優先度１パケットについての処理が終了した後で優先度２パケットの処理が開始され、優先度２パケットについての処理が終了した後で低優先パケットについての処理が開始され、さらに低優先パケットについての処理が終了した後で高優先パケットについての処理が開始されるのではなく、低優先パケットについての処理がなされている間に、優先度１パケットについての処理及び優先度２パケットについての処理も並行して行われ得る。
【０１０５】
図１１は、実施の形態２において、送信局１００の無線帯域（伝送容量）に、優先度１パケット、優先度２パケット及び低優先パケットが多重化される状態を説明するための概念図である。以下、便宜上、優先度１パケットについての処理と、優先度２パケットについての処理と、低優先パケットについての処理とを分けて説明するが、それぞれの処理は、同時並行して実行され得る。なお、以下、優先度１パケット＃１〜＃３、優先度２パケット＃１〜＃３及び低優先パケット＃１〜＃５のサイズをＰｋ［Ｍｂｉｔ］とするが、各パケットのサイズは一定でなくてもよい。
【０１０６】
時刻ｔ１１において、優先度１パケットキュー部３２０−１は、優先度１パケット＃１の格納を開始する。そして、優先度１パケット＃１の格納が開始されると、優先度１パケット抽出部３２２−１によって優先度１パケット＃１が優先度１パケット抽出容量Ｃｈ１で抽出される。そして、ＦＥＣ符号化部１４０の処理を経て、上述したようにシンボルマッピング部３４２によって伝送容量Ｃｈ１が確保されるように優先度１パケット＃１が変調される。そして、時刻ｔ１１＋Ｔｄにおいて、無線送信部１５０は、無線帯域を使用して、伝送容量Ｃｈ１で、優先度１パケット＃１の送信を開始する。さらに、時刻ｔ１１＋Ｔｄ＋Ｐｋ／Ｃｈ１において、無線送信部１５０は、優先度１パケット＃１の送信を終了する。
【０１０７】
一方、時刻ｔ２１において、優先度２パケットキュー部３２０−２は、優先度２パケット＃１の格納を開始する。そして、優先度２パケット＃１の格納が開始されると、優先度２パケット抽出部３２２−２によって優先度２パケット＃１が優先度２パケット抽出容量Ｃｈ２で抽出される。そして、ＦＥＣ符号化部１４０の処理を経て、上述したようにシンボルマッピング部３４２によって伝送容量Ｃｈ２が確保されるように優先度２パケット＃１が変調される。そして、時刻ｔ２１＋Ｔｄにおいて、無線送信部１５０は、無線帯域を使用して、伝送容量Ｃｈ２で、優先度２パケット＃１の送信を開始する。さらに、時刻ｔ２１＋Ｔｄ＋Ｐｋ／Ｃｈ２において、無線送信部１５０は、優先度２パケット＃１の送信を終了する。
【０１０８】
一方、時刻ｔ３１において、低優先パケットキュー部１３０は、低優先パケット＃１の格納を開始する。ここで、時刻ｔ３１は時刻ｔ１１と同時であってもよい。そして、低優先パケット＃１の格納が開始されると、低優先パケット抽出部１３２によって低優先パケット＃１が低優先パケット抽出容量Ｃｌで抽出される。そして、ＦＥＣ符号化部１４０の処理を経て、上述したようにシンボルマッピング部３４２によって伝送容量Ｃｌが確保されるように低優先パケット＃１が変調される。そして、時刻ｔ３１＋Ｔｄにおいて、無線送信部１５０は、無線帯域を使用して、伝送容量Ｃｌで、低優先パケット＃１の送信を開始する。さらに、時刻ｔ３１＋Ｔｄ＋Ｐｋ／Ｃｌにおいて、無線送信部１５０は、低優先パケット＃１の送信を終了する。
【０１０９】
つまり、優先度１パケット＃１、優先度２パケット＃１及び低優先パケット＃１は、同時並行に処理され得るので、優先度１パケット＃１、優先度２パケット＃１及び低優先パケット＃１は、同時並行に無線帯域に多重化され、同時並行に受信局４００に対して送信され得る。
【０１１０】
また、時刻ｔ３２において、低優先パケットキュー部１３０は、低優先パケット＃２の格納を開始する。ここで、低優先パケット＃２の格納が開始されたとき、先行する低優先パケット＃１の抽出が終了していないので、低優先パケット抽出部１３２は、低優先パケット＃２を抽出することができない。したがって、低優先パケット＃２の処理は送信待ち状態となる。つまり、低優先パケット＃２は、時刻ｔ３２＋Ｔｄから、先行する低優先パケット＃１の処理が終了する時刻ｔ３１＋Ｔｄ＋Ｐｋ／Ｃｌまで滞留する。
【０１１１】
そして、低優先パケットキュー部１３０から低優先パケット＃１の抽出が終わった後、低優先パケット抽出部１３２によって低優先パケット＃２が低優先パケット抽出容量Ｃｌで抽出される。そして、ＦＥＣ符号化部１４０の処理を経て、上述したようにシンボルマッピング部１４２によって伝送容量Ｃｌが確保されるように低優先パケット＃２が変調される。そして、時刻ｔ３１＋Ｔｄ＋Ｐｋ／Ｃｌにおいて、無線送信部１５０は、無線帯域を使用して、伝送容量Ｃｌで、低優先パケット＃２の送信を開始する。さらに、時刻ｔ３１＋Ｔｄ＋２Ｐｋ／Ｃｌにおいて、無線送信部１５０は、低優先パケット＃２の送信を終了する。
【０１１２】
一方、時刻ｔ１２において、優先度１パケットキュー部３２０−１は、優先度１パケット＃２の格納を開始する。ここで、上述したように、優先度１パケット抽出部３２２−１に設定された優先度１パケット抽出容量Ｃｈ１は、優先度１パケットキュー部３２０−１において優先度１パケットが滞留しないような容量である。したがって、優先度１パケット＃２の格納が開始されるときに、優先度１パケット＃１の抽出は終了しているので、優先度１パケット＃２の抽出が可能である。さらに、優先度１パケットについての処理と、優先度２パケットについての処理と低優先パケットについての処理とが互いに独立して別個に行われる。したがって、優先度１パケット＃２の格納が開始されると、優先度１パケット抽出部３２２−１は、優先度２パケットについての処理及び低優先パケットについての処理に関わらず、優先度１パケット＃２を優先度１パケット抽出容量Ｃｈ１で抽出する。
【０１１３】
そして、優先度１パケット抽出部３２２−１によって優先度１パケット＃２が抽出されると、ＦＥＣ符号化部１４０の処理を経て、上述したようにシンボルマッピング部３４２によって伝送容量Ｃｈ１が確保されるように優先度１パケット＃２が変調される。そして、時刻ｔ１２＋Ｔｄにおいて、無線送信部１５０は、無線帯域を使用して、伝送容量Ｃｈ１で、優先度１パケット＃２の送信を開始する。
【０１１４】
このとき、優先度１パケットが滞留しないように優先度１パケット抽出容量Ｃｈ１が設定されることによって、時刻ｔ１２＋Ｔｄは、時刻ｔ１１＋Ｔｄ＋Ｐｋ／Ｃｈ１よりも後になる。つまり、優先度１パケット＃１及び優先度１パケット＃２は、ともに、一定の伝送遅延時間Ｔｄで伝送されることとなる。
さらに、時刻ｔ１２＋Ｔｄ＋Ｐｋ／Ｃｈ１において、無線送信部１５０は、優先度１パケット＃２の送信を終了する。
【０１１５】
同様に、時刻ｔ２２において、優先度２パケットキュー部３２０−２は、優先度２パケット＃２の格納を開始する。ここで、上述したように、優先度２パケット抽出部３２２−２に設定された優先度２パケット抽出容量Ｃｈ２は、優先度１パケットキュー部３２０−１において優先度１パケットが滞留しない限り、優先度２パケットキュー部３２０−２において優先度２パケットが滞留しないような容量である。したがって、優先度２パケット＃２の格納が開始されるときに、優先度２パケット＃１の抽出は終了しているので、優先度２パケット＃２の抽出が可能である。さらに、優先度２パケットについての処理と、優先度１パケットについての処理と低優先パケットについての処理とが互いに独立して別個に行われる。したがって、優先度２パケット＃２の格納が開始されると、優先度２パケット抽出部３２２−２は、優先度１パケットについての処理及び低優先パケットについての処理に関わらず、優先度２パケット＃２を優先度２パケット抽出容量Ｃｈ２で抽出する。
【０１１６】
そして、優先度２パケット抽出部３２２−２によって優先度２パケット＃２が抽出されると、ＦＥＣ符号化部１４０の処理を経て、上述したようにシンボルマッピング部３４２によって伝送容量Ｃｈ２が確保されるように優先度２パケット＃２が変調される。そして、時刻ｔ２２＋Ｔｄにおいて、無線送信部１５０は、無線帯域を使用して、伝送容量Ｃｈ２で、優先度２パケット＃２の送信を開始する。
【０１１７】
このとき、優先度２パケットが滞留しないように優先度２パケット抽出容量Ｃｈ２が設定されることによって、時刻ｔ２２＋Ｔｄは、時刻ｔ２１＋Ｔｄ＋Ｐｋ／Ｃｈ２よりも後になる。つまり、優先度２パケット＃１及び優先度２パケット＃２は、ともに、一定の伝送遅延時間Ｔｄで伝送されることとなる。
さらに、時刻ｔ２２＋Ｔｄ＋Ｐｋ／Ｃｈ２において、無線送信部１５０は、優先度２パケット＃２の送信を終了する。
【０１１８】
このように、実施の形態２においては、優先度１パケットと優先度２パケットと低優先パケットとをそれぞれ別個に抽出して、優先度１パケットと優先度２パケットと低優先パケットとにそれぞれ設定された容量（レート）で優先度１パケットと優先度２パケットと低優先パケットとを多重化する。言い換えれば、実施の形態２においては、無線帯域（伝送容量Ｃ）のうち、優先度１パケットについては伝送容量Ｃｈ１を用いて送信され、優先度２パケットについては伝送容量Ｃｈ２を用いて送信され、低優先パケットについては伝送容量Ｃｌを用いて送信される。つまり、優先度１パケット、優先度２パケット及び低優先パケットそれぞれについて、専用の帯域が設けられている。
【０１１９】
これにより、低優先パケットの処理状態に関わらず、優先度１パケットの滞留を抑制することができる。さらに、優先度２パケットの滞留をも抑制することができる。したがって、複数の優先度それぞれについての高優先パケットの伝送遅延の長さの変動を抑制することができる。
【０１２０】
図１２は、実施の形態２にかかる受信局４００の構成を示す図である。受信局４００は、アンテナ２０２、無線受信部２０４、シンボルデマッピング部２０６、ＦＥＣ復号化部２０８、優先度１パケット抽出部４２０−１、優先度２パケット抽出部４２０−２、低優先パケット抽出部２３０、優先度２パケットキュー部４２２、低優先パケットキュー部２３２及びパケット送信部２４０を有する。
【０１２１】
優先度１パケット抽出部４２０−１は、送信局３００の優先度１パケット抽出部３２２−１に設定された優先度１パケット抽出容量Ｃｈ１で、ＦＥＣ復号化部２０８から優先度１パケットを抽出する。さらに、優先度１パケット抽出部４２０−１は、抽出された優先度１パケットを、パケット送信部２４０に対して出力する。
【０１２２】
上述したように、送信局３００のシンボルマッピング部３４２によって、優先度１パケットは、１つのシンボルにおいて、先頭からＣｈ１に対応するビット数（上述した例では先頭から３ビット）にマッピングされている。したがって、優先度１パケット抽出部４２０−１は、ＦＥＣ復号化部２０８によって復号された送信データのうち、シンボルマッピング部３４２においてマッピングされたシンボルの、先頭からＣｈ１に対応するビット数に相当するデータを抽出する。これによって、優先度１パケット抽出部４２０−１は、優先度１パケット抽出容量Ｃｈ１で、優先度１パケットを抽出する。
【０１２３】
優先度２パケット抽出部４２０−２は、送信局３００の優先度２パケット抽出部３２２−２に設定された優先度２パケット抽出容量Ｃｈ２で、ＦＥＣ復号化部２０８から優先度２パケットを抽出する。さらに、優先度２パケット抽出部４２０−２は、抽出された優先度２パケットを、優先度２パケットキュー部４２２に対して出力する。
【０１２４】
上述したように、送信局３００のシンボルマッピング部３４２によって、優先度２パケットは、１つのシンボルにおいて、優先度１パケットに相当するデータの次からＣｈ２に対応するビット数（上述した例では、４ビット目から５ビット目までの２ビット）にマッピングされている。したがって、優先度２パケット抽出部４２０−２は、ＦＥＣ復号化部２０８によって復号された送信データのうち、シンボルマッピング部３４２においてマッピングされたシンボルの、優先度１パケットに相当するデータの次からＣｈ２に対応するビット数に相当するデータを抽出する。これによって、優先度２パケット抽出部４２０−２は、優先度２パケット抽出容量Ｃｈ２で、優先度２パケットを抽出する。
【０１２５】
優先度２パケットキュー部４２２は、優先度２パケット抽出部４２０−２から優先度２パケットを受け付ける。また、優先度２パケットキュー部４２２は、優先度２パケットを、一時的に格納する。そして、優先度２パケットキュー部４２２は、パケット送信部２４０が優先度１パケットを送信していない状態のときに、パケット送信部２４０に対して優先度２パケットを出力する。
【０１２６】
パケット送信部２４０は、優先度１パケット抽出部４２０−１から、優先度１パケットを受け付ける。そして、パケット送信部２４０は、優先度１パケットを、データ回線７０を介して、ネットワーク網に対して送信する。このとき、パケット送信部２４０は、優先度１パケットを、優先度２パケット及び低優先パケットよりも優先的に送信する。
【０１２７】
つまり、パケット送信部２４０は、優先的に優先度１パケットを送信し、優先度１パケットを送信し終わったときに、優先度２パケットキュー部４２２から優先度２パケットを取り出す。そして、パケット送信部２４０は、優先度２パケットを、データ回線７０を介して、ネットワーク網に対して送信する。さらに、パケット送信部２４０は、優先度１パケット及び優先度２パケットを送信し終わったときに、低優先パケットキュー部２３２から低優先パケットを取り出す。そして、パケット送信部２４０は、低優先パケットを、データ回線７０を介して、ネットワーク網に対して送信する。
【０１２８】
次に、実施の形態２にかかる送信局３００及び受信局４００の処理フローについて説明する。
図１３は、実施の形態２にかかる送信局３００の処理を示すフローチャートである。まず、送信局３００は、ネットワーク網からパケットを受信する（Ｓ３０２）。具体的には、図７のＳ１０２の処理と同様に、送信局３００のパケット受信部１０４は、データ回線６０を介して、ネットワーク網からパケットを受信する。
【０１２９】
次に、送信局３００は、受信されたパケットを、優先度１パケットと優先度２パケットと低優先パケットとに振り分ける（Ｓ３０４）。具体的には、送信局３００のパケットヘッダ解析部３１０は、パケットのヘッダを解析し、受け付けたパケットが、優先度１パケットであるか、優先度２パケットであるか、低優先パケットであるかを判断する。そして、パケットヘッダ解析部３１０は、その判断結果に応じて、パケットを、優先度１パケットと優先度２パケットと低優先パケットとに振り分ける。
【０１３０】
次に、送信局３００は、優先度１パケットを優先度１パケットキュー部３２０−１に格納し、優先度２パケットを優先度２パケットキュー部３２０−２に格納し、低優先パケットを低優先パケットキュー部１３０に格納する（Ｓ３０６）。具体的には、優先度１パケットキュー部３２０−１は、パケットヘッダ解析部３１０によって振り分けられた優先度１パケットを、一時的に格納する。また、優先度２パケットキュー部３２０−２は、パケットヘッダ解析部３１０によって振り分けられた優先度２パケットを、一時的に格納する。さらに、低優先パケットキュー部１３０は、パケットヘッダ解析部３１０によって振り分けられた低優先パケットを、一時的に格納する。
【０１３１】
次に、送信局３００は、優先度１パケットを優先度１パケット抽出容量Ｃｈ１で優先度１パケットキュー部３２０−１から抽出し、優先度２パケットを優先度２パケット抽出容量Ｃｈ２で優先度２パケットキュー部３２０−２から抽出し、低優先パケットを低優先パケット抽出容量Ｃｌで低優先パケットキュー部１３０から抽出する（Ｓ３０８）。具体的には、送信局３００の優先度１パケット抽出部３２２−１は、優先度１パケットキュー部３２０−１に格納された優先度１パケットを、優先度１パケット抽出部３２２−１に設定された優先度１パケット抽出容量Ｃｈ１で抽出する。また、送信局１００の優先度２パケット抽出部３２２−２は、優先度２パケットキュー部３２０−２に格納された優先度２パケットを、優先度２パケット抽出部３２２−２に設定された優先度２パケット抽出容量Ｃｈ２で抽出する。
【０１３２】
さらに、送信局３００の低優先パケット抽出部１３２は、低優先パケットキュー部１３０に格納された低優先パケットを、低優先パケット抽出部１３２に設定された低優先パケット抽出容量Ｃｌで抽出する。ここで、優先度１パケット抽出部３２２−１による優先度１パケットの抽出処理と、優先度２パケット抽出部３２２−２による優先度２パケットの抽出処理と、低優先パケット抽出部１３２による低優先パケットの抽出処理とは、並行して行われ得る。つまり、それぞれの抽出処理が、同時になされていてもよい。
【０１３３】
次に、送信局３００は、優先度１パケットと優先度２パケットと低優先パケットとを並行して変調する（Ｓ３１０）。具体的には、送信局３００のシンボルマッピング部３４２は、優先度１パケットと優先度２パケットと低優先パケットとを並行して変調する。このとき、シンボルマッピング部３４２は、優先度１パケット抽出容量Ｃｈ１、優先度２パケット抽出容量Ｃｈ２及び低優先パケット抽出容量Ｃｌの大きさに応じて、１シンボルにマッピングするデータ量を設定する。つまり、Ｃｈ１＞Ｃｈ２＞Ｃｌであれば、１シンボルにマッピングするデータ量は、優先度１パケットの方が優先度２パケットよりも大きく、優先度２パケットの方が低優先パケットよりも大きい。
【０１３４】
次に、送信局３００は、優先度１パケット、優先度２パケット及び低優先パケットを受信局４００に対して送信する（Ｓ３１２）。具体的には、送信局３００の無線送信部１５０は、シンボルマッピング部３４２からの変調信号に対して、増幅等の無線送信に必要な処理を施す。そして、無線送信部１５０は、優先度１パケット、優先度２パケット及び低優先パケットに対応するデータを含む無線信号を、受信局４００に対して無線送信する。
【０１３５】
図１４は、実施の形態２にかかる受信局４００の処理を示すフローチャートである。まず、受信局４００は、優先度１パケット、優先度２パケット及び低優先パケットを送信局３００から受信する（Ｓ４０２）。具体的には、受信局４００の無線受信部２０４は、アンテナ２０２を介して、送信局３００から、優先度１パケット、優先度２パケット及び低優先パケットに対応するデータを含む無線信号を受信する。
【０１３６】
次に、受信局４００は、優先度１パケットと優先度２パケットと低優先パケットとを復調する（Ｓ４０４）。具体的には、受信局４００のシンボルデマッピング部２０６は、無線信号に含まれる受信シンボル（位相・振幅情報）から送信データを復元する。
【０１３７】
次に、受信局４００は、優先度１パケットを優先度１パケット抽出容量Ｃｈ１で抽出し、優先度２パケットを優先度２パケット抽出容量Ｃｈ２で抽出し、低優先パケットを低優先パケット抽出容量Ｃｌで抽出する（Ｓ４０６）。具体的には、受信局４００の優先度１パケット抽出部４２０−１は、優先度１パケット抽出容量Ｃｈ１で、優先度１パケットを抽出する。また、受信局４００の優先度２パケット抽出部４２０−２は、優先度２パケット抽出容量Ｃｈ２で、優先度２パケットを抽出する。
【０１３８】
さらに、受信局２００の低優先パケット抽出部２３０は、低優先パケット抽出容量Ｃｌで、低優先パケットを抽出する。ここで、優先度１パケット抽出部４２０−１による優先度１パケットの抽出処理と、優先度２パケット抽出部４２０−２による優先度２パケットの抽出処理と、低優先パケット抽出部２３０による低優先パケットの抽出処理とは、並行して行われる。つまり、それぞれの抽出処理が、同時になされていてもよい。
【０１３９】
次に、受信局４００は、パケットをネットワーク網に対して送信する（Ｓ４０８）。具体的には、受信局４００のパケット送信部２４０は、優先度１パケット、優先度２パケット及び低優先パケットを含むパケットを、データ回線７０を介して、ネットワーク網に対して送信する。
【０１４０】
上述したように、実施の形態２においては、高優先パケットをさらに優先度ごとに振り分け、それぞれの優先度についてのパケットを独立して並行して処理するようにしたので、最も優先度の高いパケット（優先度１パケット）を滞留しないようにしつつ、次に優先度の高いパケット（優先度２パケット）についても、滞留を抑制することができる。したがって、最も優先度の高いパケット（優先度１パケット）及び次に優先度の高いパケット（優先度２パケット）について、伝送遅延の長さの変動を抑制することができる。
【０１４１】
［実施の形態３］
次に実施の形態３について説明する。実施の形態３においては、高優先パケットの抽出容量を動的に切り替えるように構成されている点で、他の実施の形態と異なる。なお、実施の形態３においては、図２の送信局１００が送信局５００に置き換えられ、受信局２００が受信局６００に置き換えられている。つまり、実施の形態３においては、送信局５００と受信局６００とが、無線回線を介して無線通信可能に接続されており、送信局５００から受信局６００に対して、パケット等のユーザデータが伝送される。
【０１４２】
図１５は、実施の形態３にかかる送信局５００の構成を示す図である。送信局５００は、アンテナ１０２、パケット受信部１０４、パケットヘッダ解析部５１０、高優先パケットキュー部１２０、高優先パケット抽出部５２２、低優先パケットキュー部１３０、低優先パケット抽出部５３２、ＦＥＣ符号化部１４０、シンボルマッピング部５４２、及び無線送信部１５０を有する。
【０１４３】
パケットヘッダ解析部５１０は、実施の形態１にかかるパケットヘッダ解析部１１０と同様の機能を有している。つまり、パケットヘッダ解析部５１０は、パケットヘッダ解析部１１０と同様に、パケット受信部１０４から受け付けたパケットのヘッダ（パケットヘッダ）を解析する。そして、パケットヘッダ解析部５１０は、パケットのヘッダを解析することにより、受け付けたパケットが、高優先パケットであるか、低優先パケットであるかを判断する。
【０１４４】
また、パケットヘッダ解析部５１０は、パケットヘッダ解析部１１０と同様に、パケットを、高優先パケットと低優先パケットとに振り分ける。また、パケットヘッダ解析部５１０は、振り分けられた高優先パケットを、高優先パケットキュー部１２０に対して出力する。同様に、パケットヘッダ解析部５１０は、振り分けられた低優先パケットを、低優先パケットキュー部１３０に対して出力する。
【０１４５】
パケットヘッダ解析部５１０は、パケットヘッダ解析部１１０の機能の他に、以下に説明する機能を有している。パケットヘッダ解析部５１０は、予め定められた期間である高優先パケット受信量測定期間Ｔａの間、高優先パケットの受信量を計測する。つまり、パケットヘッダ解析部５１０は、高優先パケット受信量測定期間Ｔａの間、高優先パケットの受信量を計測する計測手段を有している。また、パケットヘッダ解析部５１０は、計測結果、つまり、計測された高優先パケットの受信量（高優先パケット受信量）に応じて、高優先パケット抽出部５２２に設定される高優先パケット抽出容量Ｃｈを切り替える。さらに、パケットヘッダ解析部５１０は、高優先パケット抽出部５２２に対して、容量切替通知を出力する。
【０１４６】
また、上述したように、低優先パケット抽出容量Ｃｌは、送信局５００に設定された伝送容量（無線帯域）Ｃと、高優先パケット抽出容量Ｃｈとから定まる抽出容量である。したがって、高優先パケット抽出容量Ｃｈの変動に伴って、低優先パケット抽出容量Ｃｌも変動する。よって、パケットヘッダ解析部５１０は、低優先パケット抽出部５３２に設定される低優先パケット抽出容量Ｃｌをも切り替える。さらに、パケットヘッダ解析部５１０は、低優先パケット抽出部５３２に対して、容量切替通知を出力する。
【０１４７】
さらに、パケットヘッダ解析部５１０は、高優先パケット受信量測定期間Ｔａで高優先パケット受信量を測定すると、測定結果を反映した容量切替通知を、低優先パケット抽出部５３２に対して出力し、その容量切替通知を、低優先パケットのデータ列に挿入させる。この低優先パケットのデータ列に挿入された容量切替通知は、受信局６００に、抽出容量が切り替わったか否かを通知するための情報である。詳しくは後述する。
【０１４８】
高優先パケット抽出部５２２は、高優先パケット抽出部１２２と同様の機能を有する。つまり、高優先パケット抽出部５２２は、高優先パケットキュー部１２０に格納された高優先パケットを、高優先パケット抽出容量Ｃｈで抽出する。また、高優先パケット抽出部５２２は、抽出した高優先パケットを、ＦＥＣ符号化部１４０に対して出力する。
さらに、高優先パケット抽出部５２２は、パケットヘッダ解析部５１０からの容量切替通知に応じて、高優先パケット抽出容量Ｃｈを切り替える。詳しくは後述する。
【０１４９】
低優先パケット抽出部５３２は、低優先パケット抽出部１３２と同様の機能を有する。つまり、低優先パケット抽出部５３２は、低優先パケットキュー部１３０に格納された低優先パケットを、低優先パケット抽出容量Ｃｌで抽出する。また、低優先パケット抽出部５３２は、抽出した低優先パケットを、ＦＥＣ符号化部１４０に対して出力する。
さらに、低優先パケット抽出部５３２は、パケットヘッダ解析部５１０からの容量切替通知に応じて、低優先パケット抽出容量Ｃｌを切り替える。詳しくは後述する。
【０１５０】
抽出容量の切替方法について、図１６を用いて具体的に説明する。図１６は、高優先パケット受信量に応じて高優先パケット抽出容量Ｃｈを切り替える方法を説明するための図である。図１６においては、高優先パケット抽出容量Ｃｈが１０Ｍｂｐｓ、２０Ｍｂｐｓ、３０Ｍｂｐｓ及び４０Ｍｂｐｓである場合の例が示されている。
【０１５１】
高優先パケット抽出容量Ｃｈが１０Ｍｂｐｓに設定されているとする。パケットヘッダ解析部５１０は、高優先パケット受信量測定期間Ｔａの間、高優先パケット受信量を測定する。そして、測定の結果、高優先パケット受信量が２０Ｍｂｐｓへの容量ＵＰ切替閾値を超えた場合、パケットヘッダ解析部５１０は、高優先パケット抽出容量Ｃｈを１０Ｍｂｐｓから２０Ｍｂｐｓに増加させることを示す容量ＵＰ通知である容量切替通知を、高優先パケット抽出部５２２に対して出力する。なお、高優先パケット受信量が２０Ｍｂｐｓへの容量ＵＰ切替閾値を超えない場合、パケットヘッダ解析部５１０は、高優先パケット抽出容量Ｃｈを１０Ｍｂｐｓに維持させることを示す容量ＨＯＬＤ通知である容量切替通知を、高優先パケット抽出部５２２に対して出力してもよい。
【０１５２】
また、高優先パケット抽出容量Ｃｈが２０Ｍｂｐｓに設定されているとする。パケットヘッダ解析部５１０は、高優先パケット受信量測定期間Ｔａの間、高優先パケット受信量を測定する。そして、測定の結果、高優先パケット受信量が３０Ｍｂｐｓへの容量ＵＰ切替閾値を超えた場合、パケットヘッダ解析部５１０は、高優先パケット抽出容量Ｃｈを２０Ｍｂｐｓから３０Ｍｂｐｓに増加させることを示す容量ＵＰ通知である容量切替通知を、高優先パケット抽出部５２２に対して出力する。
【０１５３】
一方、測定の結果、高優先パケット受信量が１０Ｍｂｐｓへの容量ＤＯＷＮ切替閾値を下回った場合、パケットヘッダ解析部５１０は、高優先パケット抽出容量Ｃｈを２０Ｍｂｐｓから１０Ｍｂｐｓに減少させることを示す容量ＤＯＷＮ通知である容量切替通知を、高優先パケット抽出部５２２に対して出力する。なお、高優先パケット受信量が１０Ｍｂｐｓへの容量ＤＯＷＮ切替閾値以上であって３０Ｍｂｐｓへの容量ＵＰ切替閾値以下である場合、パケットヘッダ解析部５１０は、高優先パケット抽出容量Ｃｈを２０Ｍｂｐｓに維持させることを示す容量ＨＯＬＤ通知である容量切替通知を、高優先パケット抽出部５２２に対して出力してもよい。
【０１５４】
また、高優先パケット抽出容量Ｃｈが３０Ｍｂｐｓに設定されているとする。パケットヘッダ解析部５１０は、高優先パケット受信量測定期間Ｔａの間、高優先パケット受信量を測定する。そして、測定の結果、高優先パケット受信量が４０Ｍｂｐｓへの容量ＵＰ切替閾値を超えた場合、パケットヘッダ解析部５１０は、高優先パケット抽出容量Ｃｈを３０Ｍｂｐｓから４０Ｍｂｐｓに増加させることを示す容量ＵＰ通知である容量切替通知を、高優先パケット抽出部５２２に対して出力する。
【０１５５】
一方、測定の結果、高優先パケット受信量が２０Ｍｂｐｓへの容量ＤＯＷＮ切替閾値を下回った場合、パケットヘッダ解析部５１０は、高優先パケット抽出容量Ｃｈを３０Ｍｂｐｓから２０Ｍｂｐｓに減少させることを示す容量ＤＯＷＮ通知である容量切替通知を、高優先パケット抽出部５２２に対して出力する。なお、高優先パケット受信量が２０Ｍｂｐｓへの容量ＤＯＷＮ切替閾値以上であって４０Ｍｂｐｓへの容量ＵＰ切替閾値以下である場合、パケットヘッダ解析部５１０は、高優先パケット抽出容量Ｃｈを３０Ｍｂｐｓに維持させることを示す容量ＨＯＬＤ通知である容量切替通知を、高優先パケット抽出部５２２に対して出力してもよい。
【０１５６】
また、高優先パケット抽出容量Ｃｈが４０Ｍｂｐｓに設定されているとする。パケットヘッダ解析部５１０は、高優先パケット受信量測定期間Ｔａの間、高優先パケット受信量を測定する。そして、測定の結果、高優先パケット受信量が３０Ｍｂｐｓへの容量ＤＯＷＮ切替閾値を下回った場合、パケットヘッダ解析部５１０は、高優先パケット抽出容量Ｃｈを４０Ｍｂｐｓから３０Ｍｂｐｓに減少させることを示す容量ＤＯＷＮ通知である容量切替通知を、高優先パケット抽出部５２２に対して出力する。なお、高優先パケット受信量が３０Ｍｂｐｓへの容量ＤＯＷＮ切替閾値以上である場合、パケットヘッダ解析部５１０は、高優先パケット抽出容量Ｃｈを４０Ｍｂｐｓに維持させることを示す容量ＨＯＬＤ通知である容量切替通知を、高優先パケット抽出部５２２に対して出力してもよい。
【０１５７】
ここで、容量ＵＰ切替閾値は、抽出容量の上限から一定量のマージンを差し引いた値に設定してもよい。例えば、高優先パケット抽出容量Ｃｈが１０Ｍｂｐｓに設定されている場合、例えば２Ｍｂｐｓをマージンとして、１０Ｍｂｐｓからこの２Ｍｂｐｓを差し引いた８Ｍｂｐｓを、２０Ｍｂｐｓへの容量ＵＰ切替閾値としてもよい。このように、マージンを設けることによって、容量ＵＰ通知を出力後、高優先パケット抽出容量Ｃｈが増加するように切り替わるまでの間に、高優先パケット受信量の増大によって高優先パケットが滞留することを、より確実に抑制することができる。
【０１５８】
なお、送信局５００の伝送容量Ｃにおいて、Ｃｌ＝Ｃ−Ｃｈ又はＣｌ＝Ｃ−Ｃｈ−α（αは０以上の定数）であるので、高優先パケット抽出容量Ｃｈが増加すると、低優先パケット抽出容量Ｃｌは減少する。逆に、高優先パケット抽出容量Ｃｈが減少すると、低優先パケット抽出容量Ｃｌは増加する。したがって、パケットヘッダ解析部５１０は、高優先パケット抽出部５２２に対して容量ＵＰ通知を出力する場合、低優先パケット抽出部５３２に対して容量ＤＯＷＮ通知を出力してもよい。同様に、パケットヘッダ解析部５１０は、高優先パケット抽出部５２２に対して容量ＤＯＷＮ通知を出力する場合、低優先パケット抽出部５３２に対して容量ＵＰ通知を出力してもよい。
【０１５９】
シンボルマッピング部５４２（図１５）は、シンボルマッピング部１４２と同様の機能を有する。シンボルマッピング部５４２は、高優先パケット抽出容量Ｃｈに対応するレートで高優先パケットを受け付ける。同様に、シンボルマッピング部５４２は、低優先パケット抽出容量Ｃｌに対応するレートで低優先パケットを受け付ける。そして、シンボルマッピング部５４２は、高優先パケットと低優先パケットとを並行して変調し、変調信号を生成する。そして、シンボルマッピング部５４２は、高優先パケットと低優先パケットとが変調されて得られた変調信号を、無線送信部１５０に対して出力する。
【０１６０】
例えば、変調方式が３２ＡＰＳＫ（Amplitude Phase Shift Keying）である場合を想定する。３２ＡＰＳＫでは１シンボルあたりのビット数は５ビットである。また、無線通信システム５０としての伝送容量（無線帯域）を５０Ｍｂｐｓとする。
【０１６１】
また、高優先パケット抽出容量Ｃｈを２０Ｍｂｐｓ、低優先パケット抽出容量Ｃｌを３０Ｍｂｐｓであるとする。このとき、Ｃｈ：Ｃｌ＝２０：３０＝２：３である。したがって、シンボルマッピング部１４２は、１シンボルあたりのビット数（５ビット）のうち、前の２ビットに対して、高優先パケットに対応するデータをマッピングし、後の３ビットに対して、低優先パケットに対応するデータをマッピングする。これによって、高優先パケットについて、伝送容量Ｃｈ（２０Ｍｂｐｓ）が確保される。同様に、低優先パケットについて、伝送容量Ｃｌ（３０Ｍｂｐｓ）が確保される。
【０１６２】
ここで、高優先パケット受信量の増大に伴い、パケットヘッダ解析部５１０の処理によって、高優先パケット抽出容量Ｃｈが３０Ｍｂｐｓに増加し、低優先パケット抽出容量Ｃｌが２０Ｍｂｐｓに減少したとする。このとき、Ｃｈ：Ｃｌ＝３０：２０＝３：２である。したがって、シンボルマッピング部５４２は、１シンボルあたりのビット数（５ビット）のうち、前の３ビットに対して、高優先パケットに対応するデータをマッピングし、後の２ビットに対して、低優先パケットに対応するデータをマッピングする。これによって、高優先パケットについて、伝送容量Ｃｈ（３０Ｍｂｐｓ）が確保される。同様に、低優先パケットについて、伝送容量Ｃｌ（２０Ｍｂｐｓ）が確保される。
【０１６３】
図１７は、実施の形態３にかかる受信局６００の構成を示す図である。受信局６００は、アンテナ２０２、無線受信部２０４、シンボルデマッピング部２０６、ＦＥＣ復号化部２０８、高優先パケット抽出部６２０、低優先パケット抽出部６３０、低優先パケットキュー部２３２及びパケット送信部２４０を有する。
【０１６４】
高優先パケット抽出部６２０は、高優先パケット抽出部２２０と同様の機能を有する。高優先パケット抽出部６２０は、送信局５００の高優先パケット抽出部５２２に設定された高優先パケット抽出容量Ｃｈで、ＦＥＣ復号化部２０８から高優先パケットを抽出する。さらに、高優先パケット抽出部５２０は、抽出された高優先パケットを、パケット送信部２４０に対して出力する。
【０１６５】
低優先パケット抽出部６３０は、低優先パケット抽出部２３０と同様の機能を有する。低優先パケット抽出部６３０は、送信局５００の低優先パケット抽出部５３２に設定された低優先パケット抽出容量Ｃｌで、ＦＥＣ復号化部２０８から低優先パケットを抽出する。さらに、低優先パケット抽出部６３０は、抽出された低優先パケットを、低優先パケットキュー部２３２に対して出力する。
【０１６６】
さらに、低優先パケット抽出部６３０は、容量切替通知が低優先パケットのデータ列に挿入されている場合には、その容量切替通知を、高優先パケット抽出部６２０に対して出力する。高優先パケット抽出部６２０は、容量切替通知を受け付けると、その容量切替通知に応じて、高優先パケット抽出容量Ｃｈを切り替える。また、このとき、低優先パケット抽出部６３０も、低優先パケット抽出容量Ｃｌを切り替える。詳しくは後述する。
【０１６７】
図１８は、実施の形態３において、送信局５００の無線帯域（伝送容量）に、高優先パケット及び低優先パケットが多重化される状態を説明するための概念図である。なお、以下、高優先パケット＃１〜＃５及び低優先パケット＃１〜＃８のサイズをＰｋ［Ｍｂｉｔ］とするが、各パケットのサイズは一定でなくてもよい。
【０１６８】
図１８の例においては、無線通信システム５０としての伝送容量（無線帯域）Ｃは５０Ｍｂｐｓである。また、始めに、高優先パケット抽出容量Ｃｈが２０Ｍｂｐｓに設定されている。また、低優先パケット抽出容量Ｃｌが３０Ｍｂｐｓに設定されている。なお、高優先パケットについての処理と低優先パケットについての処理とは、同時並行して実行され得る。以下、図１８を用いて、主に高優先パケットの処理について説明する。なお、低優先パケットの処理について、上述した実施の形態と同様である内容については説明を省略する。
【０１６９】
時刻ｔ１１において、高優先パケットキュー部１２０は、高優先パケット＃１の格納を開始する。そして、高優先パケット＃１の格納が開始されると、高優先パケット抽出部５２２によって高優先パケット＃１が高優先パケット抽出容量Ｃｈ（２０Ｍｂｐｓ）で抽出される。そして、ＦＥＣ符号化部１４０の処理を経て、上述したようにシンボルマッピング部１４２によって伝送容量Ｃｈが確保されるように高優先パケット＃１が変調される。そして、時刻ｔ１１＋Ｔｄにおいて、無線送信部１５０は、無線帯域を使用して、伝送容量Ｃｈで、高優先パケット＃１の送信を開始する。さらに、時刻ｔ１１＋Ｔｄ＋Ｐｋ／Ｃｈにおいて、無線送信部１５０は、高優先パケット＃１の送信を終了する。
【０１７０】
また、同様に、時刻ｔ１２において、高優先パケットキュー部１２０は、高優先パケット＃２の格納を開始する。そして、高優先パケット＃１の格納が開始されると、高優先パケット抽出部５２２によって高優先パケット＃２が高優先パケット抽出容量Ｃｈ（２０Ｍｂｐｓ）で抽出される。そして、ＦＥＣ符号化部１４０の処理を経て、上述したようにシンボルマッピング部１４２によって伝送容量Ｃｈが確保されるように高優先パケット＃２が変調される。そして、時刻ｔ１２＋Ｔｄにおいて、無線送信部１５０は、無線帯域を使用して、伝送容量Ｃｈ（２０Ｍｂｐｓ）で、高優先パケット＃２の送信を開始する。さらに、時刻ｔ１２＋Ｔｄ＋Ｐｋ／Ｃｈにおいて、無線送信部１５０は、高優先パケット＃２の送信を終了する。
【０１７１】
以下、同様に、時刻ｔ１３において、高優先パケットキュー部１２０は、高優先パケット＃３の格納を開始する。そして、高優先パケット＃３の格納が開始されると、高優先パケット抽出部５２２によって高優先パケット＃３が高優先パケット抽出容量Ｃｈで抽出される。そして、時刻ｔ１３＋Ｔｄにおいて、無線送信部１５０は、無線帯域を使用して、伝送容量Ｃｈで、高優先パケット＃３の送信を開始する。
【０１７２】
また、同様に、時刻ｔ１４において、高優先パケットキュー部１２０は、高優先パケット＃４の格納を開始する。そして、高優先パケット＃４の格納が開始されると、高優先パケット抽出部５２２によって高優先パケット＃４が高優先パケット抽出容量Ｃｈで抽出される。そして、時刻ｔ１４＋Ｔｄにおいて、無線送信部１５０は、無線帯域を使用して、伝送容量Ｃｈで、高優先パケット＃４の送信を開始する。
【０１７３】
また、同様に、時刻ｔ１５において、高優先パケットキュー部１２０は、高優先パケット＃５の格納を開始する。そして、高優先パケット＃５の格納が開始されると、高優先パケット抽出部５２２によって高優先パケット＃５が高優先パケット抽出容量Ｃｈで抽出される。そして、時刻ｔ１５＋Ｔｄにおいて、無線送信部１５０は、無線帯域を使用して、伝送容量Ｃｈで、高優先パケット＃５の送信を開始する。
【０１７４】
一方、図１８に例示するように、高優先パケット＃１，＃２の処理と並行して、低優先パケットキュー部１３０は、低優先パケット＃１〜＃３をそれぞれ格納し、低優先パケット抽出部５３２によって低優先パケット＃１〜＃３が低優先パケット抽出容量Ｃｌ（３０Ｍｂｐｓ）でそれぞれ抽出される。
【０１７５】
一方、時刻ｔ１１から高優先パケット受信量測定期間Ｔａの間、パケットヘッダ解析部５１０は、１回目の高優先パケット受信量の測定を行う。そして、時刻ｔ１１＋Ｔａにおいて、パケットヘッダ解析部５１０は、高優先パケット受信量が３０Ｍｂｐｓへの容量ＵＰ切替閾値を超えたと判断する。
【０１７６】
このとき、パケットヘッダ解析部５１０は、容量ＵＰ通知を、低優先パケットのデータ列に挿入する。このとき、低優先パケット抽出部５３２は、低優先パケット＃３を処理している途中であるが、その低優先パケット＃３に割り込んで、オーバーヘッドとして容量ＵＰ通知を挿入してもよい。したがって、図１８に例示するように、低優先パケット＃３は、容量ＵＰ通知を挟んで分割されてもよい。そして、時刻ｔ１１＋Ｔｄ＋Ｔａにおいて、容量ＵＰ通知は、受信局６００に対して送信される。
【０１７７】
さらに、時刻ｔ１１＋Ｔａにおいてパケットヘッダ解析部５１０が高優先パケット受信量が３０Ｍｂｐｓへの容量ＵＰ切替閾値を超えたと判断したとき、上述したように、パケットヘッダ解析部５１０は、高優先パケット抽出部５２２に対して、容量切替通知（容量ＵＰ通知）を出力する。また、このとき、パケットヘッダ解析部５１０は、低優先パケット抽出部５３２に対して、容量切替通知（容量ＤＯＷＮ通知）を出力する。
【０１７８】
ここで、高優先パケット抽出部５２２は、容量切替通知を受け付けても、すぐにその容量切替通知に対応する切替処理を行わなくてもよい。つまり、図１８に例示するように、高優先パケット抽出部５２２は、時刻ｔ１１＋Ｔａにおいて１回目の容量切替通知（容量ＵＰ通知）を受け付けてから、次の２回目の容量切替通知（容量ＨＯＬＤ通知）を受け付けるまでは、高優先パケット抽出容量Ｃｈを切り替えない。
【０１７９】
同様に、低優先パケット抽出部５３２は、容量切替通知を受け付けても、すぐにその容量切替通知に対応する切替処理を行わなくてもよい。つまり、図１８に例示するように、低優先パケット抽出部５３２は、時刻ｔ１１＋Ｔａにおいて１回目の容量切替通知（容量ＤＯＷＮ通知）を受け付けてから、次の２回目の容量切替通知（容量ＨＯＬＤ通知）を受け付けるまでは、低優先パケット抽出容量Ｃｌを切り替えない。
【０１８０】
さらに、時刻ｔ１１＋Ｔａにおいてパケットヘッダ解析部５１０による高優先パケット受信量の１回目の測定が終了すると、パケットヘッダ解析部５１０は、２回目の計測を開始する。つまり、時刻ｔ１１＋Ｔａから高優先パケット受信量測定期間Ｔａの間、パケットヘッダ解析部５１０は、２回目の高優先パケット受信量の測定を行う。
【０１８１】
なお、上述したように、高優先パケット抽出容量Ｃｈは、２回目の高優先パケット受信量測定期間Ｔａの間は、切り替わっておらず、２０Ｍｂｐｓのままである。しかしながら、パケットヘッダ解析部５１０は、前回の１回目の計測後に高優先パケット抽出容量Ｃｈを増加する旨の判断をしている。そこで、パケットヘッダ解析部５１０は、図１６に例示した３０Ｍｂｐｓの切替閾値である４０Ｍｂｐｓへの容量ＵＰ切替閾値及び２０Ｍｂｐｓへの容量ＤＯＷＮ切替閾値と、高優先パケット受信量とを比較する。そして、時刻ｔ１１＋２Ｔａにおいて、パケットヘッダ解析部５１０は、高優先パケット受信量が４０Ｍｂｐｓへの容量ＵＰ切替閾値以下であって２０Ｍｂｐｓへの容量ＤＯＷＮ切替閾値以上であると判断する。
【０１８２】
このとき、パケットヘッダ解析部５１０は、容量ＨＯＬＤ通知を、低優先パケットのデータ列に挿入する。このとき、低優先パケット抽出部５３２は、低優先パケット＃５を処理している途中であるが、その低優先パケット＃５に割り込んで、オーバーヘッドとして容量ＨＯＬＤ通知を挿入してもよい。したがって、図１８に例示するように、低優先パケット＃５は、容量ＨＯＬＤ通知を挟んで分割されてもよい。そして、時刻ｔ１１＋Ｔｄ＋２Ｔａにおいて、容量ＨＯＬＤ通知は、受信局６００に対して送信される。
【０１８３】
さらに、時刻ｔ１１＋２Ｔａにおいてパケットヘッダ解析部５１０が高優先パケット受信量が４０Ｍｂｐｓへの容量ＵＰ切替閾値以下であって２０Ｍｂｐｓへの容量ＤＯＷＮ切替閾値以上であると判断したとき、上述したように、パケットヘッダ解析部５１０は、高優先パケット抽出部５２２に対して、容量切替通知（容量ＨＯＬＤ通知）を出力する。また、このとき、パケットヘッダ解析部５１０は、低優先パケット抽出部５３２に対して、容量切替通知（容量ＨＯＬＤ通知）を出力する。
【０１８４】
ここで、図１８に例示するように、高優先パケット抽出部５２２は、２回目の容量切替通知（容量ＨＯＬＤ通知）を受け付けると、１回目の容量切替通知（容量ＵＰ通知）に基づいて、高優先パケット抽出容量Ｃｈを、２０Ｍｂｐｓから３０Ｍｂｐｓに切り替えてもよい。言い換えると、高優先パケット抽出部５２２は、容量切替通知を受け付けると、１つ前に受け付けていた容量切替通知に基づいて、高優先パケット抽出容量Ｃｈを切り替える。つまり、高優先パケット抽出部５２２は、１回目の容量切替通知（容量ＵＰ通知）を受け付けてから、高優先パケット受信量測定期間Ｔａを経過した後で、高優先パケット抽出容量Ｃｈを、２０Ｍｂｐｓから３０Ｍｂｐｓに切り替える。
【０１８５】
なお、このとき、図１８に例示するように、高優先パケット抽出部５２２は、高優先パケット＃３を処理している途中である。この場合、高優先パケット抽出部５２２は、高優先パケット＃３のデータのうち、２回目の容量切替通知（容量ＨＯＬＤ通知）を受け付けた以後のデータについては、切り替え後の３０Ｍｂｐｓで抽出する。
【０１８６】
また、図１８に例示するように、低優先パケット抽出部５３２は、２回目の容量切替通知（容量ＨＯＬＤ通知）を受け付けると、１回目の容量切替通知（容量ＤＯＷＮ通知）に基づいて、低優先パケット抽出容量Ｃｌを、３０Ｍｂｐｓから２０Ｍｂｐｓに切り替えてもよい。言い換えると、低優先パケット抽出部５３２は、容量切替通知を受け付けると、１つ前に受け付けていた容量切替通知に基づいて、低優先パケット抽出容量Ｃｌを切り替える。つまり、低優先パケット抽出部５３２は、１回目の容量切替通知（容量ＤＯＷＮ通知）を受け付けてから、高優先パケット受信量測定期間Ｔａを経過した後で、低優先パケット抽出容量Ｃｌを、３０Ｍｂｐｓから２０Ｍｂｐｓに切り替える。
【０１８７】
なお、このとき、図１８に例示するように、低優先パケット抽出部５３２は、低優先パケット＃５を処理している途中である。この場合、低優先パケット抽出部５３２は、低優先パケット＃５のデータのうち、２回目の容量切替通知（容量ＨＯＬＤ通知）を受け付けた以後のデータについては、切り替え後の２０Ｍｂｐｓで抽出する。
【０１８８】
ここで、受信局６００の処理について説明する。時刻ｔ１１＋Ｔｄ＋Ｔａにおいて１回目の容量切替通知（容量ＵＰ通知）が送信局５００から受信局６００に対して送信されると、受信局６００の低優先パケット抽出部６３０は、その容量切替通知を受け付ける。低優先パケット抽出部６３０は、その受け付けた１回目の容量切替通知（容量ＵＰ通知）を、高優先パケット抽出部６２０に対して出力する。
【０１８９】
ここで、高優先パケット抽出部６２０は、容量切替通知を受け付けても、すぐにその容量切替通知に対応する切替処理を行わなくてもよく、次の容量切替通知を受け付けたときに、容量を切り替えることができるように必要な準備処理を行ってもよい。同様に、低優先パケット抽出部６３０は、容量切替通知を受け付けても、すぐにその容量切替通知に対応する切替処理を行わなくてもよく、次の容量切替通知を受け付けたときに、容量を切り替えることができるように必要な準備処理を行ってもよい。
【０１９０】
時刻ｔ１１＋Ｔｄ＋２Ｔａにおいて２回目の容量切替通知（容量ＨＯＬＤ通知）が送信局５００から受信局６００に対して送信されると、受信局６００の低優先パケット抽出部６３０は、その容量切替通知を受け付ける。低優先パケット抽出部６３０は、その受け付けた２回目の容量切替通知（容量ＨＯＬＤ通知）を、高優先パケット抽出部６２０に対して出力する。
【０１９１】
高優先パケット抽出部６２０は、２回目の容量切替通知を受け付けると、１回目の容量切替通知（容量ＵＰ通知）に基づいて、高優先パケット抽出容量Ｃｈを、２０Ｍｂｐｓから３０Ｍｂｐｓに切り替えてもよい。言い換えると、高優先パケット抽出部６２０は、容量切替通知を受け付けると、１つ前に受け付けていた容量切替通知に基づいて、高優先パケット抽出容量Ｃｈを切り替える。これにより、高優先パケット抽出部６２０は、図１８の時刻ｔ１１＋Ｔｄ＋２Ｔａで送信局５００から送信された高優先パケットを、３０Ｍｂｐｓで抽出することができる。
【０１９２】
また、低優先パケット抽出部６３０は、２回目の容量切替通知を受け付けると、１回目の容量切替通知に基づいて、低優先パケット抽出容量Ｃｌの切替処理を行ってもよい。ここで、１回目の容量切替通知は容量ＵＰ通知である。つまり、高優先パケット抽出容量Ｃｈは増加するので、それに伴って、低優先パケット抽出容量Ｃｌは減少することとなる。したがって、低優先パケット抽出部６３０は、低優先パケット抽出容量Ｃｌを、３０Ｍｂｐｓから２０Ｍｂｐｓに切り替える。言い換えると、低優先パケット抽出部６３０は、容量切替通知を受け付けると、１つ前に受け付けていた容量切替通知の切替とは逆になるように、低優先パケット抽出容量Ｃｌを切り替える。
【０１９３】
例えば、低優先パケット抽出部６３０は、１つ前に受け付けていた容量切替通知が容量ＵＰ通知の場合は、低優先パケット抽出容量Ｃｌを減少させるように切り替える。また、低優先パケット抽出部６３０は、１つ前に受け付けていた容量切替通知が容量ＤＯＷＮ通知の場合は、低優先パケット抽出容量Ｃｌを増加させるように切り替える。これにより、低優先パケット抽出部６３０は、図１８の時刻ｔ１１＋Ｔｄ＋２Ｔａで送信局５００から送信された低優先パケットを、２０Ｍｂｐｓで抽出することができる。
【０１９４】
さらに、時刻ｔ１１＋２Ｔａにおいてパケットヘッダ解析部５１０による高優先パケット受信量の２回目の測定が終了すると、パケットヘッダ解析部５１０は、３回目の計測を開始する。つまり、時刻ｔ１１＋２Ｔａから高優先パケット受信量測定期間Ｔａの間、パケットヘッダ解析部５１０は、３回目の高優先パケット受信量の測定を行う。具体的には、パケットヘッダ解析部５１０は、図１６に例示した３０Ｍｂｐｓの切替閾値である４０Ｍｂｐｓへの容量ＵＰ切替閾値及び２０Ｍｂｐｓへの容量ＤＯＷＮ切替閾値と、高優先パケット受信量とを比較する。そして、時刻ｔ１１＋３Ｔａにおいて、パケットヘッダ解析部５１０は、高優先パケット受信量が４０Ｍｂｐｓへの容量ＵＰ切替閾値以下であって２０Ｍｂｐｓへの容量ＤＯＷＮ切替閾値以上であると判断する。
【０１９５】
このとき、パケットヘッダ解析部５１０は、容量ＨＯＬＤ通知を、低優先パケットのデータ列に挿入する。このとき、低優先パケット抽出部５３２は、低優先パケット＃７を処理している途中であるが、その低優先パケット＃７に割り込んで、オーバーヘッドとして容量ＨＯＬＤ通知を挿入してもよい。したがって、図１８に例示するように、低優先パケット＃７は、容量ＨＯＬＤ通知を挟んで分割されてもよい。そして、時刻ｔ１１＋Ｔｄ＋３Ｔａにおいて、容量ＨＯＬＤ通知は、受信局６００に対して送信される。
【０１９６】
さらに、時刻ｔ１１＋３Ｔａにおいてパケットヘッダ解析部５１０が高優先パケット受信量が４０Ｍｂｐｓへの容量ＵＰ切替閾値以下であって２０Ｍｂｐｓへの容量ＤＯＷＮ切替閾値以上であると判断したとき、上述したように、パケットヘッダ解析部５１０は、高優先パケット抽出部５２２に対して、容量切替通知（容量ＨＯＬＤ通知）を出力する。また、このとき、パケットヘッダ解析部５１０は、低優先パケット抽出部５３２に対して、容量切替通知（容量ＨＯＬＤ通知）を出力する。
【０１９７】
ここで、２回目の容量切替通知は容量ＨＯＬＤ通知である。したがって、高優先パケット抽出部５２２は、３回目の容量切替通知（容量ＨＯＬＤ通知）を受け付けると、高優先パケット抽出容量Ｃｈを切り替えず、現在の容量（３０Ｍｂｐｓ）を維持する。同様に、低優先パケット抽出部５３２は、３回目の容量切替通知（容量ＨＯＬＤ通知）を受け付けると、低優先パケット抽出容量Ｃｌを切り替えず、現在の容量（２０Ｍｂｐｓ）を維持する。
【０１９８】
時刻ｔ１１＋Ｔｄ＋３Ｔａにおいて３回目の容量切替通知（容量ＨＯＬＤ通知）が送信局５００から受信局６００に対して送信されると、受信局６００の低優先パケット抽出部６３０は、その容量切替通知を受け付ける。低優先パケット抽出部６３０は、その受け付けた３回目の容量切替通知（容量ＨＯＬＤ通知）を、高優先パケット抽出部６２０に対して出力する。
【０１９９】
高優先パケット抽出部６２０は、３回目の容量切替通知を受け付けると、２回目の容量切替通知（容量ＨＯＬＤ通知）に基づいて、高優先パケット抽出容量Ｃｈを切り替えず、３０Ｍｂｐｓのまま維持する。同様に、低優先パケット抽出部６３０は、３回目の容量切替通知を受け付けると、２回目の容量切替通知（容量ＨＯＬＤ通知）に基づいて、低優先パケット抽出容量Ｃｌを切り替えず、２０Ｍｂｐｓのまま維持する。
【０２００】
このように、実施の形態３においては、送信局５００は、高優先パケット受信量を測定してから受信局６００に対して容量切替通知（例えば１回目の測定結果に対応する通知）を送信するときには、高優先パケット抽出容量Ｃｈを切り替えなくてもよい。そして、送信局５００は、次の容量切替通知（例えば２回目の測定結果に対応する通知）を送信するときに、前の容量切替通知（例えば１回目の測定結果に対応する通知）に対応する切替処理を行ってもよい。さらに、受信局６００でも同様に、容量切替通知（例えば１回目の測定結果に対応する通知）を受信しても、高優先パケット抽出容量Ｃｈを切り替えなくてもよい。そして、次の容量切替通知（例えば２回目の測定結果に対応する通知）を送信するときに、前の容量切替通知（例えば１回目の測定結果に対応する通知）に対応する切替処理を行ってもよい。
【０２０１】
言い換えれば、実施の形態３においては、次の容量切替通知を受け付けてから、１つ前の容量切替通知に基づいて、抽出容量を切り替えてもよい。このように構成することによって、受信局６００で、確実に、抽出容量を切り替えることができる。つまり、容量切替通知を受け付けてからすぐに抽出容量を切り替えるとすると、受信局６００において切替処理が間に合わず、抽出に失敗するおそれがあるからである。
【０２０２】
次に、実施の形態３にかかる送信局５００及び受信局６００の処理フローについて説明する。
図１９は、実施の形態３にかかる送信局５００の処理を示すフローチャートである。まず、送信局５００は、ネットワーク網からパケットを受信する（Ｓ５０２）。具体的には、図７のＳ１０２の処理と同様に、送信局５００のパケット受信部１０４は、データ回線６０を介して、ネットワーク網からパケットを受信する。
【０２０３】
次に、送信局５００は、受信されたパケットを、高優先パケットと低優先パケットとに振り分ける（Ｓ５０４）。具体的には、送信局５００のパケットヘッダ解析部５１０は、パケットのヘッダを解析し、受け付けたパケットが、高優先パケットであるか、低優先パケットであるかを判断する。そして、パケットヘッダ解析部５１０は、その判断結果に応じて、パケットを、高優先パケットと低優先パケットとに振り分ける。
【０２０４】
次に、送信局５００は、高優先パケットを高優先パケットキュー部１２０に格納し、低優先パケットを低優先パケットキュー部１３０に格納する（Ｓ５０６）。具体的には、高優先パケットキュー部１２０は、パケットヘッダ解析部５１０によって振り分けられた高優先パケットを、一時的に格納する。また、低優先パケットキュー部１３０は、パケットヘッダ解析部５１０によって振り分けられた低優先パケットを、一時的に格納する。
【０２０５】
次に、送信局５００は、高優先パケット抽出容量Ｃｈ及び低優先パケット抽出容量Ｃｌを切り替えるか否かを判断する（Ｓ５２０）。具体的には、上述したように、送信局５００のパケットヘッダ解析部５１０は、高優先パケット受信量測定期間Ｔａの間、高優先パケット受信量を計測する。そして、パケットヘッダ解析部５１０は、計測された高優先パケット受信量に応じて、高優先パケット抽出容量Ｃｈを切り替えるか否かを判断する。また、パケットヘッダ解析部５１０は、高優先パケット抽出容量Ｃｈの切り替えに伴って低優先パケット抽出容量Ｃｌを切り替えるか否かを判断する。
【０２０６】
高優先パケット抽出容量Ｃｈ及び低優先パケット抽出容量Ｃｌを切り替えると判断された場合（Ｓ５２０のＹＥＳ）、送信局５００は、高優先パケット抽出容量Ｃｈ及び低優先パケット抽出容量Ｃｌを切り替える（Ｓ５２２）。具体的には、上述したように、パケットヘッダ解析部５１０は、高優先パケット抽出容量Ｃｈ及び低優先パケット抽出容量Ｃｌを切り替えると判断した場合、容量ＵＰ通知又は容量ＤＯＷＮ通知である容量切替通知を、高優先パケット抽出部５２２及び低優先パケット抽出部５３２に対して出力する。
【０２０７】
例えば、高優先パケット受信量が増加して高優先パケット抽出容量Ｃｈを増加させると判断された場合に、パケットヘッダ解析部５１０は、容量ＵＰ通知を高優先パケット抽出部５２２に対して出力し、容量ＤＯＷＮ通知を低優先パケット抽出部５３２に対して出力する。また、例えば、高優先パケット受信量が減少して高優先パケット抽出容量Ｃｈを減少させると判断された場合に、パケットヘッダ解析部５１０は、容量ＤＯＷＮ通知を高優先パケット抽出部５２２に対して出力し、容量ＵＰ通知を低優先パケット抽出部５３２に対して出力する。
【０２０８】
そして、上述したように、高優先パケット抽出部５２２は、パケットヘッダ解析部５１０からの容量切替通知（容量ＵＰ通知又は容量ＤＯＷＮ通知）に応じて、高優先パケット抽出容量Ｃｈを切り替える。また、上述したように、低優先パケット抽出部５３２は、パケットヘッダ解析部５１０からの容量切替通知（容量ＵＰ通知又は容量ＤＯＷＮ通知）に応じて、低優先パケット抽出容量Ｃｌを切り替える。
【０２０９】
なお、上述したように、パケットヘッダ解析部５１０は、高優先パケット抽出容量Ｃｈを切り替えると判断した場合、容量ＵＰ通知又は容量ＤＯＷＮ通知である容量切替通知を、低優先パケットのデータ列に挿入する。これによって、容量ＵＰ通知又は容量ＤＯＷＮ通知である容量切替通知が、受信局６００に対して送信される。
【０２１０】
高優先パケット抽出容量Ｃｈ及び低優先パケット抽出容量Ｃｌを切り替えないと判断された場合（Ｓ５２０のＮＯ）、処理はＳ５０８に遷移する。このとき、パケットヘッダ解析部５１０は、容量ＨＯＬＤ通知である容量切替通知を、高優先パケット抽出部５２２及び低優先パケット抽出部５３２に対して出力する。高優先パケット抽出部５２２及び低優先パケット抽出部５３２は、容量ＨＯＬＤ通知に受け付けたことに伴い、抽出容量を切り替えない。
【０２１１】
次に、送信局５００は、高優先パケットを高優先パケット抽出容量Ｃｈで高優先パケットキュー部１２０から抽出し、低優先パケットを低優先パケット抽出容量Ｃｌで低優先パケットキュー部１３０から抽出する（Ｓ５０８）。具体的には、送信局５００の高優先パケット抽出部５２２は、高優先パケットキュー部１２０に格納された高優先パケットを、高優先パケット抽出容量Ｃｈで抽出する。また、送信局５００の低優先パケット抽出部５３２は、低優先パケットキュー部１３０に格納された低優先パケットを、低優先パケット抽出容量Ｃｌで抽出する。ここで、高優先パケット抽出部５２２による高優先パケットの抽出処理と、低優先パケット抽出部５３２による低優先パケットの抽出処理とは、並行して行われ得る。つまり、両方の抽出処理が、同時になされていてもよい。
【０２１２】
次に、送信局５００は、高優先パケットと低優先パケットとを並行して変調する（Ｓ５１０）。具体的には、送信局５００のシンボルマッピング部５４２は、高優先パケットと低優先パケットとを並行して変調する。このとき、シンボルマッピング部５４２は、高優先パケット抽出容量Ｃｈ及び低優先パケット抽出容量Ｃｌの大きさに応じて、１シンボルにマッピングするデータ量を設定する。つまり、Ｃｈ＞Ｃｌであれば、１シンボルにマッピングするデータ量は、高優先パケットの方が低優先パケットよりも大きい。一方、Ｃｈ＜Ｃｌであれば、１シンボルにマッピングするデータ量は、低優先パケットの方が高優先パケットよりも大きい。
【０２１３】
次に、送信局５００は、高優先パケット及び低優先パケットを受信局６００に対して送信する（Ｓ５１２）。具体的には、送信局５００の無線送信部１５０は、シンボルマッピング部５４２からの変調信号に対して、増幅等の無線送信に必要な処理を施す。そして、無線送信部１５０は、高優先パケット及び低優先パケットに対応するデータを含む無線信号を、受信局６００に対して無線送信する。
【０２１４】
図２０は、実施の形態３にかかる受信局６００の処理を示すフローチャートである。まず、受信局６００は、高優先パケット及び低優先パケットを送信局５００から受信する（Ｓ６０２）。具体的には、図８の２０２の処理と同様に、受信局６００の無線受信部２０４は、アンテナ２０２を介して、送信局５００から、高優先パケット及び低優先パケットに対応するデータを含む無線信号を受信する。
【０２１５】
次に、受信局６００は、高優先パケットと低優先パケットとを復調する（Ｓ６０４）。具体的には、図８の２０２の処理と同様に、受信局２００のシンボルデマッピング部２０６は、無線信号に含まれる受信シンボル（位相・振幅情報）から送信データを復元する。
【０２１６】
次に、受信局６００は、高優先パケット抽出容量Ｃｈ及び低優先パケット抽出容量Ｃｌを切り替えるか否かを判断する（Ｓ６２０）。具体的には、上述したように、低優先パケット抽出部６３０は、送信局５００から受信された低優先パケットのデータ列に容量切替通知が含まれている場合には、その容量切替通知を、高優先パケット抽出部６２０に対して出力する。
【０２１７】
高優先パケット抽出部６２０は、容量切替通知が容量ＵＰ通知又は容量ＤＯＷＮ通知であるか否かを判断する。そして、容量切替通知が容量ＵＰ通知である場合、高優先パケット抽出部６２０は、高優先パケット抽出容量Ｃｈを増加するように切り替えると判断する。また、容量切替通知が容量ＤＯＷＮ通知である場合、高優先パケット抽出部６２０は、高優先パケット抽出容量Ｃｈを減少するように切り替えると判断する。
【０２１８】
また、低優先パケット抽出部６３０は、容量切替通知が容量ＵＰ通知又は容量ＤＯＷＮ通知であるか否かを判断する。そして、容量切替通知が容量ＵＰ通知である場合、低優先パケット抽出部６３０は、低優先パケット抽出容量Ｃｌを減少するように切り替えると判断する。また、容量切替通知が容量ＤＯＷＮ通知である場合、低優先パケット抽出部６３０は、低優先パケット抽出容量Ｃｌを増加するように切り替えると判断する。
【０２１９】
高優先パケット抽出容量Ｃｈ及び低優先パケット抽出容量Ｃｌを切り替えると判断された場合（Ｓ６２０のＹＥＳ）、受信局６００は、高優先パケット抽出容量Ｃｈ及び低優先パケット抽出容量Ｃｌを切り替える（Ｓ６２２）。具体的には、上述したように、高優先パケット抽出部６２０は、容量切替通知が容量ＵＰ通知又は容量ＤＯＷＮ通知である場合に、高優先パケット抽出容量Ｃｈを切り替える。また、低優先パケット抽出部６３０は、容量切替通知が容量ＵＰ通知又は容量ＤＯＷＮ通知である場合に、低優先パケット抽出容量Ｃｌを切り替える。
【０２２０】
次に、受信局６００は、高優先パケットを高優先パケット抽出容量Ｃｈで抽出し、低優先パケットを低優先パケット抽出容量Ｃｌで抽出する（Ｓ６０６）。具体的には、上述したように、受信局６００の高優先パケット抽出部６２０は、高優先パケット抽出容量Ｃｈで、高優先パケットを抽出する。また、受信局６００の低優先パケット抽出部６３０は、低優先パケット抽出容量Ｃｌで、低優先パケットを抽出する。ここで、高優先パケット抽出部６２０による高優先パケットの抽出処理と、低優先パケット抽出部６３０による低優先パケットの抽出処理とは、並行して行われる。つまり、両方の抽出処理が、同時になされていてもよい。
【０２２１】
次に、受信局６００は、パケットをネットワーク網に対して送信する（Ｓ６０８）。具体的には、上述したように、受信局６００のパケット送信部２４０は、高優先パケット及び低優先パケットを含むパケットを、データ回線７０を介して、ネットワーク網に対して送信する。
【０２２２】
上述したように、実施の形態３においては、高優先パケット受信量に応じて、高優先パケット抽出容量Ｃｈを切り替えるので、高優先パケット受信量が増加した場合でも、高優先パケットの滞留を抑制できる。したがって、高優先パケットの伝送遅延の長さの変動を、より確実に抑制することができる。
【０２２３】
なお、上述した実施の形態３においては、送信局５００から受信局６００に対して容量切替通知を伝送する際に、低優先パケットに挿入するとしたが、このような構成に限られない。例えば、容量切替通知は、他の無線回線を介して送信局５００から受信局６００に伝送されるようにしてもよい。ただし、容量切替通知を低優先パケットに挿入することによって、このような無線回線を別途設ける必要はなくなる。また、容量切替通知を高優先パケットに挿入してもよいが、この場合、容量切替通知のデータ量に応じて、高優先パケットの伝送遅延の長さが変動する可能性がある。したがって、容量切替通知を低優先パケットに挿入することによって、高優先パケットの伝送遅延の長さを変動させることはなくなる。
【０２２４】
［実施の形態４］
次に実施の形態４について説明する。実施の形態４においては、ネットワーク網が複数ある点で、他の実施の形態と異なる。なお、実施の形態４においては、図２の送信局１００が送信局７００に置き換えられ、受信局２００が受信局８００に置き換えられている。つまり、実施の形態４においては、送信局７００と受信局８００とが、無線回線を介して無線通信可能に接続されており、送信局７００から受信局８００に対して、パケット等のユーザデータが伝送される。また、以下に説明する実施の形態４においては、ネットワーク網が２つあるとしているが、ネットワーク網は３つ以上であってもよい。
【０２２５】
図２１は、実施の形態４にかかる送信局７００の構成を示す図である。送信局７００は、アンテナ１０２、パケット受信部Ａ７０４Ａ、パケット受信部Ｂ７０４Ｂ、パケットヘッダ解析部Ａ７１０Ａ、パケットヘッダ解析部Ｂ７１０Ｂ、ネットワーク識別子付与部７１２、高優先パケットキュー部Ａ７２０Ａ、高優先パケットキュー部Ｂ７２０Ｂ、高優先パケット抽出部Ａ７２２Ａ、高優先パケット抽出部Ｂ７２２Ｂ、低優先パケットキュー部１３０、低優先パケット抽出部１３２、ＦＥＣ符号化部１４０、シンボルマッピング部７４２、及び無線送信部１５０を有する。
【０２２６】
ここで、パケット受信部Ａ７０４Ａ、パケットヘッダ解析部Ａ７１０Ａ、高優先パケットキュー部Ａ７２０Ａ及び高優先パケット抽出部Ａ７２２Ａは、ネットワーク網Ａからのパケットを処理する。また、パケット受信部Ｂ７０４Ｂ、パケットヘッダ解析部Ｂ７１０Ｂ、高優先パケットキュー部Ｂ７２０Ｂ及び高優先パケット抽出部Ｂ７２２Ｂは、ネットワーク網Ｂからのパケットを処理する。つまり、ネットワーク網Ａからのパケットと、ネットワーク網Ｂからのパケットとは、互いに独立して、並行して処理される。なお、ネットワーク網Ａ及びネットワーク網Ｂは、互いに非同期であってもよい。
【０２２７】
パケット受信部Ａ７０４Ａは、データ回線６０を介して、ネットワーク網Ａからパケットを受信する。さらに、パケット受信部Ａ７０４Ａは、受信したパケットを、パケットヘッダ解析部Ａ７１０Ａに対して出力する。
パケット受信部Ｂ７０４Ｂは、データ回線６０を介して、ネットワーク網Ｂからパケットを受信する。さらに、パケット受信部Ｂ７０４Ｂは、受信したパケットを、パケットヘッダ解析部Ｂ７１０Ｂに対して出力する。
【０２２８】
パケットヘッダ解析部Ａ７１０Ａは、実施の形態１にかかるパケットヘッダ解析部１１０と同様の機能を有している。つまり、パケットヘッダ解析部Ａ７１０Ａは、パケットヘッダ解析部１１０と同様に、パケット受信部Ａ７０４Ａから受け付けた、ネットワーク網Ａからのパケットのヘッダ（パケットヘッダ）を解析する。そして、パケットヘッダ解析部Ａ７１０Ａは、パケットのヘッダを解析することにより、受け付けたパケットが、高優先パケットであるか、低優先パケットであるかを判断する。
【０２２９】
また、パケットヘッダ解析部Ａ７１０Ａは、パケットヘッダ解析部１１０と同様に、ネットワーク網Ａからのパケットを、高優先パケットと低優先パケットとに振り分ける。また、パケットヘッダ解析部Ａ７１０Ａは、振り分けられた高優先パケットを、高優先パケットキュー部Ａ７２０Ａに対して出力する。また、パケットヘッダ解析部Ａ７１０Ａは、振り分けられた低優先パケットを、ネットワーク識別子付与部７１２に対して出力する。
【０２３０】
パケットヘッダ解析部Ｂ７１０Ｂは、実施の形態１にかかるパケットヘッダ解析部１１０と同様の機能を有している。つまり、パケットヘッダ解析部Ｂ７１０Ｂは、パケットヘッダ解析部１１０と同様に、パケット受信部Ｂ７０４Ｂから受け付けた、ネットワーク網Ｂからのパケットのヘッダ（パケットヘッダ）を解析する。そして、パケットヘッダ解析部Ｂ７１０Ｂは、パケットのヘッダを解析することにより、受け付けたパケットが、高優先パケットであるか、低優先パケットであるかを判断する。
【０２３１】
また、パケットヘッダ解析部Ｂ７１０Ｂは、パケットヘッダ解析部１１０と同様に、ネットワーク網Ｂからのパケットを、高優先パケットと低優先パケットとに振り分ける。また、パケットヘッダ解析部Ｂ７１０Ｂは、振り分けられた高優先パケットを、高優先パケットキュー部Ｂ７２０Ｂに対して出力する。また、パケットヘッダ解析部Ｂ７１０Ｂは、振り分けられた低優先パケットを、ネットワーク識別子付与部７１２に対して出力する。
【０２３２】
ネットワーク識別子付与部７１２は、パケットヘッダ解析部Ａ７１０Ａから受け付けた低優先パケットに、ネットワーク網Ａからのパケットであることを示す識別子（識別子Ａ）を付与する。同様に、ネットワーク識別子付与部７１２は、パケットヘッダ解析部Ｂ７１０Ｂから受け付けた低優先パケットに、ネットワーク網Ｂからのパケットであることを示す識別子（識別子Ｂ）を付与する。さらに、ネットワーク識別子付与部７１２は、識別子Ａ又は識別子Ｂを付与された低優先パケットを、低優先パケットキュー部１３０に対して出力する。なお、ネットワーク識別子付与部７１２は、識別子Ａ又は識別子Ｂを、パケットヘッダの予め定められた領域に付与するようにしてもよい。
【０２３３】
高優先パケットキュー部Ａ７２０Ａは、パケットヘッダ解析部Ａ７１０Ａによって振り分けられた高優先パケット（高優先パケットＡ）を、一時的に格納する。
高優先パケット抽出部Ａ７２２Ａは、高優先パケットキュー部Ａ７２０Ａに格納された高優先パケットＡを、高優先パケット抽出部Ａ７２２Ａに設定された抽出容量（高優先パケットＡ抽出容量）ＣｈＡで抽出する。さらに、高優先パケット抽出部Ａ７２２Ａは、抽出した高優先パケットＡを、ＦＥＣ符号化部１４０に対して出力する。
【０２３４】
なお、高優先パケットＡ抽出容量ＣｈＡは、単位時間あたりのデータ量（単位は例えば［Ｍｂｐｓ］）であって、高優先パケットキュー部Ａ７２０Ａにおいて高優先パケットＡが滞留せず、高優先パケットＡの送信待ち状態が発生しないような容量である。高優先パケットＡ抽出容量ＣｈＡは、実施の形態１のように、システムの管理者が任意に設定してもよいし、実施の形態３のように、高優先パケットＡの受信量に応じて、自動的に設定されるようにしてもよい。
【０２３５】
高優先パケットキュー部Ｂ７２０Ｂは、パケットヘッダ解析部Ｂ７１０Ｂによって振り分けられた高優先パケット（高優先パケットＢ）を、一時的に格納する。
高優先パケット抽出部Ｂ７２２Ｂは、高優先パケットキュー部Ｂ７２０Ｂに格納された高優先パケットＢを、高優先パケット抽出部Ｂ７２２Ｂに設定された抽出容量（高優先パケットＢ抽出容量）ＣｈＢで抽出する。さらに、高優先パケット抽出部Ｂ７２２Ｂは、抽出した高優先パケットＢを、ＦＥＣ符号化部１４０に対して出力する。
【０２３６】
なお、高優先パケットＢ抽出容量ＣｈＢは、単位時間あたりのデータ量（単位は例えば［Ｍｂｐｓ］）であって、高優先パケットキュー部Ｂ７２０Ｂにおいて高優先パケットＢが滞留せず、高優先パケットＢの送信待ち状態が発生しないような容量である。高優先パケットＢ抽出容量ＣｈＢは、実施の形態１のように、システムの管理者が任意に設定してもよいし、実施の形態３のように、高優先パケットＢの受信量に応じて、自動的に設定されるようにしてもよい。
【０２３７】
また、低優先パケット抽出容量Ｃｌは、送信局７００に設定された伝送容量（無線帯域）Ｃと、高優先パケットＡ抽出容量ＣｈＡと、高優先パケットＢ抽出容量ＣｈＢとから定まる抽出容量であってもよい。例えば、Ｃｌ＝Ｃ−ＣｈＡ−ＣｈＢであってもよいし、Ｃｌ＝Ｃ−ＣｈＡ−ＣｈＢ−α（αは０以上の定数）であってもよい。
【０２３８】
シンボルマッピング部７４２は、高優先パケットＡ抽出容量ＣｈＡに対応するレートで高優先パケットＡを受け付ける。また、シンボルマッピング部７４２は、高優先パケットＢ抽出容量ＣｈＢに対応するレートで高優先パケットＢを受け付ける。同様に、シンボルマッピング部７４２は、低優先パケット抽出容量Ｃｌに対応するレートで低優先パケットを受け付ける。
【０２３９】
ここで、上述したように、高優先パケット抽出部Ａ７２２Ａの処理、高優先パケット抽出部Ｂ７２２Ｂの処理及び低優先パケット抽出部１３２の処理は、互いに独立して、並行して行われる。したがって、シンボルマッピング部７４２は、高優先パケットＡと高優先パケットＢと低優先パケットとを、それぞれ上述したレートで、並行して受け付ける。そして、シンボルマッピング部７４２は、高優先パケットＡと高優先パケットＢと低優先パケットとを並行して変調し、変調信号を生成する。そして、シンボルマッピング部７４２は、高優先パケットＡと高優先パケットＢと低優先パケットとが変調されて得られた変調信号を、無線送信部１５０に対して出力する。
【０２４０】
具体的には、シンボルマッピング部７４２は、１つのシンボルについて、高優先パケットＡ抽出容量ＣｈＡと高優先パケットＢ抽出容量ＣｈＢと低優先パケット抽出容量Ｃｌとに応じて、高優先パケットＡに対応するデータと高優先パケットＢに対応するデータと低優先パケットに対応するデータとを、組み合わせてマッピングする。つまり、高優先パケットＡ抽出容量ＣｈＡと高優先パケットＢ抽出容量ＣｈＢと低優先パケット抽出容量Ｃｌとの大小に応じて、１シンボルにマッピングするデータ量を設定してもよい。
【０２４１】
例えば、変調方式が６４ＱＡＭである場合を想定する。６４ＱＡＭでは１シンボルあたりのビット数は６ビットである。
また、高優先パケットＡ抽出容量ＣｈＡを２０Ｍｂｐｓ、高優先パケットＢ抽出容量ＣｈＢを２０Ｍｂｐｓ、低優先パケット抽出容量Ｃｌを２０Ｍｂｐｓであるとする。このとき、ＣｈＡ：ＣｈＢ：Ｃｌ＝２０：２０：２０＝１：１：１である。したがって、シンボルマッピング部７４２は、１シンボルあたりのビット数（６ビット）のうち、先頭から２ビットに対して、高優先パケットＡに対応するデータをマッピングし、次の２ビットに対して、高優先パケットＢに対応するデータをマッピングし、次の２ビットに対して、低優先パケットに対応するデータをマッピングする。これによって、高優先パケットＡについて、伝送容量ＣｈＡ（２０Ｍｂｐｓ）が確保される。また、高優先パケットＢについて、伝送容量ＣｈＢ（２０Ｍｂｐｓ）が確保される。同様に、低優先パケットについて、伝送容量Ｃｌ（２０Ｍｂｐｓ）が確保される。
【０２４２】
つまり、本実施の形態においては、高優先パケットＡについての処理と、高優先パケットＢについての処理と、低優先パケットについての処理とが、互いに独立して、別個に行われる。言い換えれば、高優先パケットＡについての処理が終了した後で高優先パケットＢの処理が開始され、高優先パケットＢについての処理が終了した後で低優先パケットについての処理が開始され、さらに低優先パケットについての処理が終了した後で高優先パケットについての処理が開始されるのではなく、低優先パケットについての処理がなされている間に、高優先パケットＡについての処理及び高優先パケットＢについての処理も並行して行われ得る。
【０２４３】
図２２は、実施の形態４において、送信局７００の無線帯域（伝送容量）に、高優先パケットＡ、高優先パケットＢ及び低優先パケットが多重化される状態を説明するための概念図である。以下、便宜上、高優先パケットＡについての処理と、高優先パケットＢについての処理と、低優先パケットについての処理とを分けて説明するが、それぞれの処理は、同時並行して実行され得る。なお、以下、高優先パケットＡ＃１〜Ａ＃３、高優先パケットＢ＃１〜Ｂ＃３及び低優先パケット＃１〜＃５のサイズをＰｋ［Ｍｂｉｔ］とするが、各パケットのサイズは一定でなくてもよい。以下、図２２を用いて、主に高優先パケット（高優先パケットＡ及び高優先パケットＢ）の処理について説明する。なお、低優先パケットの処理について、上述した実施の形態と同様である内容については説明を省略する。
【０２４４】
時刻ｔ１１において、高優先パケットキュー部Ａ７２０Ａは、高優先パケットＡ＃１の格納を開始する。そして、高優先パケットＡ＃１の格納が開始されると、高優先パケット抽出部Ａ７２２Ａによって高優先パケットＡ＃１が高優先パケットＡ抽出容量ＣｈＡで抽出される。そして、ＦＥＣ符号化部１４０の処理を経て、上述したようにシンボルマッピング部７４２によって伝送容量ＣｈＡが確保されるように高優先パケットＡ＃１が変調される。そして、時刻ｔ１１＋Ｔｄにおいて、無線送信部１５０は、無線帯域を使用して、伝送容量ＣｈＡで、高優先パケットＡ＃１の送信を開始する。さらに、時刻ｔ１１＋Ｔｄ＋Ｐｋ／ＣｈＡにおいて、無線送信部１５０は、高優先パケットＡ＃１の送信を終了する。
【０２４５】
一方、時刻ｔ２１において、高優先パケットキュー部Ｂ７２０Ｂは、高優先パケットＢ＃１の格納を開始する。そして、高優先パケットＢ＃１の格納が開始されると、高優先パケット抽出部Ｂ７２２Ｂによって高優先パケットＢ＃１が高優先パケットＢ抽出容量ＣｈＢで抽出される。そして、ＦＥＣ符号化部１４０の処理を経て、上述したようにシンボルマッピング部７４２によって伝送容量ＣｈＢが確保されるように高優先パケットＢ＃１が変調される。そして、時刻ｔ２１＋Ｔｄにおいて、無線送信部１５０は、無線帯域を使用して、伝送容量ＣｈＢで、高優先パケットＢ＃１の送信を開始する。さらに、時刻ｔ２１＋Ｔｄ＋Ｐｋ／ＣｈＢにおいて、無線送信部１５０は、高優先パケットＢ＃１の送信を終了する。
【０２４６】
つまり、高優先パケットＡ＃１、高優先パケットＢ＃１及び低優先パケット＃１は、同時並行に処理され得るので、高優先パケットＡ＃１、高優先パケットＢ＃１及び低優先パケット＃１は、同時並行に無線帯域に多重化され、同時並行に受信局８００に対して送信され得る。
【０２４７】
一方、時刻ｔ１２において、高優先パケットキュー部Ａ７２０Ａは、高優先パケットＡ＃２の格納を開始する。ここで、上述したように、高優先パケット抽出部Ａ７２２Ａに設定された高優先パケットＡ抽出容量ＣｈＡは、高優先パケットキュー部Ａ７２０Ａにおいて高優先パケットＡが滞留しないような容量である。したがって、高優先パケットＡ＃２の格納が開始されるときに、高優先パケットＡ＃１の抽出は終了しているので、高優先パケットＡ＃２の抽出が可能である。さらに、高優先パケットＡについての処理と、高優先パケットＢについての処理と低優先パケットについての処理とが互いに独立して別個に行われる。したがって、高優先パケットＡ＃２の格納が開始されると、高優先パケット抽出部Ａ７２２Ａは、高優先パケットＢについての処理及び低優先パケットについての処理に関わらず、高優先パケットＡ＃２を高優先パケットＡ抽出容量ＣｈＡで抽出する。
【０２４８】
そして、高優先パケット抽出部Ａ７２２Ａによって高優先パケットＡ＃２が抽出されると、ＦＥＣ符号化部１４０の処理を経て、上述したようにシンボルマッピング部３４２によって伝送容量ＣｈＡが確保されるように高優先パケットＡ＃２が変調される。そして、時刻ｔ１２＋Ｔｄにおいて、無線送信部１５０は、無線帯域を使用して、伝送容量ＣｈＡで、高優先パケットＡ＃２の送信を開始する。
【０２４９】
このとき、高優先パケットＡが滞留しないように高優先パケットＡ抽出容量ＣｈＡが設定されることによって、時刻ｔ１２＋Ｔｄは、時刻ｔ１１＋Ｔｄ＋Ｐｋ／ＣｈＡよりも後になる。つまり、高優先パケットＡ＃１及び高優先パケットＡ＃２は、ともに、一定の伝送遅延時間Ｔｄで伝送されることとなる。
さらに、時刻ｔ１２＋Ｔｄ＋Ｐｋ／ＣｈＡにおいて、無線送信部１５０は、高優先パケットＡ＃２の送信を終了する。
【０２５０】
同様に、時刻ｔ２２において、高優先パケットキュー部Ｂ７２０Ｂは、高優先パケットＢ＃２の格納を開始する。ここで、上述したように、高優先パケット抽出部Ｂ７２２Ｂに設定された高優先パケットＢ抽出容量ＣｈＢは、高優先パケットキュー部Ｂ７２０Ｂにおいて高優先パケットＢが滞留しないような容量である。したがって、高優先パケットＢ＃２の格納が開始されるときに、高優先パケットＢ＃１の抽出は終了しているので、高優先パケットＢ＃２の抽出が可能である。さらに、高優先パケットＡについての処理と、高優先パケットＢについての処理と低優先パケットについての処理とが互いに独立して別個に行われる。したがって、高優先パケットＢ＃２の格納が開始されると、高優先パケット抽出部Ｂ７２２Ｂは、高優先パケットＡについての処理及び低優先パケットについての処理に関わらず、高優先パケットＢ＃２を高優先パケットＢ抽出容量ＣｈＢで抽出する。
【０２５１】
そして、高優先パケット抽出部Ｂ７２２Ｂによって高優先パケットＢ＃２が抽出されると、ＦＥＣ符号化部１４０の処理を経て、上述したようにシンボルマッピング部３４２によって伝送容量ＣｈＢが確保されるように高優先パケットＢ＃２が変調される。そして、時刻ｔ２２＋Ｔｄにおいて、無線送信部１５０は、無線帯域を使用して、伝送容量ＣｈＢで、高優先パケットＢ＃２の送信を開始する。
【０２５２】
このとき、高優先パケットＢが滞留しないように高優先パケットＢ抽出容量ＣｈＢが設定されることによって、時刻ｔ２２＋Ｔｄは、時刻ｔ２１＋Ｔｄ＋Ｐｋ／ＣｈＢよりも後になる。つまり、高優先パケットＢ＃１及び高優先パケットＢ＃２は、ともに、一定の伝送遅延時間Ｔｄで伝送されることとなる。
さらに、時刻ｔ２２＋Ｔｄ＋Ｐｋ／ＣｈＢにおいて、無線送信部１５０は、高優先パケットＢ＃２の送信を終了する。
【０２５３】
このように、実施の形態４においては、高優先パケットＡと高優先パケットＢと低優先パケットとをそれぞれ別個に抽出して、高優先パケットＡと高優先パケットＢと低優先パケットとにそれぞれ設定された容量（レート）で高優先パケットＡと高優先パケットＢと低優先パケットとを多重化する。言い換えれば、実施の形態４においては、無線帯域（伝送容量Ｃ）のうち、高優先パケットＡについては伝送容量ＣｈＡを用いて送信され、高優先パケットＢについては伝送容量ＣｈＡを用いて送信され、低優先パケットについては伝送容量Ｃｌを用いて送信される。つまり、高優先パケットＡ、高優先パケットＢ及び低優先パケットそれぞれについて、専用の帯域が設けられている。
【０２５４】
これにより、低優先パケットの処理状態に関わらず、高優先パケットＡの滞留を抑制することができる。さらに、高優先パケットＢの滞留をも抑制することができる。したがって、複数のネットワーク網それぞれについての高優先パケットの伝送遅延の長さの変動を抑制することができる。
【０２５５】
図２３は、実施の形態４にかかる受信局８００の構成を示す図である。受信局８００は、アンテナ２０２、無線受信部２０４、シンボルデマッピング部２０６、ＦＥＣ復号化部２０８、高優先パケット抽出部Ａ８２０Ａ、高優先パケット抽出部Ｂ８２０Ｂ、低優先パケット抽出部２３０、低優先パケットキュー部８３２、ネットワーク識別子削除部８３４、パケット送信部Ａ８４０Ａ及びパケット送信部Ｂ８４０Ｂを有する。
【０２５６】
高優先パケット抽出部Ａ８２０Ａは、送信局７００の高優先パケット抽出部Ａ７２２Ａに設定された高優先パケットＡ抽出容量ＣｈＡで、ＦＥＣ復号化部２０８から高優先パケットＡを抽出する。さらに、高優先パケット抽出部Ａ８２０Ａは、抽出された高優先パケットＡを、パケット送信部Ａ８４０Ａに対して出力する。
【０２５７】
上述したように、送信局７００のシンボルマッピング部７４２によって、高優先パケットＡは、１つのシンボルにおいて、先頭からＣｈＡに対応するビット数（上述した例では先頭から２ビット）にマッピングされている。したがって、高優先パケット抽出部Ａ８２０Ａは、ＦＥＣ復号化部２０８によって復号された送信データのうち、シンボルマッピング部７４２においてマッピングされたシンボルの、先頭からＣｈＡに対応するビット数に相当するデータを抽出する。これによって、高優先パケット抽出部Ａ８２０Ａは、高優先パケットＡ抽出容量ＣｈＡで、高優先パケットＡを抽出する。
【０２５８】
高優先パケット抽出部Ｂ８２０Ｂは、送信局７００の高優先パケット抽出部Ｂ７２２Ｂに設定された高優先パケットＢ抽出容量ＣｈＢで、ＦＥＣ復号化部２０８から高優先パケットＢを抽出する。さらに、高優先パケット抽出部Ｂ８２０Ｂは、抽出された高優先パケットＢを、パケット送信部Ｂ８４０Ｂに対して出力する。
【０２５９】
上述したように、送信局７００のシンボルマッピング部７４２によって、高優先パケットＢは、１つのシンボルにおいて、高優先パケットＡに相当するデータの次からＣｈＢに対応するビット数（上述した例では、３ビット目から４ビット目までの２ビット）にマッピングされている。したがって、高優先パケット抽出部Ｂ８２０Ｂは、ＦＥＣ復号化部２０８によって復号された送信データのうち、シンボルマッピング部７４２においてマッピングされたシンボルの、高優先パケットＡに相当するデータの次からＣｈＢに対応するビット数に相当するデータを抽出する。これによって、高優先パケット抽出部Ｂ８２０Ｂは、高優先パケットＢ抽出容量ＣｈＢで、高優先パケットＢを抽出する。
【０２６０】
低優先パケットキュー部８３２は、低優先パケット抽出部２３０から低優先パケットを受け付ける。また、低優先パケットキュー部８３２は、低優先パケットを、一時的に格納する。そして、低優先パケットキュー部８３２は、パケット送信部Ａ８４０Ａが高優先パケットＡをネットワーク網Ａに対して送信していない状態のときに、パケット送信部Ａ８４０Ａに対して、識別子Ａが付与された低優先パケットを出力する。また、低優先パケットキュー部８３２は、パケット送信部Ｂ８４０Ｂが高優先パケットＢをネットワーク網Ｂに対して送信していない状態のときに、パケット送信部Ｂ８４０Ｂに対して、識別子Ｂが付与された低優先パケットを出力する。
【０２６１】
ネットワーク識別子削除部８３４は、低優先パケットキュー部８３２がパケット送信部Ａ８４０Ａに対して識別子Ａが付与された低優先パケットを出力するときに、低優先パケットから識別子Ａを削除する。これにより、パケット送信部Ａ８４０Ａは、ネットワーク網Ａからの低優先パケット（識別子Ａが削除されたもの）を受け付ける。
【０２６２】
同様に、ネットワーク識別子削除部８３４は、低優先パケットキュー部８３２がパケット送信部Ｂ８４０Ｂに対して識別子Ｂが付与された低優先パケットを出力するときに、低優先パケットから識別子Ｂを削除する。これにより、パケット送信部Ｂ８４０Ｂは、ネットワーク網Ｂからの低優先パケット（識別子Ｂが削除されたもの）を受け付ける。
【０２６３】
パケット送信部Ａ８４０Ａは、高優先パケット抽出部Ａ８２０Ａから高優先パケットＡを受け付ける。そして、パケット送信部Ａ８４０Ａは、高優先パケットＡを、データ回線７０を介して、ネットワーク網Ａに対して送信する。このとき、パケット送信部Ａ８４０Ａは、高優先パケットＡを優先的に送信する。つまり、パケット送信部Ａ８４０Ａは、低優先パケットよりも優先的に高優先パケットＡを送信し、高優先パケットＡを送信し終わったときに、低優先パケットキュー部８３２から低優先パケットを取り出す。そして、パケット送信部Ａ８４０Ａは、低優先パケットを、データ回線７０を介して、ネットワーク網Ａに対して送信する。
【０２６４】
パケット送信部Ｂ８４０Ｂは、高優先パケット抽出部Ｂ８２０Ｂから高優先パケットＢを受け付ける。そして、パケット送信部Ｂ８４０Ｂは、高優先パケットＢを、データ回線７０を介して、ネットワーク網Ｂに対して送信する。このとき、パケット送信部Ｂ８４０Ｂは、高優先パケットＢを優先的に送信する。つまり、パケット送信部Ｂ８４０Ｂは、低優先パケットよりも優先的に高優先パケットＢを送信し、高優先パケットＢを送信し終わったときに、低優先パケットキュー部８３２から低優先パケットを取り出す。そして、パケット送信部Ｂ８４０Ｂは、低優先パケットを、データ回線７０を介して、ネットワーク網Ｂに対して送信する。
【０２６５】
次に、実施の形態４にかかる送信局７００及び受信局８００の処理フローについて説明する。
図２４は、実施の形態４にかかる送信局７００の処理を示すフローチャートである。まず、送信局７００は、ネットワーク網Ａ及びネットワーク網Ｂからパケットを受信する（Ｓ７０２）。具体的には、送信局７００のパケット受信部Ａ７０４Ａは、データ回線６０を介して、ネットワーク網Ａからパケットを受信する。また、送信局７００のパケット受信部Ｂ７０４Ｂは、データ回線６０を介して、ネットワーク網Ｂからパケットを受信する。
【０２６６】
次に、送信局７００は、受信されたパケットを、高優先パケットＡ又は高優先パケットＢと低優先パケットとに振り分ける（Ｓ７０４）。具体的には、送信局７００のパケットヘッダ解析部Ａ７１０Ａは、パケットのヘッダを解析し、受け付けたパケットが、高優先パケットＡであるか、低優先パケットであるかを判断する。そして、パケットヘッダ解析部Ａ７１０Ａは、その判断結果に応じて、パケットを、高優先パケットＡと低優先パケットとに振り分ける。同様に、パケットヘッダ解析部Ｂ７１０Ｂは、パケットのヘッダを解析し、受け付けたパケットが、高優先パケットＢであるか、低優先パケットであるかを判断する。そして、パケットヘッダ解析部Ｂ７１０Ｂは、その判断結果に応じて、パケットを、高優先パケットＢと低優先パケットとに振り分ける。
【０２６７】
次に、送信局７００は、高優先パケットＡを高優先パケットキュー部Ａ７２０Ａに格納し、高優先パケットＢを高優先パケットキュー部Ｂ７２０Ｂに格納し、低優先パケットを低優先パケットキュー部１３０に格納する（Ｓ７０６）。具体的には、高優先パケットキュー部Ａ７２０Ａは、パケットヘッダ解析部Ａ７１０Ａによって振り分けられた高優先パケットＡを、一時的に格納する。また、高優先パケットキュー部Ｂ７２０Ｂは、パケットヘッダ解析部Ｂ７１０Ｂによって振り分けられた高優先パケットＢを、一時的に格納する。さらに、低優先パケットキュー部１３０は、パケットヘッダ解析部Ａ７１０Ａ又はパケットヘッダ解析部Ｂ７１０Ｂによって振り分けられた低優先パケットを、一時的に格納する。
【０２６８】
次に、送信局７００は、高優先パケットＡを高優先パケットＡ抽出容量ＣｈＡで高優先パケットキュー部Ａ７２０Ａから抽出し、高優先パケットＢを高優先パケットＢ抽出容量ＣｈＢで高優先パケットキュー部Ｂ７２０Ｂから抽出し、低優先パケットを低優先パケット抽出容量Ｃｌで低優先パケットキュー部１３０から抽出する（Ｓ７０８）。具体的には、送信局７００の高優先パケット抽出部Ａ７２２Ａは、高優先パケットキュー部Ａ７２０Ａに格納された高優先パケットＡを、高優先パケットＡ抽出容量ＣｈＡで抽出する。また、高優先パケット抽出部Ｂ７２２Ｂは、高優先パケットキュー部Ｂ７２０Ｂに格納された高優先パケットＢを、高優先パケットＢ抽出容量ＣｈＢで抽出する。
【０２６９】
さらに、送信局７００の低優先パケット抽出部１３２は、低優先パケットキュー部１３０に格納された低優先パケットを、低優先パケット抽出容量Ｃｌで抽出する。ここで、高優先パケット抽出部Ａ７２２Ａによる高優先パケットＡの抽出処理と、高優先パケット抽出部Ｂ７２２Ｂによる高優先パケットＢの抽出処理と、低優先パケット抽出部１３２による低優先パケットの抽出処理とは、並行して行われ得る。つまり、それぞれの抽出処理が、同時になされていてもよい。
【０２７０】
次に、送信局７００は、高優先パケットＡと高優先パケットＢと低優先パケットとを並行して変調する（Ｓ７１０）。具体的には、送信局７００のシンボルマッピング部７４２は、高優先パケットＡと高優先パケットＢと低優先パケットとを並行して変調する。このとき、シンボルマッピング部７４２は、高優先パケットＡ抽出容量ＣｈＡ、高優先パケットＢ抽出容量ＣｈＢ及び低優先パケット抽出容量Ｃｌの大きさに応じて、１シンボルにマッピングするデータ量を設定する。つまり、ＣｈＡ＞ＣｈＢ＞Ｃｌであれば、１シンボルにマッピングするデータ量は、高優先パケットＡの方が高優先パケットＢよりも大きく、高優先パケットＢの方が低優先パケットよりも大きい。
【０２７１】
次に、送信局７００は、高優先パケットＡ、高優先パケットＢ及び低優先パケットを受信局８００に対して送信する（Ｓ７１２）。具体的には、送信局７００の無線送信部１５０は、シンボルマッピング部７４２からの変調信号に対して、増幅等の無線送信に必要な処理を施す。そして、無線送信部１５０は、高優先パケットＡ、高優先パケットＢ及び低優先パケットに対応するデータを含む無線信号を、受信局８００に対して無線送信する。
【０２７２】
図２５は、実施の形態４にかかる受信局８００の処理を示すフローチャートである。まず、受信局８００は、高優先パケットＡ、高優先パケットＢ及び低優先パケットを送信局７００から受信する（Ｓ８０２）。具体的には、受信局８００の無線受信部２０４は、アンテナ２０２を介して、送信局７００から、高優先パケットＡ、高優先パケットＢ及び低優先パケットに対応するデータを含む無線信号を受信する。
【０２７３】
次に、受信局８００は、高優先パケットＡと高優先パケットＢと低優先パケットとを復調する（Ｓ８０４）。具体的には、受信局８００のシンボルデマッピング部２０６は、無線信号に含まれる受信シンボル（位相・振幅情報）から送信データを復元する。
【０２７４】
次に、受信局８００は、高優先パケットＡを高優先パケットＡ抽出容量ＣｈＡで抽出し、高優先パケットＢを高優先パケットＢ抽出容量ＣｈＢで抽出し、低優先パケットを低優先パケット抽出容量Ｃｌで抽出する（Ｓ８０６）。具体的には、受信局８００の高優先パケット抽出部Ａ８２０Ａは、高優先パケットＡ抽出容量ＣｈＡで、高優先パケットＡを抽出する。また、受信局８００の高優先パケット抽出部Ｂ８２０Ｂは、高優先パケットＢ抽出容量ＣｈＢで、高優先パケットＢを抽出する。
【０２７５】
さらに、受信局８００の低優先パケット抽出部２３０は、低優先パケット抽出容量Ｃｌで、低優先パケットを抽出する。ここで、高優先パケット抽出部Ａ８２０Ａによる高優先パケットＡの抽出処理と、高優先パケット抽出部Ｂ８２０Ｂによる高優先パケットＢの抽出処理と、低優先パケット抽出部２３０による低優先パケットの抽出処理とは、並行して行われる。つまり、それぞれの抽出処理が、同時になされていてもよい。
【０２７６】
次に、受信局８００は、パケットをネットワーク網Ａ及びネットワーク網Ｂに対して送信する（Ｓ８０８）。具体的には、受信局８００のパケット送信部Ａ８４０Ａは、高優先パケットＡ及び低優先パケットを含むパケットを、データ回線７０を介して、ネットワーク網Ａに対して送信する。同様に、受信局８００のパケット送信部Ｂ８４０Ｂは、高優先パケットＢ及び低優先パケットを含むパケットを、データ回線７０を介して、ネットワーク網Ｂに対して送信する。
【０２７７】
上述したように、実施の形態４においては、ネットワーク網ごとに高優先パケットを振り分け、それぞれのネットワーク網に関する高優先パケットを独立して並行して処理するようにしたので、複数のネットワーク網それぞれに関する高優先パケットについて、滞留を抑制することができる。したがって、複数のネットワーク網それぞれに関する高優先パケットについて、伝送遅延の長さの変動を抑制することができる。
【０２７８】
［実施の形態５］
次に実施の形態５について説明する。実施の形態５においては、高優先パケットが一定期間受信されなかった場合に、低優先パケットを高優先パケットとして伝送する点で、他の実施の形態と異なる。なお、実施の形態５においては、図２の送信局１００が送信局９００に置き換えられ、受信局２００が受信局１０００に置き換えられている。つまり、実施の形態５においては、送信局９００と受信局１０００とが、無線回線を介して無線通信可能に接続されており、送信局９００から受信局１０００に対して、パケット等のユーザデータが伝送される。
【０２７９】
図２６は、実施の形態５にかかる送信局９００の構成を示す図である。送信局９００は、アンテナ１０２、パケット受信部１０４、パケットヘッダ解析部９１０、低優先パケット識別子付加部９１４、高優先パケットキュー部９２０、高優先パケット抽出部９２２、低優先パケットキュー部９３０、低優先パケット抽出部９３２、ＦＥＣ符号化部１４０、シンボルマッピング部９４２、及び無線送信部１５０を有する。
【０２８０】
パケットヘッダ解析部９１０は、実施の形態１にかかるパケットヘッダ解析部１１０と同様の機能を有している。つまり、パケットヘッダ解析部９１０は、パケットヘッダ解析部１１０と同様に、パケット受信部１０４から受け付けたパケットのヘッダ（パケットヘッダ）を解析する。そして、パケットヘッダ解析部９１０は、パケットのヘッダを解析することにより、受け付けたパケットが、高優先パケットであるか、低優先パケットであるかを判断する。
【０２８１】
また、パケットヘッダ解析部９１０は、パケットヘッダ解析部１１０と同様に、パケットを、高優先パケットと低優先パケットとに振り分ける。また、パケットヘッダ解析部９１０は、振り分けられた高優先パケットを、高優先パケットキュー部９２０に対して出力する。同様に、パケットヘッダ解析部９１０は、振り分けられた低優先パケットを、低優先パケットキュー部９３０に対して出力する。
【０２８２】
パケットヘッダ解析部９１０は、パケットヘッダ解析部１１０の機能の他に、以下に説明する機能を有している。パケットヘッダ解析部９１０は、高優先パケットを受信した後、次の高優先パケットが、一定期間、受信されないか否かを判定する。具体的には、パケットヘッダ解析部９１０は、高優先パケットを受信した後、予め定められた期間である高優先パケット受信有無測定期間Ｔｂを計測する。つまり、パケットヘッダ解析部９１０は、高優先パケット受信有無測定期間Ｔｂを計測する計測手段を有している。そして、パケットヘッダ解析部９１０は、高優先パケット受信有無測定期間Ｔｂの間、高優先パケットが受信されない場合、その旨を示す信号（高優先パケット受信無信号）を、低優先パケットキュー部９３０に対して出力する。
【０２８３】
高優先パケットキュー部９２０は、パケットヘッダ解析部９１０によって振り分けられた高優先パケットを、一時的に格納する。
高優先パケット抽出部９２２は、高優先パケットキュー部９２０に格納された高優先パケットを、高優先パケット抽出部９２２に設定された抽出容量（高優先パケット抽出容量）Ｃｈで抽出する。さらに、高優先パケット抽出部９２２は、抽出した高優先パケットを、ＦＥＣ符号化部１４０に対して出力する。なお、高優先パケット抽出容量Ｃｈは、単位時間あたりのデータ量（単位は例えば［Ｍｂｐｓ］）であって、高優先パケットキュー部９２０において高優先パケットが滞留しないような容量である。本実施の形態５においては、高優先パケット抽出容量Ｃｈは、システムの管理者等が手動で任意に設定してもよい。
【０２８４】
低優先パケットキュー部９３０は、パケットヘッダ解析部９１０によって振り分けられた低優先パケットを、一時的に格納する。
低優先パケット抽出部９３２は、低優先パケットキュー部９３０に格納された低優先パケットを、低優先パケット抽出部９３２に設定された抽出容量（低優先パケット抽出容量）Ｃｌで抽出する。さらに、低優先パケット抽出部９３２は、抽出した低優先パケットを、ＦＥＣ符号化部１４０に対して出力する。なお、低優先パケット抽出容量Ｃｌは、単位時間あたりのデータ量（単位は例えば［Ｍｂｐｓ］）であって、送信局９００に設定された伝送容量（無線帯域）Ｃと、高優先パケット抽出容量Ｃｈとから定まる抽出容量であってもよい。例えば、Ｃｌ＝Ｃ−Ｃｈであってもよいし、Ｃｌ＝Ｃ−Ｃｈ−α（αは０以上の定数）であってもよい。
【０２８５】
ここで、高優先パケットキュー部９２０及び高優先パケット抽出部９２２と、低優先パケットキュー部９３０及び低優先パケット抽出部９３２とは、互いに独立して処理を行う。つまり、高優先パケット抽出部９２２の処理が終わった後で低優先パケット抽出部９３２が処理を開始するのではなく、高優先パケット抽出部９２２の処理及び低優先パケット抽出部９３２の処理は、並行して行われる。
【０２８６】
また、本実施の形態５においては、高優先パケット抽出部９２２は、高優先パケットキュー部９２０に高優先パケットが格納されたときに、すぐにその高優先パケットを抽出しなくてもよく、高優先パケット受信有無測定期間Ｔｂに対応する待ち時間Ｔｗだけ、抽出処理を待つようにしてもよい。それに伴い、低優先パケット抽出部９３２もまた、低優先パケットキュー部９３０に低優先パケットを、高優先パケット受信有無測定期間Ｔｂに対応する待ち時間Ｔｗだけ遅らせて抽出処理を行うようにしてもよい。つまり、本実施の形態５においては、他の実施の形態よりも、高優先パケット及び低優先パケットの抽出処理が遅れるように構成されてもよい。
【０２８７】
ここで、待ち時間Ｔｗは、高優先パケット受信有無測定期間Ｔｂの長さに応じて設定されるようにしてもよい。つまり、高優先パケット受信有無測定期間Ｔｂが長くなるほど、待ち時間Ｔｗも長くなるようにしてもよい。なお、高優先パケットについて、抽出処理が遅れるとしても、待ち時間Ｔｗは各高優先パケットそれぞれについて一定なので、伝送遅延時間の長さも一定となる。詳しくは後述する。
【０２８８】
低優先パケットキュー部９３０は、さらに、パケットヘッダ解析部９１０から高優先パケット受信無信号を受け付けると、そのときに抽出処理が開始されていない低優先パケットのうち最も先頭の低優先パケットを選択する。そして、低優先パケットキュー部９３０は、その選択された低優先パケットを、低優先パケット識別子付加部９１４に対して出力する。
【０２８９】
低優先パケット識別子付加部９１４は、低優先パケットキュー部９３０から低優先パケットを受け付けると、その低優先パケットに、その低優先パケットが低優先パケットであることを示す識別子（低優先パケット識別子）を付加する。さらに、低優先パケット識別子付加部９１４は、低優先パケット識別子が付加された低優先パケット（識別子付低優先パケット）を、高優先パケットキュー部９２０に対して出力する。なお、低優先パケット識別子付加部９１４は、低優先パケット識別子を、パケットヘッダの予め定められた領域に付与するようにしてもよい。
【０２９０】
高優先パケットキュー部９２０は、高優先パケットと高優先パケットとの間に、識別子付低優先パケットを格納する。高優先パケット抽出部９２２は、この識別子付低優先パケットを、あたかも高優先パケットであるかのように処理する。つまり、高優先パケット抽出部９２２は、識別子付低優先パケットを、高優先パケット抽出容量Ｃｈで抽出する。さらに、高優先パケット抽出部９２２は、抽出した識別子付低優先パケットを、ＦＥＣ符号化部１４０に対して出力する。
【０２９１】
シンボルマッピング部９４２は、高優先パケット抽出容量Ｃｈに対応するレートで、高優先パケットと、識別子付低優先パケットとを受け付ける。また、シンボルマッピング部９４２は、低優先パケット抽出容量Ｃｌに対応するレートで低優先パケットを受け付ける。
【０２９２】
ここで、上述したように、高優先パケット抽出部９２２の処理及び低優先パケット抽出部９３２の処理は、互いに独立して、並行して行われる。したがって、シンボルマッピング部９４２は、高優先パケット及び識別子付低優先パケットと、低優先パケットとを、それぞれ上述したレートで、並行して受け付ける。そして、シンボルマッピング部９４２は、高優先パケット及び識別子付低優先パケットと、低優先パケットとを並行して変調し、変調信号を生成する。そして、シンボルマッピング部９４２は、高優先パケット及び識別子付低優先パケットと、低優先パケットとが変調されて得られた変調信号を、無線送信部１５０に対して出力する。
【０２９３】
図２７は、実施の形態５において、送信局９００の無線帯域（伝送容量）に、高優先パケット及び低優先パケットが多重化される状態を説明するための概念図である。なお、以下、高優先パケット＃１，＃２及び低優先パケット＃１〜＃５のサイズをＰｋ［Ｍｂｉｔ］とするが、各パケットのサイズは一定でなくてもよい。また、高優先パケットについての処理と低優先パケットについての処理とは、同時並行して実行され得る。また、以下、便宜上、高優先パケットについての処理と低優先パケットについての処理とを分けて説明するが、両方の処理は、同時並行して実行され得る。
【０２９４】
時刻ｔ１１において、高優先パケットキュー部９２０は、高優先パケット＃１の格納を開始する。そして、時刻ｔ１２で高優先パケット＃１の受信が終了し高優先パケット＃１の格納が終了すると、パケットヘッダ解析部９１０は、高優先パケット受信有無測定期間Ｔｂを計測する。
【０２９５】
一方、高優先パケット＃１の格納が開始されると、待ち時間Ｔｗの後、高優先パケット抽出部９２２によって高優先パケット＃１が高優先パケット抽出容量Ｃｈで抽出される。そして、ＦＥＣ符号化部１４０の処理を経て、上述したようにシンボルマッピング部９４２によって伝送容量Ｃｈが確保されるように高優先パケット＃１が変調される。そして、時刻ｔ１１＋Ｔｄ１において、無線送信部１５０は、無線帯域を使用して、伝送容量Ｃｈで、高優先パケット＃１の送信を開始する。ここで、Ｔｄ１は、伝送遅延時間であって、Ｔｄ１＝Ｔｄ＋Ｔｗであってもよい。さらに、時刻ｔ１１＋Ｔｄ１＋Ｐｋ／Ｃｈにおいて、無線送信部１５０は、高優先パケット＃１の送信を終了する。
【０２９６】
一方、時刻ｔ２１において、低優先パケットキュー部９３０は、低優先パケット＃１の格納を開始する。ここで、時刻ｔ２１は時刻ｔ１１と同時であってもよい。そして、低優先パケット＃１の格納が開始されると、待ち時間Ｔｗの後、低優先パケット抽出部９３２によって低優先パケット＃１が低優先パケット抽出容量Ｃｌで抽出される。そして、ＦＥＣ符号化部１４０の処理を経て、上述したようにシンボルマッピング部１４２によって伝送容量Ｃｌが確保されるように低優先パケット＃１が変調される。そして、時刻ｔ２１＋Ｔｄ１において、無線送信部１５０は、無線帯域を使用して、伝送容量Ｃｌで、低優先パケット＃１の送信を開始する。さらに、時刻ｔ２１＋Ｔｄ１＋Ｐｋ／Ｃｌにおいて、無線送信部１５０は、低優先パケット＃１の送信を終了する。
【０２９７】
さらに、時刻ｔ２２において、低優先パケットキュー部９３０は、低優先パケット＃２の格納を開始する。また、時刻ｔ２３において、低優先パケットキュー部９３０は、低優先パケット＃３の格納を開始する。また、時刻ｔ２４において、低優先パケットキュー部９３０は、低優先パケット＃４の格納を開始する。
【０２９８】
上述したように低優先パケットキュー部９３０から低優先パケット＃１の抽出が終わった後、低優先パケット抽出部９３２によって低優先パケット＃２が低優先パケット抽出容量Ｃｌで抽出される。そして、ＦＥＣ符号化部１４０の処理を経て、上述したようにシンボルマッピング部１４２によって伝送容量Ｃｌが確保されるように低優先パケット＃２が変調される。そして、時刻ｔ２１＋Ｔｄ１＋Ｐｋ／Ｃｌにおいて、無線送信部１５０は、無線帯域を使用して、伝送容量Ｃｌで、低優先パケット＃２の送信を開始する。さらに、時刻ｔ２１＋Ｔｄ１＋２Ｐｋ／Ｃｌにおいて、無線送信部１５０は、低優先パケット＃２の送信を終了する。
【０２９９】
ここで、時刻ｔ１２＋Ｔｂにおいて、パケットヘッダ解析部９１０が高優先パケット受信有無測定期間Ｔｂを計測し終わる。このとき、パケットヘッダ解析部９１０は、高優先パケット受信有無測定期間Ｔｂの間、次の高優先パケット＃２が受信されなかったと判断する。このとき、パケットヘッダ解析部９１０は、高優先パケット受信無信号を、低優先パケットキュー部９３０に対して出力する。
【０３００】
ここで、時刻ｔ１２＋Ｔｂにおいて、低優先パケット抽出部９３２によって抽出処理がされていない低優先パケットの先頭は、低優先パケット＃３である。したがって、低優先パケットキュー部９３０は、高優先パケット受信無信号を受け付けたときに抽出処理が開始されていない低優先パケットとして、低優先パケット＃３を選択する。そして、低優先パケット識別子付加部９１４は、低優先パケット＃３に低優先パケット識別子を付加し、高優先パケットキュー部９２０に対して出力する。
【０３０１】
低優先パケット識別子が付加された低優先パケット＃３（識別子付低優先パケット＃３）は、高優先パケット抽出部９２２によって、高優先パケット抽出容量Ｃｈで抽出される。そして、ＦＥＣ符号化部１４０の処理を経て、上述したようにシンボルマッピング部９４２によって伝送容量Ｃｈが確保されるように、識別子付低優先パケット＃３が変調される。そして、時刻ｔ１２＋Ｔｂ＋Ｔｄにおいて、無線送信部１５０は、無線帯域を使用して、伝送容量Ｃｈで、識別子付低優先パケット＃３の送信を開始する。
【０３０２】
一方、時刻ｔ１３において、高優先パケットキュー部９２０は、高優先パケット＃２の格納を開始する。そして、時刻ｔ１４で高優先パケット＃２の受信が終了すると、パケットヘッダ解析部９１０は、高優先パケット受信有無測定期間Ｔｂを計測する。
【０３０３】
高優先パケット＃２の格納が開始されると、待ち時間Ｔｗの後、高優先パケット抽出部９２２によって高優先パケット＃２が高優先パケット抽出容量Ｃｈで抽出される。なお、このとき、識別子付低優先パケット＃３についての処理は、既に終了している。そして、ＦＥＣ符号化部１４０の処理を経て、上述したようにシンボルマッピング部９４２によって伝送容量Ｃｈが確保されるように高優先パケット＃２が変調される。そして、時刻ｔ１３＋Ｔｄ１において、無線送信部１５０は、無線帯域を使用して、伝送容量Ｃｈで、高優先パケット＃２の送信を開始する。さらに、時刻ｔ１３＋Ｔｄ１＋Ｐｋ／Ｃｈにおいて、無線送信部１５０は、高優先パケット＃１の送信を終了する。
【０３０４】
一方、上述したように低優先パケットキュー部９３０から低優先パケット＃２の抽出が終わったとき、低優先パケット＃３は、低優先パケットキュー部９３０から高優先パケットキュー部９２０に移動している。したがって、このとき、低優先パケット抽出部９３２によって低優先パケット＃４が低優先パケット抽出容量Ｃｌで抽出される。そして、ＦＥＣ符号化部１４０の処理を経て、上述したようにシンボルマッピング部１４２によって伝送容量Ｃｌが確保されるように低優先パケット＃４が変調される。そして、時刻ｔ２１＋Ｔｄ１＋２Ｐｋ／Ｃｌにおいて、無線送信部１５０は、無線帯域を使用して、伝送容量Ｃｌで、低優先パケット＃４の送信を開始する。さらに、時刻ｔ２１＋Ｔｄ１＋３Ｐｋ／Ｃｌにおいて、無線送信部１５０は、低優先パケット＃４の送信を終了する。
【０３０５】
図２８は、実施の形態５にかかる受信局１０００の構成を示す図である。受信局１０００は、アンテナ２０２、無線受信部２０４、シンボルデマッピング部２０６、ＦＥＣ復号化部２０８、高優先パケット抽出部１０２０、低優先パケット判定部１０２４、低優先パケット識別子削除部１０２６、低優先パケット抽出部２３０、低優先パケットキュー部１０３２及びパケット送信部２４０を有する。
【０３０６】
高優先パケット抽出部１０２０は、高優先パケット抽出部２２０と同様の機能を有する。高優先パケット抽出部１０２０は、送信局９００の高優先パケット抽出部９２２に設定された高優先パケット抽出容量Ｃｈで、ＦＥＣ復号化部２０８から、高優先パケットと識別子付低優先パケットとを抽出する。さらに、高優先パケット抽出部１０２０は、抽出された高優先パケットと識別子付低優先パケットとを、低優先パケット判定部１０２４に対して出力する。なお、高優先パケット抽出部１０２０は、高優先パケットと識別子付低優先パケットとを抽出する際、両者を区別しないで抽出してもよい。
【０３０７】
低優先パケット判定部１０２４は、高優先パケット抽出部１０２０から受け付けたパケットに、低優先パケット識別子が付加されているか否かを判断する。そして、低優先パケット判定部１０２４は、低優先パケット識別子が付加されているパケット（つまり低優先パケット）を、低優先パケット識別子削除部１０２６に対して出力する。また、低優先パケット判定部１０２４は、低優先パケット識別子が付加されていないパケット（つまり高優先パケット）を、パケット送信部２４０に対して出力する。
【０３０８】
低優先パケット識別子削除部１０２６は、低優先パケット判定部１０２４から低優先パケット識別子が付加されているパケット（つまり低優先パケット）を受け付けると、低優先パケット識別子を削除する。つまり、低優先パケット識別子削除部１０２６は、低優先パケット識別子が付加されていた低優先パケットを、送信局９００によってネットワーク網から受信された元のパケットの状態に戻す。さらに、低優先パケット識別子削除部１０２６は、低優先パケット識別子が削除された低優先パケットを、低優先パケットキュー部１０３２に対して出力する。
【０３０９】
低優先パケットキュー部１０３２は、低優先パケット抽出部２３０から、低優先パケット専用の帯域を用いて伝送された低優先パケットを受け付ける。さらに、低優先パケットキュー部１０３２は、低優先パケット識別子削除部１０２６から、高優先パケット専用の帯域を用いて伝送された低優先パケットを受け付ける。また、低優先パケットキュー部１０３２は、これらの低優先パケットを、一時的に格納する。そして、低優先パケットキュー部１０３２は、パケット送信部２４０が高優先パケットを送信していない状態のときに、パケット送信部２４０に対して低優先パケットを出力する。
【０３１０】
次に、実施の形態５にかかる送信局９００及び受信局１０００の処理フローについて説明する。
図２９は、実施の形態５にかかる送信局９００の処理を示すフローチャートである。まず、送信局９００は、ネットワーク網からパケットを受信する（Ｓ９０２）。具体的には、図７のＳ１０２の処理と同様に、送信局９００のパケット受信部１０４は、データ回線６０を介して、ネットワーク網からパケットを受信する。
【０３１１】
次に、送信局９００は、受信されたパケットを、高優先パケットと低優先パケットとに振り分ける（Ｓ９０４）。具体的には、送信局９００のパケットヘッダ解析部９１０は、パケットのヘッダを解析し、受け付けたパケットが、高優先パケットであるか、低優先パケットであるかを判断する。そして、パケットヘッダ解析部９１０は、その判断結果に応じて、パケットを、高優先パケットと低優先パケットとに振り分ける。
【０３１２】
次に、送信局９００は、高優先パケットを高優先パケットキュー部９２０に格納し、低優先パケットを低優先パケットキュー部９３０に格納する（Ｓ９０６）。具体的には、高優先パケットキュー部９２０は、パケットヘッダ解析部９１０によって振り分けられた高優先パケットを、一時的に格納する。また、低優先パケットキュー部９３０は、パケットヘッダ解析部９１０によって振り分けられた低優先パケットを、一時的に格納する。
【０３１３】
次に、送信局９００は、高優先パケット受信有無測定期間Ｔｂの間、高優先パケットが受信されないか否かを判断する（Ｓ９２０）。具体的には、上述したように、送信局９００のパケットヘッダ解析部９１０は、高優先パケットを受信した後、高優先パケット受信有無測定期間Ｔｂを計測する。そして、パケットヘッダ解析部９１０は、高優先パケット受信有無測定期間Ｔｂの間、次の高優先パケットが受信されるか否かを判断する。
【０３１４】
高優先パケット受信有無測定期間Ｔｂの間、高優先パケットが受信された場合（Ｓ９２０のＮＯ）、処理はＳ９０８に遷移する。一方、高優先パケット受信有無測定期間Ｔｂの間、高優先パケットが受信されない場合（Ｓ９２０のＹＥＳ）、送信局９００は、低優先パケットを高優先パケットキュー部９２０に格納する（Ｓ９２２）。
【０３１５】
具体的には、上述したように、パケットヘッダ解析部９１０は、高優先パケット受信有無測定期間Ｔｂの間、高優先パケットが受信されない場合、高優先パケット受信無信号を、低優先パケットキュー部９３０に対して出力する。低優先パケットキュー部９３０は、パケットヘッダ解析部９１０から高優先パケット受信無信号を受け付けると、そのときに抽出処理が開始されていない低優先パケットを選択する。低優先パケット識別子付加部９１４は、低優先パケットキュー部９３０によって選択された低優先パケットに、低優先パケット識別子を付加する。そして、低優先パケット識別子付加部９１４は、識別子付低優先パケットを、高優先パケットキュー部９２０に格納する。
【０３１６】
次に、送信局９００は、高優先パケット（及び識別子付低優先パケット）を高優先パケット抽出容量Ｃｈで高優先パケットキュー部９２０から抽出し、低優先パケットを低優先パケット抽出容量Ｃｌで低優先パケットキュー部９３０から抽出する（Ｓ９０８）。具体的には、送信局９００の高優先パケット抽出部９２２は、高優先パケットキュー部９２０に格納された高優先パケットを、高優先パケット抽出容量Ｃｈで抽出する。さらに、高優先パケット抽出部９２２は、識別子付低優先パケットを、高優先パケット抽出容量Ｃｈで抽出する。また、送信局９００の低優先パケット抽出部９３２は、低優先パケットキュー部９３０に格納された低優先パケットを、低優先パケット抽出容量Ｃｌで抽出する。ここで、高優先パケット抽出部９２２による高優先パケットの抽出処理と、低優先パケット抽出部９３２による低優先パケットの抽出処理とは、並行して行われ得る。つまり、両方の抽出処理が、同時になされていてもよい。
【０３１７】
次に、送信局９００は、高優先パケット（及び識別子付低優先パケット）と低優先パケットとを並行して変調する（Ｓ９１０）。具体的には、送信局９００のシンボルマッピング部９４２は、高優先パケット（及び識別子付低優先パケット）と低優先パケットとを並行して変調する。このとき、シンボルマッピング部９４２は、高優先パケット抽出容量Ｃｈ及び低優先パケット抽出容量Ｃｌの大きさに応じて、１シンボルにマッピングするデータ量を設定する。
【０３１８】
次に、送信局９００は、高優先パケット及び低優先パケットを受信局１０００に対して送信する（Ｓ９１２）。具体的には、送信局９００の無線送信部１５０は、シンボルマッピング部９４２からの変調信号に対して、増幅等の無線送信に必要な処理を施す。そして、無線送信部１５０は、高優先パケット及び低優先パケットに対応するデータを含む無線信号を、受信局１０００に対して無線送信する。
【０３１９】
図３０は、実施の形態５にかかる受信局１０００の処理を示すフローチャートである。まず、受信局１０００は、高優先パケット及び低優先パケットを送信局９００から受信する（Ｓ１００２）。具体的には、図８の２０２の処理と同様に、受信局１０００の無線受信部２０４は、アンテナ２０２を介して、送信局９００から、高優先パケット及び低優先パケットに対応するデータを含む無線信号を受信する。
【０３２０】
次に、受信局１０００は、高優先パケットと低優先パケットとを復調する（Ｓ１００４）。具体的には、図８の２０２の処理と同様に、受信局１０００のシンボルデマッピング部２０６は、無線信号に含まれる受信シンボル（位相・振幅情報）から送信データを復元する。
【０３２１】
次に、受信局１０００は、高優先パケット（及び識別子付低優先パケット）を高優先パケット抽出容量Ｃｈで抽出し、低優先パケットを低優先パケット抽出容量Ｃｌで抽出する（Ｓ１００６）。具体的には、受信局１０００の高優先パケット抽出部１０２０は、送信局９００の高優先パケット抽出部９２２に設定された高優先パケット抽出容量Ｃｈで、高優先パケット（及び識別子付低優先パケット）を抽出する。また、受信局１０００の低優先パケット抽出部２３０は、送信局９００の低優先パケット抽出部９３２に設定された低優先パケット抽出容量Ｃｌで、低優先パケットを抽出する。ここで、高優先パケット抽出部１０２０による高優先パケット（及び識別子付低優先パケット）の抽出処理と、低優先パケット抽出部２３０による低優先パケットの抽出処理とは、並行して行われる。つまり、両方の抽出処理が、同時になされていてもよい。
【０３２２】
次に、受信局１０００は、低優先パケットが高優先パケットとして送信局９００から送信されたか否かを判断する（Ｓ１０２０）。具体的には、低優先パケット判定部１０２４は、高優先パケット抽出部１０２０から受け付けたパケットに、低優先パケット識別子が付加されているか否かを判断する。
【０３２３】
低優先パケットが高優先パケットとして送信局９００から送信されていない場合（Ｓ１０２０のＮＯ）、処理はＳ１００８に遷移する。一方、低優先パケットが高優先パケットとして送信局９００から送信された場合（Ｓ１０２０のＹＥＳ）、受信局１０００は、高優先パケット抽出容量Ｃｈで抽出された低優先パケットを、低優先パケットキュー部１０３２に格納する（Ｓ１０２２）。具体的には、受信局１０００の低優先パケット判定部１０２４は、低優先パケット識別子が付加されているパケット（つまり低優先パケット）を、低優先パケット識別子削除部１０２６に対して出力する。低優先パケット識別子削除部１０２６は、低優先パケット識別子が付加されているパケットから低優先パケット識別子を削除する。さらに、低優先パケット識別子削除部１０２６は、低優先パケット識別子が削除された低優先パケットを、低優先パケットキュー部１０３２に格納する。
【０３２４】
次に、受信局１０００は、パケットをネットワーク網に対して送信する（Ｓ１００８）。具体的には、上述したように、受信局１０００のパケット送信部２４０は、高優先パケット及び低優先パケットを含むパケットを、データ回線７０を介して、ネットワーク網に対して送信する。
【０３２５】
このように、実施の形態５においては、高優先パケットが一定期間受信されない場合に、低優先パケットが、あたかも高優先パケットとして伝送される。つまり、高優先パケットについて設けられた専用の帯域を用いて、低優先パケットが伝送される。このようにすることによって、高優先パケットが、一定期間、受信されない場合に、無線帯域の使用効率が低下することを抑制することができる。
【０３２６】
さらに、高優先パケット専用の帯域を用いて伝送される低優先パケットに低優先パケット識別子を付加することによって、受信局１０００で、高優先パケットか低優先パケットかを判別できる。これによって、低優先パケット判定部１０２４が低優先パケットを判別できるので、パケット送信部２４０において、高優先パケットを優先的に送信することができる。
【０３２７】
なお、パケットヘッダ解析部９１０は、高優先パケット受信無信号を、低優先パケットキュー部９３０に対して出力するとしたが、低優先パケット識別子付加部９１４に対して出力するとしてもよい。この場合、低優先パケット識別子付加部９１４は、高優先パケット受信無信号を受け付けると、低優先パケットキュー部９３０から、そのときに抽出処理が開始されていない低優先パケットを抽出してもよい。そして、低優先パケット識別子付加部９１４は、低優先パケットキュー部９３０から抽出した低優先パケットに低優先パケット識別子を付加してもよい。
【０３２８】
［実施の形態６］
次に実施の形態６について説明する。実施の形態６は、実施の形態５の構成を、実施の形態４の構成に適用した実施の形態である。なお、実施の形態６においては、図２の送信局１００が送信局９５０に置き換えられ、受信局２００が受信局１０５０に置き換えられている。つまり、実施の形態６においては、送信局９５０と受信局１０５０とが、無線回線を介して無線通信可能に接続されており、送信局９５０から受信局１０５０に対して、パケット等のユーザデータが伝送される。また、以下に説明する実施の形態６においては、ネットワーク網が２つあるとしているが、ネットワーク網は３つ以上であってもよい。
【０３２９】
図３１は、実施の形態６にかかる送信局９５０の構成を示す図である。送信局９５０は、アンテナ１０２、パケット受信部Ａ７０４Ａ、パケット受信部Ｂ７０４Ｂ、パケットヘッダ解析部Ａ９１０Ａ、パケットヘッダ解析部Ｂ９１０Ｂ、ネットワーク識別子付与部９１２、低優先パケット識別子付加部９１６、高優先パケットキュー部Ａ９２０Ａ、高優先パケットキュー部Ｂ９２０Ｂ、高優先パケット抽出部Ａ９２２Ａ、高優先パケット抽出部Ｂ９２２Ｂ、低優先パケットキュー部９３０、低優先パケット抽出部９３２、ＦＥＣ符号化部１４０、シンボルマッピング部９６２、及び無線送信部１５０を有する。
【０３３０】
パケットヘッダ解析部Ａ９１０Ａは、実施の形態４にかかるパケットヘッダ解析部Ａ７１０Ａと同様の機能を有している。つまり、パケットヘッダ解析部Ａ９１０Ａは、パケットヘッダ解析部Ａ７１０Ａと同様に、パケット受信部Ａ７０４Ａから受け付けた、ネットワーク網Ａからのパケットのヘッダ（パケットヘッダ）を解析する。そして、パケットヘッダ解析部Ａ９１０Ａは、パケットのヘッダを解析することにより、受け付けたパケットが、高優先パケットであるか、低優先パケットであるかを判断する。
【０３３１】
また、パケットヘッダ解析部Ａ９１０Ａは、パケットヘッダ解析部Ａ７１０Ａと同様に、ネットワーク網Ａからのパケットを、高優先パケットと低優先パケットとに振り分ける。また、パケットヘッダ解析部Ａ９１０Ａは、振り分けられた高優先パケットを、高優先パケットキュー部Ａ９２０Ａに対して出力する。また、パケットヘッダ解析部Ａ９１０Ａは、振り分けられた低優先パケットを、ネットワーク識別子付与部９１２に対して出力する。
【０３３２】
パケットヘッダ解析部Ａ９１０Ａは、パケットヘッダ解析部Ａ７１０Ａの機能の他に、以下に説明する機能を有している。パケットヘッダ解析部Ａ９１０Ａは、ネットワーク網Ａから高優先パケットが受信された後、次の高優先パケットが、一定期間、ネットワーク網Ａから受信されないか否かを判定する。具体的には、パケットヘッダ解析部Ａ９１０Ａは、ネットワーク網Ａから高優先パケットが受信された後、予め定められた期間である高優先パケット受信有無測定期間ＴｂＡを計測する。つまり、パケットヘッダ解析部Ａ９１０Ａは、高優先パケット受信有無測定期間ＴｂＡを計測する計測手段を有している。また、パケットヘッダ解析部Ａ９１０Ａは、高優先パケット受信有無測定期間ＴｂＡの間、高優先パケットがネットワーク網Ａから受信されない場合、高優先パケット受信無信号を、低優先パケット識別子付加部９１６に対して出力する。
【０３３３】
パケットヘッダ解析部Ｂ９１０Ｂは、実施の形態４にかかるパケットヘッダ解析部Ｂ７１０Ｂと同様の機能を有している。つまり、パケットヘッダ解析部Ｂ９１０Ｂは、パケットヘッダ解析部Ｂ７１０Ｂと同様に、パケット受信部Ｂ７０４Ｂから受け付けた、ネットワーク網Ｂからのパケットのヘッダ（パケットヘッダ）を解析する。そして、パケットヘッダ解析部Ｂ９１０Ｂは、パケットのヘッダを解析することにより、受け付けたパケットが、高優先パケットであるか、低優先パケットであるかを判断する。
【０３３４】
また、パケットヘッダ解析部Ｂ９１０Ｂは、パケットヘッダ解析部Ｂ７１０Ｂと同様に、ネットワーク網Ｂからのパケットを、高優先パケットと低優先パケットとに振り分ける。また、パケットヘッダ解析部Ｂ９１０Ｂは、振り分けられた高優先パケットを、高優先パケットキュー部Ｂ９２０Ｂに対して出力する。また、パケットヘッダ解析部Ｂ９１０Ｂは、振り分けられた低優先パケットを、ネットワーク識別子付与部９１２に対して出力する。
【０３３５】
パケットヘッダ解析部Ｂ９１０Ｂは、パケットヘッダ解析部Ｂ７１０Ｂの機能の他に、以下に説明する機能を有している。パケットヘッダ解析部Ｂ９１０Ｂは、ネットワーク網Ｂから高優先パケットが受信された後、次の高優先パケットが、一定期間、ネットワーク網Ｂから受信されないか否かを判定する。具体的には、パケットヘッダ解析部Ｂ９１０Ｂは、ネットワーク網Ｂから高優先パケットが受信された後、予め定められた期間である高優先パケット受信有無測定期間ＴｂＢを計測する。つまり、パケットヘッダ解析部Ｂ９１０Ｂは、高優先パケット受信有無測定期間ＴｂＢを計測する計測手段を有している。また、パケットヘッダ解析部Ｂ９１０Ｂは、高優先パケット受信有無測定期間ＴｂＢの間、高優先パケットがネットワーク網Ｂから受信されない場合、高優先パケット受信無信号を、低優先パケット識別子付加部９１６に対して出力する。
【０３３６】
ネットワーク識別子付与部９１２は、ネットワーク識別子付与部７１２と同様の機能を有している。ネットワーク識別子付与部９１２は、パケットヘッダ解析部Ａ９１０Ａから受け付けた低優先パケットに識別子Ａを付与する。同様に、ネットワーク識別子付与部９１２は、パケットヘッダ解析部Ｂ９１０Ｂから受け付けた低優先パケットに識別子Ｂを付与する。さらに、ネットワーク識別子付与部９１２は、識別子Ａ又は識別子Ｂを付与された低優先パケットを、低優先パケットキュー部９３０に対して出力する。なお、ネットワーク識別子付与部９１２は、識別子Ａ又は識別子Ｂを、パケットヘッダの予め定められた領域に付与するようにしてもよい。
【０３３７】
高優先パケットキュー部Ａ９２０Ａは、パケットヘッダ解析部Ａ９１０Ａによって振り分けられた高優先パケットＡを、一時的に格納する。
高優先パケット抽出部Ａ９２２Ａは、高優先パケットキュー部Ａ９２０Ａに格納された高優先パケットＡを、高優先パケット抽出部Ａ９２２Ａに設定された高優先パケットＡ抽出容量ＣｈＡで抽出する。さらに、高優先パケット抽出部Ａ９２２Ａは、抽出した高優先パケットＡを、ＦＥＣ符号化部１４０に対して出力する。なお、高優先パケットＡ抽出容量ＣｈＡは、単位時間あたりのデータ量（単位は例えば［Ｍｂｐｓ］）であって、高優先パケットキュー部Ａ９２０Ａにおいて高優先パケットが滞留しないような容量である。本実施の形態６においては、高優先パケットＡ抽出容量ＣｈＡは、システムの管理者等が手動で任意に設定してもよい。
【０３３８】
高優先パケットキュー部Ｂ９２０Ｂは、パケットヘッダ解析部Ｂ９１０Ｂによって振り分けられた高優先パケットＢを、一時的に格納する。
高優先パケット抽出部Ｂ９２２Ｂは、高優先パケットキュー部Ｂ９２０Ｂに格納された高優先パケットＢを、高優先パケット抽出部Ｂ９２２Ｂに設定された高優先パケットＢ抽出容量ＣｈＢで抽出する。さらに、高優先パケット抽出部Ｂ９２２Ｂは、抽出した高優先パケットＢを、ＦＥＣ符号化部１４０に対して出力する。なお、高優先パケットＢ抽出容量ＣｈＢは、単位時間あたりのデータ量（単位は例えば［Ｍｂｐｓ］）であって、高優先パケットキュー部Ｂ９２０Ｂにおいて高優先パケットが滞留しないような容量である。本実施の形態６においては、高優先パケットＢ抽出容量ＣｈＢは、システムの管理者等が手動で任意に設定してもよい。
【０３３９】
また、本実施の形態６においては、実施の形態５と同様に、高優先パケット抽出部Ａ９２２Ａは、高優先パケットキュー部Ａ９２０Ａに高優先パケットＡが格納されたときに、すぐにその高優先パケットＡを抽出しなくてもよい。つまり、高優先パケット抽出部Ａ９２２Ａは、高優先パケットキュー部Ａ９２０Ａに高優先パケットＡが格納された後、高優先パケット受信有無測定期間ＴｂＡに対応する待ち時間ＴｗＡだけ、抽出処理を待つようにしてもよい。
【０３４０】
同様に、高優先パケット抽出部Ｂ９２２Ｂは、高優先パケットキュー部Ｂ９２０Ｂに高優先パケットＢが格納されたときに、すぐにその高優先パケットＢを抽出しなくてもよい。つまり、高優先パケット抽出部Ｂ９２２Ｂは、高優先パケットキュー部Ｂ９２０Ｂに高優先パケットＢが格納された後、高優先パケット受信有無測定期間ＴｂＢに対応する待ち時間ＴｗＢだけ、抽出処理を待つようにしてもよい。
【０３４１】
低優先パケット識別子付加部９１６は、パケットヘッダ解析部Ａ９１０Ａから高優先パケット受信無信号を受け付けると、低優先パケットキュー部９３０において抽出処理が開始されていない低優先パケットのうち最も先頭の低優先パケットを抽出する。低優先パケット識別子付加部９１６は、低優先パケットキュー部９３０から低優先パケットを抽出すると、その低優先パケットに低優先パケット識別子を付加する。さらに、低優先パケット識別子付加部９１６は、低優先パケット識別子が付加された低優先パケット（識別子付低優先パケット）を、高優先パケットキュー部Ａ９２０Ａに対して出力する。
【０３４２】
一方、低優先パケット識別子付加部９１６は、パケットヘッダ解析部Ｂ９１０Ｂから高優先パケット受信無信号を受け付けると、低優先パケットキュー部９３０において抽出処理が開始されていない低優先パケットのうち最も先頭の低優先パケットを抽出する。低優先パケット識別子付加部９１６は、低優先パケットキュー部９３０から低優先パケットを抽出すると、その低優先パケットに低優先パケット識別子を付加する。さらに、低優先パケット識別子付加部９１６は、識別子付低優先パケットを、高優先パケットキュー部Ｂ９２０Ｂに対して出力する。
【０３４３】
高優先パケットキュー部Ａ９２０Ａは、高優先パケットＡと高優先パケットＡとの間に、識別子付低優先パケットを格納する。高優先パケット抽出部Ａ９２２Ａは、この識別子付低優先パケットを、あたかも高優先パケットＡであるかのように処理する。つまり、高優先パケット抽出部Ａ９２２Ａは、識別子付低優先パケットを、高優先パケットＡ抽出容量ＣｈＡで抽出する。さらに、高優先パケット抽出部Ａ９２２Ａは、抽出した識別子付低優先パケットを、ＦＥＣ符号化部１４０に対して出力する。
【０３４４】
同様に、高優先パケットキュー部Ｂ９２０Ｂは、高優先パケットＢと高優先パケットＢとの間に、識別子付低優先パケットを格納する。高優先パケット抽出部Ｂ９２２Ｂは、この識別子付低優先パケットを、あたかも高優先パケットＢであるかのように処理する。つまり、高優先パケット抽出部Ｂ９２２Ｂは、識別子付低優先パケットを、高優先パケットＢ抽出容量ＣｈＢで抽出する。さらに、高優先パケット抽出部Ｂ９２２Ｂは、抽出した識別子付低優先パケットを、ＦＥＣ符号化部１４０に対して出力する。
【０３４５】
シンボルマッピング部９６２は、高優先パケットＡ抽出容量ＣｈＡに対応するレートで、高優先パケットＡと識別子付低優先パケットとを受け付ける。同様に、シンボルマッピング部９６２は、高優先パケットＢ抽出容量ＣｈＢに対応するレートで、高優先パケットＢと識別子付低優先パケットとを受け付ける。また、シンボルマッピング部９６２は、低優先パケット抽出容量Ｃｌに対応するレートで低優先パケットを受け付ける。
【０３４６】
ここで、高優先パケット抽出部Ａ９２２Ａの処理、高優先パケット抽出部Ｂ９２２Ｂの処理及び低優先パケット抽出部９３２の処理は、互いに独立して、並行して行われる。したがって、シンボルマッピング部９６２は、高優先パケットＡ及び識別子付低優先パケットと、高優先パケットＢ及び識別子付低優先パケットと、低優先パケットとを、それぞれ上述したレートで、並行して受け付ける。
【０３４７】
そして、シンボルマッピング部９６２は、高優先パケットＡ及び識別子付低優先パケットと、高優先パケットＢ及び識別子付低優先パケットと、低優先パケットとを並行して変調し、変調信号を生成する。そして、シンボルマッピング部９６２は、高優先パケットＡ及び識別子付低優先パケットと、高優先パケットＢ及び識別子付低優先パケットと、低優先パケットとが変調されて得られた変調信号を、無線送信部１５０に対して出力する。
【０３４８】
図３２は、実施の形態６において、送信局９５０の無線帯域（伝送容量）に、高優先パケットＡ、高優先パケットＢ及び低優先パケットが多重化される状態を説明するための概念図である。なお、以下、高優先パケットＡ＃１，Ａ＃２、高優先パケットＢ＃１，Ｂ＃２及び低優先パケット＃１〜＃７のサイズをＰｋ［Ｍｂｉｔ］とするが、各パケットのサイズは一定でなくてもよい。また、高優先パケットＡについての処理と、高優先パケットＢについての処理と、低優先パケットについての処理とは、同時並行して実行され得る。
【０３４９】
時刻ｔ１１において、高優先パケットキュー部Ａ９２０Ａは、高優先パケットＡ＃１の格納を開始する。そして、時刻ｔ１２で高優先パケットＡ＃１の受信が終了し高優先パケットＡ＃１の格納が終了すると、パケットヘッダ解析部Ａ９１０Ａは、高優先パケット受信有無測定期間ＴｂＡを計測する。
【０３５０】
一方、高優先パケットＡ＃１の格納が開始されると、待ち時間ＴｗＡの後、高優先パケット抽出部Ａ９２２Ａによって高優先パケットＡ＃１が高優先パケット抽出容量ＣｈＡで抽出される。そして、ＦＥＣ符号化部１４０の処理を経て、上述したようにシンボルマッピング部９６２によって伝送容量ＣｈＡが確保されるように高優先パケットＡ＃１が変調される。そして、時刻ｔ１１＋ＴｄＡにおいて、無線送信部１５０は、無線帯域を使用して、伝送容量ＣｈＡで、高優先パケットＡ＃１の送信を開始する。ここで、ＴｄＡは、伝送遅延時間であって、ＴｄＡ＝Ｔｄ＋ＴｗＡであってもよい。さらに、時刻ｔ１１＋ＴｄＡ＋Ｐｋ／ＣｈＡにおいて、無線送信部１５０は、高優先パケットＡ＃１の送信を終了する。
【０３５１】
また、時刻ｔ２１において、高優先パケットキュー部Ｂ９２０Ｂは、高優先パケットＢ＃１の格納を開始する。そして、時刻ｔ２２で高優先パケットＢ＃１の受信が終了し高優先パケットＢ＃１の格納が終了すると、パケットヘッダ解析部Ｂ９１０Ｂは、高優先パケット受信有無測定期間ＴｂＢを計測する。
【０３５２】
一方、高優先パケットＢ＃１の格納が開始されると、待ち時間ＴｗＢの後、高優先パケット抽出部Ｂ９２２Ｂによって高優先パケットＢ＃１が高優先パケット抽出容量ＣｈＢで抽出される。そして、ＦＥＣ符号化部１４０の処理を経て、上述したようにシンボルマッピング部９６２によって伝送容量ＣｈＢが確保されるように高優先パケットＢ＃１が変調される。そして、時刻ｔ２１＋ＴｄＢにおいて、無線送信部１５０は、無線帯域を使用して、伝送容量ＣｈＢで、高優先パケットＢ＃１の送信を開始する。ここで、ＴｄＢは、伝送遅延時間であって、ＴｄＢ＝Ｔｄ＋ＴｗＢであってもよい。さらに、時刻ｔ２１＋ＴｄＢ＋Ｐｋ／ＣｈＢにおいて、無線送信部１５０は、高優先パケットＢ＃１の送信を終了する。
【０３５３】
一方、時刻ｔ３１において、低優先パケットキュー部９３０は、低優先パケット＃１の格納を開始する。そして、低優先パケット＃１の格納が開始されると、待ち時間ＴｗＣの後、低優先パケット抽出部９３２によって低優先パケット＃１が低優先パケット抽出容量Ｃｌで抽出される。そして、ＦＥＣ符号化部１４０の処理を経て、上述したようにシンボルマッピング部１４２によって伝送容量Ｃｌが確保されるように低優先パケット＃１が変調される。そして、時刻ｔ３１＋ＴｄＣにおいて、無線送信部１５０は、無線帯域を使用して、伝送容量Ｃｌで、低優先パケット＃１の送信を開始する。さらに、時刻ｔ３１＋ＴｄＣ＋Ｐｋ／Ｃｌにおいて、無線送信部１５０は、低優先パケット＃１の送信を終了する。ここで、待ち時間ＴｗＣは、高優先パケット受信有無測定期間ＴｂＡ及び高優先パケット受信有無測定期間ＴｂＢから定まる値であってもよい。また、ＴｄＣは、伝送遅延時間であって、ＴｄＣ＝Ｔｄ＋ＴｗＣであってもよい。
【０３５４】
さらに、時刻ｔ３２において、低優先パケットキュー部９３０は、低優先パケット＃２の格納を開始する。また、時刻ｔ３３において、低優先パケットキュー部９３０は、低優先パケット＃３の格納を開始する。また、時刻ｔ３４において、低優先パケットキュー部９３０は、低優先パケット＃４の格納を開始する。また、時刻ｔ３５において、低優先パケットキュー部９３０は、低優先パケット＃５の格納を開始する。
【０３５５】
上述したように低優先パケットキュー部９３０から低優先パケット＃１の抽出が終わった後、低優先パケット抽出部９３２によって低優先パケット＃２が低優先パケット抽出容量Ｃｌで抽出される。そして、ＦＥＣ符号化部１４０の処理を経て、上述したようにシンボルマッピング部１４２によって伝送容量Ｃｌが確保されるように低優先パケット＃２が変調される。そして、時刻ｔ３１＋ＴｄＣ＋Ｐｋ／Ｃｌにおいて、無線送信部１５０は、無線帯域を使用して、伝送容量Ｃｌで、低優先パケット＃２の送信を開始する。さらに、時刻ｔ３１＋ＴｄＣ＋２Ｐｋ／Ｃｌにおいて、無線送信部１５０は、低優先パケット＃２の送信を終了する。
【０３５６】
ここで、時刻ｔ１２＋ＴｂＡにおいて、パケットヘッダ解析部Ａ９１０Ａが高優先パケット受信有無測定期間ＴｂＡを計測し終わる。このとき、パケットヘッダ解析部Ａ９１０Ａは、高優先パケット受信有無測定期間ＴｂＡの間、次の高優先パケットＡ＃２が受信されなかったと判断する。このとき、パケットヘッダ解析部Ａ９１０Ａは、高優先パケット受信無信号を、低優先パケット識別子付加部９１６に対して出力する。
【０３５７】
ここで、時刻ｔ１２＋ＴｂＡにおいて、低優先パケット抽出部９３２によって抽出処理がされていない低優先パケットの先頭は、低優先パケット＃３である。したがって、低優先パケット識別子付加部９１６は、低優先パケットキュー部９３０から低優先パケット＃３を抽出する。そして、低優先パケット識別子付加部９１６は、低優先パケット＃３に低優先パケット識別子を付加し、高優先パケットキュー部Ａ９２０Ａに対して出力する。
【０３５８】
識別子付低優先パケット＃３は、高優先パケット抽出部Ａ９２２Ａによって、高優先パケットＡ抽出容量ＣｈＡで抽出される。そして、ＦＥＣ符号化部１４０の処理を経て、上述したようにシンボルマッピング部９６２によって伝送容量ＣｈＡが確保されるように、識別子付低優先パケット＃３が変調される。そして、時刻ｔ１２＋ＴｂＡ＋Ｔｄにおいて、無線送信部１５０は、無線帯域を使用して、伝送容量ＣｈＡで、識別子付低優先パケット＃３の送信を開始する。
【０３５９】
また、時刻ｔ２２＋ＴｂＢにおいて、パケットヘッダ解析部Ｂ９１０Ｂが高優先パケット受信有無測定期間ＴｂＢを計測し終わる。このとき、パケットヘッダ解析部Ｂ９１０Ｂは、高優先パケット受信有無測定期間ＴｂＢの間、次の高優先パケットＢ＃２が受信されなかったと判断する。このとき、パケットヘッダ解析部Ｂ９１０Ｂは、高優先パケット受信無信号を、低優先パケット識別子付加部９１６に対して出力する。
【０３６０】
ここで、時刻ｔ２２＋ＴｂＢにおいて、低優先パケット抽出部９３２によって抽出処理がされていない低優先パケットの先頭は、低優先パケット＃４である。したがって、低優先パケット識別子付加部９１６は、低優先パケットキュー部９３０から低優先パケット＃４を抽出する。そして、低優先パケット識別子付加部９１６は、低優先パケット＃４に低優先パケット識別子を付加し、高優先パケットキュー部Ｂ９２０Ｂに対して出力する。
【０３６１】
識別子付低優先パケット＃４は、高優先パケット抽出部Ｂ９２２Ｂによって、高優先パケットＢ抽出容量ＣｈＢで抽出される。そして、ＦＥＣ符号化部１４０の処理を経て、上述したようにシンボルマッピング部９６２によって伝送容量ＣｈＢが確保されるように、識別子付低優先パケット＃４が変調される。そして、時刻ｔ２２＋ＴｂＢ＋Ｔｄにおいて、無線送信部１５０は、無線帯域を使用して、伝送容量ＣｈＢで、識別子付低優先パケット＃４の送信を開始する。
【０３６２】
一方、時刻ｔ１３において、高優先パケットキュー部Ａ９２０Ａは、高優先パケットＡ＃２の格納を開始する。そして、時刻ｔ１４で高優先パケットＡ＃２の受信が終了し高優先パケットＡ＃２の格納が終了すると、パケットヘッダ解析部Ａ９１０Ａは、高優先パケット受信有無測定期間ＴｂＡを計測する。
【０３６３】
一方、高優先パケットＡ＃２の格納が開始されると、待ち時間ＴｗＡの後、高優先パケット抽出部Ａ９２２Ａによって高優先パケットＡ＃２が高優先パケット抽出容量ＣｈＡで抽出される。なお、このとき、識別子付低優先パケット＃３についての処理は、既に終了している。そして、ＦＥＣ符号化部１４０の処理を経て、上述したようにシンボルマッピング部９６２によって伝送容量ＣｈＡが確保されるように高優先パケットＡ＃２が変調される。そして、時刻ｔ１３＋ＴｄＡにおいて、無線送信部１５０は、無線帯域を使用して、伝送容量ＣｈＡで、高優先パケットＡ＃２の送信を開始する。さらに、時刻ｔ１３＋ＴｄＡ＋Ｐｋ／ＣｈＡにおいて、無線送信部１５０は、高優先パケットＡ＃２の送信を終了する。
【０３６４】
また、時刻ｔ２３において、高優先パケットキュー部Ｂ９２０Ｂは、高優先パケットＢ＃２の格納を開始する。そして、時刻ｔ２４で高優先パケットＢ＃２の受信が終了し高優先パケットＢ＃２の格納が終了すると、パケットヘッダ解析部Ｂ９１０Ｂは、高優先パケット受信有無測定期間ＴｂＢを計測する。
【０３６５】
一方、高優先パケットＢ＃２の格納が開始されると、待ち時間ＴｗＢの後、高優先パケット抽出部Ｂ９２２Ｂによって高優先パケットＢ＃２が高優先パケット抽出容量ＣｈＢで抽出される。なお、このとき、識別子付低優先パケット＃４についての処理は、既に終了している。そして、ＦＥＣ符号化部１４０の処理を経て、上述したようにシンボルマッピング部９６２によって伝送容量ＣｈＢが確保されるように高優先パケットＢ＃２が変調される。そして、時刻ｔ２３＋ＴｄＢにおいて、無線送信部１５０は、無線帯域を使用して、伝送容量ＣｈＢで、高優先パケットＢ＃２の送信を開始する。さらに、時刻ｔ２３＋ＴｄＢ＋Ｐｋ／ＣｈＢにおいて、無線送信部１５０は、高優先パケットＢ＃２の送信を終了する。
【０３６６】
一方、上述したように低優先パケットキュー部９３０から低優先パケット＃２の抽出が終わったとき、低優先パケット＃３は、低優先パケットキュー部９３０から高優先パケットキュー部Ａ９２０Ａに移動している。同様に、このとき、低優先パケット＃４は、低優先パケットキュー部９３０から高優先パケットキュー部Ｂ９２０Ｂに移動している。
【０３６７】
したがって、このとき、低優先パケット抽出部９３２によって次の低優先パケット＃５が低優先パケット抽出容量Ｃｌで抽出される。そして、ＦＥＣ符号化部１４０の処理を経て、上述したようにシンボルマッピング部１４２によって伝送容量Ｃｌが確保されるように低優先パケット＃５が変調される。そして、時刻ｔ３１＋ＴｄＣ＋２Ｐｋ／Ｃｌにおいて、無線送信部１５０は、無線帯域を使用して、伝送容量Ｃｌで、低優先パケット＃５の送信を開始する。さらに、時刻ｔ３１＋ＴｄＣ＋３Ｐｋ／Ｃｌにおいて、無線送信部１５０は、低優先パケット＃５の送信を終了する。
【０３６８】
図３３は、実施の形態６にかかる受信局１０５０の構成を示す図である。受信局１０５０は、アンテナ２０２、無線受信部２０４、シンボルデマッピング部２０６、ＦＥＣ復号化部２０８、高優先パケット抽出部Ａ１０２０Ａ、高優先パケット抽出部Ｂ１０２０Ｂ、低優先パケット判定部Ａ１０２４Ａ、低優先パケット判定部Ｂ１０２４Ｂ、低優先パケット識別子削除部１０２８、低優先パケット抽出部２３０、低優先パケットキュー部１０３４、ネットワーク識別子削除部８３４、パケット送信部Ａ８４０Ａ及びパケット送信部Ｂ８４０Ｂを有する。
【０３６９】
高優先パケット抽出部Ａ１０２０Ａは、送信局９５０の高優先パケット抽出部Ａ９２２Ａに設定された高優先パケット抽出容量ＣｈＡで、ＦＥＣ復号化部２０８から、高優先パケットＡと識別子付低優先パケットとを抽出する。さらに、高優先パケット抽出部Ａ１０２０Ａは、抽出された高優先パケットＡと識別子付低優先パケットとを、低優先パケット判定部Ａ１０２４Ａに対して出力する。なお、高優先パケット抽出部Ａ１０２０Ａは、高優先パケットＡと識別子付低優先パケットとを抽出する際、両者を区別しないで抽出してもよい。
【０３７０】
高優先パケット抽出部Ｂ１０２０Ｂは、送信局９５０の高優先パケット抽出部Ｂ９２２Ｂに設定された高優先パケット抽出容量ＣｈＢで、ＦＥＣ復号化部２０８から、高優先パケットＢと識別子付低優先パケットとを抽出する。さらに、高優先パケット抽出部Ｂ１０２０Ｂは、抽出された高優先パケットと識別子付低優先パケットとを、低優先パケット判定部Ｂ１０２４Ｂに対して出力する。なお、高優先パケット抽出部Ｂ１０２０Ｂは、高優先パケットと識別子付低優先パケットとを抽出する際、両者を区別しないで抽出してもよい。
【０３７１】
低優先パケット判定部Ａ１０２４Ａは、高優先パケット抽出部Ａ１０２０Ａから受け付けたパケットに、低優先パケット識別子が付加されているか否かを判断する。そして、低優先パケット判定部Ａ１０２４Ａは、低優先パケット識別子が付加されているパケット（つまり低優先パケット）を、低優先パケット識別子削除部１０２８に対して出力する。また、低優先パケット判定部Ａ１０２４Ａは、低優先パケット識別子が付加されていないパケット（つまり高優先パケットＡ）を、パケット送信部Ａ８４０Ａに対して出力する。
【０３７２】
低優先パケット判定部Ｂ１０２４Ｂは、高優先パケット抽出部Ｂ１０２０Ｂから受け付けたパケットに、低優先パケット識別子が付加されているか否かを判断する。そして、低優先パケット判定部Ｂ１０２４Ｂは、低優先パケット識別子が付加されているパケット（つまり低優先パケット）を、低優先パケット識別子削除部１０２８に対して出力する。また、低優先パケット判定部Ｂ１０２４Ｂは、低優先パケット識別子が付加されていないパケット（つまり高優先パケットＢ）を、パケット送信部Ｂ８４０Ｂに対して出力する。
【０３７３】
低優先パケット識別子削除部１０２８は、低優先パケット判定部Ａ１０２４Ａ及び低優先パケット判定部Ｂ１０２４Ｂから低優先パケット識別子が付加されているパケット（つまり低優先パケット）を受け付けると、低優先パケット識別子を削除する。つまり、低優先パケット識別子削除部１０２８は、低優先パケット識別子が付加されていた低優先パケットを、送信局９５０によってネットワーク網から受信された元のパケットの状態に戻す。さらに、低優先パケット識別子削除部１０２８は、低優先パケット識別子が削除された低優先パケットを、低優先パケットキュー部１０３４に対して出力する。
【０３７４】
低優先パケットキュー部１０３４は、低優先パケット抽出部２３０から、低優先パケット専用の帯域を用いて伝送された低優先パケットを受け付ける。さらに、低優先パケットキュー部１０３４は、低優先パケット識別子削除部１０２８から、高優先パケット専用の帯域を用いて伝送された低優先パケットを受け付ける。また、低優先パケットキュー部１０３４は、これらの低優先パケットを、一時的に格納する。
【０３７５】
そして、低優先パケットキュー部１０３４は、パケット送信部Ａ８４０Ａが高優先パケットＡをネットワーク網Ａに対して送信していない状態のときに、パケット送信部Ａ８４０Ａに対して、識別子Ａが付与された低優先パケットを出力する。また、低優先パケットキュー部１０３４は、パケット送信部Ｂ８４０Ｂが高優先パケットＢをネットワーク網Ｂに対して送信していない状態のときに、パケット送信部Ｂ８４０Ｂに対して、識別子Ｂが付与された低優先パケットを出力する。
【０３７６】
次に、実施の形態６にかかる送信局９５０及び受信局１０５０の処理フローについて説明する。
図３４は、実施の形態６にかかる送信局９５０の処理を示すフローチャートである。まず、送信局９５０は、ネットワーク網Ａ及びネットワーク網Ｂからパケットを受信する（Ｓ９５２）。具体的には、送信局９５０のパケット受信部Ａ７０４Ａは、データ回線６０を介して、ネットワーク網Ａからパケットを受信する。また、送信局７００のパケット受信部Ｂ７０４Ｂは、データ回線６０を介して、ネットワーク網Ｂからパケットを受信する。
【０３７７】
次に、送信局９５０は、受信されたパケットを、高優先パケットＡ又は高優先パケットＢと低優先パケットとに振り分ける（Ｓ９５４）。具体的には、送信局９５０のパケットヘッダ解析部Ａ９１０Ａは、パケットのヘッダを解析し、受け付けたパケットが、高優先パケットＡであるか、低優先パケットであるかを判断する。そして、パケットヘッダ解析部Ａ９１０Ａは、その判断結果に応じて、パケットを、高優先パケットＡと低優先パケットとに振り分ける。同様に、パケットヘッダ解析部Ｂ９１０Ｂは、パケットのヘッダを解析し、受け付けたパケットが、高優先パケットＢであるか、低優先パケットであるかを判断する。そして、パケットヘッダ解析部Ｂ９１０Ｂは、その判断結果に応じて、パケットを、高優先パケットＢと低優先パケットとに振り分ける。
【０３７８】
次に、送信局９５０は、高優先パケットＡを高優先パケットキュー部Ａ９２０Ａに格納し、高優先パケットＢを高優先パケットキュー部Ｂ９２０Ｂに格納し、低優先パケットを低優先パケットキュー部９３０に格納する（Ｓ９５６）。具体的には、高優先パケットキュー部Ａ９２０Ａは、パケットヘッダ解析部Ａ９１０Ａによって振り分けられた高優先パケットＡを、一時的に格納する。また、高優先パケットキュー部Ｂ９２０Ｂは、パケットヘッダ解析部Ｂ９１０Ｂによって振り分けられた高優先パケットＢを、一時的に格納する。さらに、低優先パケットキュー部９３０は、パケットヘッダ解析部Ａ９１０Ａ又はパケットヘッダ解析部Ｂ９１０Ｂ０によって振り分けられた低優先パケットを、一時的に格納する。
【０３７９】
次に、送信局９５０は、高優先パケット受信有無測定期間ＴｂＡ又はＴｂＢの間、高優先パケットが受信されないか否かを判断する（Ｓ９７０）。具体的には、上述したように、送信局９５０のパケットヘッダ解析部Ａ９１０Ａは、高優先パケットＡを受信した後、高優先パケット受信有無測定期間ＴｂＡを計測する。そして、パケットヘッダ解析部Ａ９１０Ａは、高優先パケット受信有無測定期間ＴｂＡの間、次の高優先パケットＡが受信されるか否かを判断する。同様に、送信局９５０のパケットヘッダ解析部Ｂ９１０Ｂは、高優先パケットＢを受信した後、高優先パケット受信有無測定期間ＴｂＢを計測する。そして、パケットヘッダ解析部Ｂ９１０Ｂは、高優先パケット受信有無測定期間ＴｂＢの間、次の高優先パケットＢが受信されるか否かを判断する。
【０３８０】
高優先パケット受信有無測定期間ＴｂＡ又はＴｂＢの間、高優先パケットが受信された場合（Ｓ９７０のＮＯ）、処理はＳ９５８に遷移する。一方、高優先パケット受信有無測定期間ＴｂＡ又はＴｂＢの間、高優先パケットが受信されない場合（Ｓ９７０のＹＥＳ）、送信局９５０は、低優先パケットを高優先パケットキュー部Ａ９２０Ａ又は高優先パケットキュー部Ａ９２０Ａに格納する（Ｓ９７２）。
【０３８１】
具体的には、上述したように、パケットヘッダ解析部Ａ９１０Ａは、高優先パケット受信有無測定期間ＴｂＡの間、高優先パケットＡが受信されない場合、高優先パケット受信無信号を、低優先パケット識別子付加部９１６に対して出力する。低優先パケット識別子付加部９１６は、パケットヘッダ解析部Ａ９１０Ａから高優先パケット受信無信号を受け付けると、そのときに抽出処理が開始されていない低優先パケットを抽出する。低優先パケット識別子付加部９１６は、低優先パケットキュー部９３０から抽出した低優先パケットに低優先パケット識別子を付加する。さらに、低優先パケット識別子付加部９１６は、識別子付低優先パケットを、高優先パケットキュー部Ａ９２０Ａに格納する。
【０３８２】
同様に、パケットヘッダ解析部Ｂ９１０Ｂは、高優先パケット受信有無測定期間ＴｂＢの間、高優先パケットＢが受信されない場合、高優先パケット受信無信号を、低優先パケット識別子付加部９１６に対して出力する。低優先パケット識別子付加部９１６は、パケットヘッダ解析部Ｂ９１０Ｂから高優先パケット受信無信号を受け付けると、そのときに抽出処理が開始されていない低優先パケットを抽出する。低優先パケット識別子付加部９１６は、低優先パケットキュー部９３０から抽出した低優先パケットに低優先パケット識別子を付加する。さらに、低優先パケット識別子付加部９１６は、識別子付低優先パケットを、高優先パケットキュー部Ｂ９２０Ｂに格納する。
【０３８３】
次に、送信局９５０は、高優先パケットＡ（及び識別子付低優先パケット）を高優先パケットＡ抽出容量ＣｈＡで高優先パケットキュー部Ａ９２０Ａから抽出し、高優先パケットＢ（及び識別子付低優先パケット）を高優先パケットＢ抽出容量ＣｈＢで高優先パケットキュー部Ｂ９２０Ｂから抽出し、低優先パケットを低優先パケット抽出容量Ｃｌで低優先パケットキュー部９３０から抽出する（Ｓ９５８）。
【０３８４】
具体的には、送信局９５０の高優先パケット抽出部Ａ９２２Ａは、高優先パケットキュー部Ａ９２０Ａに格納された高優先パケットＡを、高優先パケットＡ抽出容量ＣｈＡで抽出する。さらに、高優先パケット抽出部Ａ９２２Ａは、識別子付低優先パケットを、高優先パケットＡ抽出容量ＣｈＡで抽出する。また、高優先パケット抽出部Ｂ９２２Ｂは、高優先パケットキュー部Ｂ９２０Ｂに格納された高優先パケットＢを、高優先パケットＢ抽出容量ＣｈＢで抽出する。さらに、高優先パケット抽出部Ｂ９２２Ｂは、識別子付低優先パケットを、高優先パケットＢ抽出容量ＣｈＢで抽出する。
【０３８５】
さらに、送信局９５０の低優先パケット抽出部９３２は、低優先パケットキュー部９３０に格納された低優先パケットを、低優先パケット抽出容量Ｃｌで抽出する。ここで、高優先パケット抽出部Ａ９２２Ａによる高優先パケットＡの抽出処理と、高優先パケット抽出部Ｂ９２２Ｂによる高優先パケットＢの抽出処理と、低優先パケット抽出部９３２による低優先パケットの抽出処理とは、並行して行われ得る。つまり、それぞれの抽出処理が、同時になされていてもよい。
【０３８６】
次に、送信局９５０は、高優先パケットＡ（及び識別子付低優先パケット）と高優先パケットＢ（及び識別子付低優先パケット）と低優先パケットとを並行して変調する（Ｓ９６０）。具体的には、送信局９５０のシンボルマッピング部９６２は、高優先パケットＡ（及び識別子付低優先パケット）と高優先パケットＢ（及び識別子付低優先パケット）と低優先パケットとを並行して変調する。このとき、シンボルマッピング部９６２は、高優先パケットＡ抽出容量ＣｈＡ、高優先パケットＢ抽出容量ＣｈＢ及び低優先パケット抽出容量Ｃｌの大きさに応じて、１シンボルにマッピングするデータ量を設定する。
【０３８７】
次に、送信局９５０は、高優先パケット及び低優先パケットを受信局１０５０に対して送信する（Ｓ９６２）。具体的には、送信局９５０の無線送信部１５０は、シンボルマッピング部９６２からの変調信号に対して、増幅等の無線送信に必要な処理を施す。そして、無線送信部１５０は、高優先パケットＡ、高優先パケットＢ及び低優先パケットに対応するデータを含む無線信号を、受信局１０５０に対して無線送信する。
【０３８８】
図３５は、実施の形態６にかかる受信局１０５０の処理を示すフローチャートである。まず、受信局１０５０は、高優先パケットＡ、高優先パケットＢ及び低優先パケットを送信局９５０から受信する（Ｓ１０５２）。具体的には、受信局１０５０の無線受信部２０４は、アンテナ２０２を介して、送信局９５０から、高優先パケットＡ、高優先パケットＢ及び低優先パケットに対応するデータを含む無線信号を受信する。
【０３８９】
次に、受信局１０５０は、高優先パケットＡと高優先パケットＢと低優先パケットとを復調する（Ｓ１０５４）。具体的には、受信局１０５０のシンボルデマッピング部２０６は、無線信号に含まれる受信シンボル（位相・振幅情報）から送信データを復元する。
【０３９０】
次に、受信局１０５０は、高優先パケットＡ（及び識別子付低優先パケット）を高優先パケットＡ抽出容量ＣｈＡで抽出し、高優先パケットＢ（及び識別子付低優先パケット）を高優先パケットＢ抽出容量ＣｈＢで抽出し、低優先パケットを低優先パケット抽出容量Ｃｌで抽出する（Ｓ１０５６）。具体的には、受信局１０５０の高優先パケット抽出部Ａ１０２０Ａは、送信局９５０の高優先パケット抽出部Ａ９２２Ａに設定された高優先パケットＡ抽出容量ＣｈＡで、高優先パケットＡ（及び識別子付低優先パケット）を抽出する。また、受信局１０５０の高優先パケット抽出部Ｂ１０２０Ｂは、送信局９５０の高優先パケット抽出部Ｂ９２２Ｂに設定された高優先パケットＢ抽出容量ＣｈＢで、高優先パケットＢ（及び識別子付低優先パケット）を抽出する。
【０３９１】
さらに、受信局１０５０の低優先パケット抽出部２３０は、送信局９５０の低優先パケット抽出部９３２に設定された低優先パケット抽出容量Ｃｌで、低優先パケットを抽出する。ここで、高優先パケット抽出部Ａ１０２０Ａによる高優先パケットＡ（及び識別子付低優先パケット）の抽出処理と、高優先パケット抽出部Ｂ１０２０Ｂによる高優先パケットＢ（及び識別子付低優先パケット）の抽出処理と、低優先パケット抽出部２３０による低優先パケットの抽出処理とは、並行して行われる。つまり、それぞれの抽出処理が、同時になされていてもよい。
【０３９２】
次に、受信局１０５０は、低優先パケットが高優先パケットとして送信局９５０から送信されたか否かを判断する（Ｓ１０７０）。具体的には、低優先パケット判定部Ａ１０２４Ａは、高優先パケット抽出部Ａ１０２０Ａから受け付けたパケットに、低優先パケット識別子が付加されているか否かを判断する。また、低優先パケット判定部Ｂ１０２４Ｂは、高優先パケット抽出部Ｂ１０２０Ｂから受け付けたパケットに、低優先パケット識別子が付加されているか否かを判断する。
【０３９３】
低優先パケットが高優先パケットとして送信局９５０から送信されていない場合（Ｓ１０７０のＮＯ）、処理はＳ１０５８に遷移する。一方、低優先パケットが高優先パケットとして送信局９５０から送信された場合（Ｓ１０７０のＹＥＳ）、受信局１０５０は、高優先パケットＡ抽出容量ＣｈＡ又は高優先パケットＢ抽出容量ＣｈＢで抽出された低優先パケットを、低優先パケットキュー部１０３４に格納する（Ｓ１０７２）。
【０３９４】
具体的には、受信局１０５０の低優先パケット判定部Ａ１０２４Ａは、低優先パケット識別子が付加されているパケット（つまり低優先パケット）を、低優先パケット識別子削除部１０２８に対して出力する。同様に、低優先パケット判定部Ｂ１０２４Ｂは、低優先パケット識別子が付加されているパケット（つまり低優先パケット）を、低優先パケット識別子削除部１０２８に対して出力する。低優先パケット識別子削除部１０２８は、低優先パケット識別子が付加されているパケットから低優先パケット識別子を削除する。さらに、低優先パケット識別子削除部１０２８は、低優先パケット識別子が削除された低優先パケットを、低優先パケットキュー部１０３４に格納する。
【０３９５】
次に、受信局１０５０は、パケットをネットワーク網Ａ及びネットワーク網Ｂに対して送信する（Ｓ１０５８）。具体的には、受信局１０５０のパケット送信部Ａ８４０Ａは、高優先パケットＡ及び低優先パケットを含むパケットを、データ回線７０を介して、ネットワーク網Ａに対して送信する。同様に、受信局１０５０のパケット送信部Ｂ８４０Ｂは、高優先パケットＢ及び低優先パケットを含むパケットを、データ回線７０を介して、ネットワーク網Ｂに対して送信する。
【０３９６】
このように、実施の形態６においては、複数のネットワーク網（例えばネットワーク網Ａ及びネットワーク網Ｂ）それぞれから高優先パケットが一定期間受信されない場合に、低優先パケットが、あたかも高優先パケットとして伝送される。つまり、複数のネットワーク網それぞれに関する高優先パケットについて設けられた専用の帯域を用いて、低優先パケットが伝送される。このようにすることによって、複数のネットワーク網それぞれから高優先パケットが一定期間受信されない場合に、無線帯域の使用効率が低下することを抑制することができる。
【０３９７】
例えば、ネットワーク網Ａからは高優先パケットＡが受信されているが、ネットワーク網Ｂからは高優先パケットＢが一定期間受信されないといった場合に、高優先パケットＢに関する帯域を用いて、低優先パケットを伝送することができる。
さらに、この場合、高優先パケットＢに関する帯域を用いて、高優先パケットＡを伝送するように構成することも可能である。このとき、この高優先パケットＡには、高優先パケットＡであることを示す識別子を付加して伝送し、受信局でその識別子を削除するように構成すればよい。
【０３９８】
［実施の形態７］
次に実施の形態７について説明する。実施の形態７においては、適応変調（Adaptive Modulation Radio：ＡＭＲ）制御によって変調方式及び伝送容量（無線帯域）を変更するように構成されている点で、他の実施の形態とは異なる。なお、実施の形態７では、図２の送信局１００が送信局１１００に置き換えられ、受信局２００が受信局１２００に置き換えられている。つまり、実施の形態７においては、送信局１１００と受信局１２００とが、無線回線を介して無線通信可能に接続されており、送信局１１００から受信局１２００に対して、パケット等のユーザデータが伝送される。
【０３９９】
ここで、適応変調制御とは、伝搬路の状態に応じて変調方式を変更する技術である。例えば、適応変調制御では、変調方式毎に閾値（以下、品質閾値）が設けられており、送信局１１００は、受信局１２００との無線通信における無線品質と、品質閾値との比較結果に応じて、変調方式を変更する。例えば、送信局１１００は、無線品質が良好であるときには、１シンボル当たりに伝送可能なビット数である変調効率（変調多値数）が高く、伝送誤りに対する耐性である誤り耐性が低い変調方式に変更する。
【０４００】
また、送信局１１００は、適応変調制御に伴い、適宜、伝送容量（無線帯域）も変更する。つまり、適用変調制御に伴って、変調方式と、伝送容量が変更される。なお、変調方式は、例えば、上述したような、多値化されているＱＰＳＫ、１６ＱＡＭ、６４ＱＡＭ、１２８ＱＡＭ、又は２５６ＱＡＭが挙げられる。つまり、適用変調制御に伴って、変調多値数が変更される。
【０４０１】
図３６は、実施の形態７にかかる送信局１１００の構成を示す図である。送信局１１００は、アンテナ１０２、パケット受信部１０４、パケットヘッダ解析部１１１０、高優先パケットキュー部１２０、高優先パケット抽出部１２２、低優先パケットキュー部１３０、低優先パケット抽出部１１３２、ＦＥＣ符号化部１４０、シンボルマッピング部１１４２、及び無線送信部１１５０を有する。
【０４０２】
パケットヘッダ解析部５１０は、実施の形態１にかかるパケットヘッダ解析部１１０と同様の機能を有している。つまり、パケットヘッダ解析部１１１０は、パケットヘッダ解析部１１０と同様に、パケット受信部１０４から受け付けたパケットのヘッダ（パケットヘッダ）を解析する。そして、パケットヘッダ解析部１１１０は、パケットのヘッダを解析することにより、受け付けたパケットが、高優先パケットであるか、低優先パケットであるかを判断する。
【０４０３】
また、パケットヘッダ解析部１１１０は、パケットヘッダ解析部１１０と同様に、パケットを、高優先パケットと低優先パケットとに振り分ける。また、パケットヘッダ解析部１１１０は、振り分けられた高優先パケットを、高優先パケットキュー部１２０に対して出力する。同様に、パケットヘッダ解析部１１１０は、振り分けられた低優先パケットを、低優先パケットキュー部１３０に対して出力する。
【０４０４】
パケットヘッダ解析部１１１０は、パケットヘッダ解析部１１０の機能の他に、以下に説明する機能を有している。パケットヘッダ解析部１１１０は、無線送信部１１５０から伝送容量変更信号を受け付ける。パケットヘッダ解析部１１１０は、伝送容量変更信号に応じて、低優先パケット抽出容量Ｃｌを、適宜、設定する。なお、伝送容量変更信号は、無線通信部１１５０が適用変調制御に応じて伝送容量を変更した際に、無線通信部１１５０によって出力される信号である。さらに、パケットヘッダ解析部１１１０は、低優先パケット抽出部１１３２に対して、容量設定信号を出力する。なお、容量設定信号は、パケットヘッダ解析部１１１０によって設定された高優先パケット抽出容量Ｃｈ又は低優先パケット抽出容量Ｃｌを示す信号である。
【０４０５】
低優先パケット抽出部１１３２は、低優先パケット抽出部１３２と同様の機能を有する。つまり、低優先パケット抽出部１１３２は、低優先パケットキュー部１３０に格納された低優先パケットを、低優先パケット抽出容量Ｃｌで抽出する。また、低優先パケット抽出部１１３２は、抽出した低優先パケットを、ＦＥＣ符号化部１４０に対して出力する。
さらに、低優先パケット抽出部１１３２は、パケットヘッダ解析部１１１０からの容量設定信号に応じて、低優先パケット抽出容量Ｃｌを設定する。
【０４０６】
シンボルマッピング部１１４２は、シンボルマッピング部１４２と同様の機能を有する。シンボルマッピング部１１４２は、高優先パケット抽出容量Ｃｈに対応するレートで高優先パケットを受け付ける。同様に、シンボルマッピング部１１４２は、低優先パケット抽出容量Ｃｌに対応するレートで低優先パケットを受け付ける。そして、シンボルマッピング部１１４２は、設定された変調方式で、高優先パケットと低優先パケットとを並行して変調し、変調信号を生成する。そのとき、シンボルマッピング部１１４２は、他の実施の形態と同様に、高優先パケット抽出容量Ｃｈ及び低優先パケット抽出容量Ｃｌに応じて、高優先パケットに対応するデータをマッピングするデータ量と、低優先パケットに対応するデータをマッピングするデータ量とを調整してもよい。
【０４０７】
そして、シンボルマッピング部１１４２は、高優先パケットと低優先パケットとが変調されて得られた変調信号を、無線送信部１１５０に対して出力する。
さらに、シンボルマッピング部１１４２は、無線送信部１１５０からの変調方式変更信号を受け付ける。シンボルマッピング部１１４２は、後述する変調方式変更信号に応じて、設定された変調方式を変更する。
【０４０８】
無線送信部１１５０は、無線送信部１５０と同様の機能を有する。無線送信部１１５０は、シンボルマッピング部１１４２からの変調信号に対して、増幅等の無線送信に必要な処理を施して、無線信号を生成する。さらに、無線送信部１１５０は、アンテナ１０２及び無線回線を介して、無線信号を、受信局１２００に対して無線送信する。
【０４０９】
さらに、無線送信部１１５０は、適応変調制御を用いて、伝搬路の状態に応じて、適宜、変調方式を変更する。また、そのとき、無線送信部１１５０は、適応変調制御に連携して、適宜、伝送容量（無線帯域）も変更する。さらに、無線送信部１１５０は、変調方式を変更したときに、変更後の変調方式を示す変調方式変更信号を、シンボルマッピング部１１４２に対して出力する。
シンボルマッピング部１１４２は、変調方式変更信号を受け付けると、その変調方式変更信号に示されている変調方式に、変調方式を設定し直す。シンボルマッピング部１１４２は、その後、変更後の変調方式で、変調処理（マッピング処理）を行う。
【０４１０】
また、無線送信部１１５０は、伝送容量を変更したときに、変更後の伝送容量を示す伝送容量変更信号を、パケットヘッダ解析部１１１０に対して出力する。
パケットヘッダ解析部１１１０は、伝送容量変更信号を受け付けると、その伝送容量変更信号に示されている伝送容量Ｃを抽出する。パケットヘッダ解析部１１１０は、他の実施の形態と同様に、高優先パケットキュー部１２０において高優先パケットが滞留しないような容量に、高優先パケット抽出容量Ｃｈを設定する。なお、高優先パケット抽出容量Ｃｈは、実施の形態３以外の他の実施の形態と同様に、一定であってもよい。
【０４１１】
さらに、パケットヘッダ解析部１１１０は、抽出された伝送容量Ｃが十分な容量であるか否かを判断する。ここで、「十分な容量」とは、低優先パケットについても、低優先パケットキュー部１３０において滞留しないように、低優先パケット抽出容量Ｃｌを設定可能な容量である。言い換えれば、「十分な容量」とは、高優先パケットだけでなく、低優先パケットも、滞留しないように伝送できる容量をいう。
【０４１２】
具体的には、パケットヘッダ解析部１１１０は、低優先パケットキュー部１３０において低優先パケットが滞留しない低優先パケット抽出容量Ｃｌ’を算出する。また、パケットヘッダ解析部１１１０は、算出された低優先パケット抽出容量Ｃｌ’と、Ｃ−Ｃｈとを比較する。ここで、Ｃ−Ｃｈ≧Ｃｌ’である場合、パケットヘッダ解析部１１１０は、抽出された伝送容量Ｃが十分な容量であると判断し、低優先パケット抽出容量ＣｌをＣｌ’に設定する。このとき、上述したように、低優先パケットは、低優先パケットキュー部１３０において滞留しない。
【０４１３】
一方、Ｃ−Ｃｈ＜Ｃｌ’である場合、パケットヘッダ解析部１１１０は、抽出された伝送容量Ｃが十分な容量でないと判断し、低優先パケット抽出容量Ｃｌを例えばＣ−Ｃｈに設定する。このとき、他の実施の形態と同様に、低優先パケットは、低優先パケットキュー部１３０において滞留する。
さらに、パケットヘッダ解析部１１１０は、低優先パケット抽出部１１３２に対して、低優先パケット抽出容量Ｃｌを示す容量設定信号を出力する。
【０４１４】
また、無線送信部１１５０は、適応変調制御に応じて、変調方式及び伝送容量（無線帯域）を変更した場合に、その旨を示す通知（変調方式変更通知）を、受信局１２００に対して送信する。また、無線送信部１１５０は、低優先パケット抽出容量Ｃｌが切り替わった場合に、その旨を示す通知（容量切替通知）を、受信局１２００に対して送信する。なお、変調方式変更通知及び容量切替通知は、実施の形態３と同様に、低優先パケットに挿入されることによって送信されるようにしてもよいし、他の無線回線を介して送信局１１００から受信局１２００に伝送されるようにしてもよい。
【０４１５】
図３７は、実施の形態７にかかる受信局１２００の構成を示す図である。受信局１２００は、アンテナ２０２、無線受信部１２０４、シンボルデマッピング部１２０６、ＦＥＣ復号化部２０８、高優先パケット抽出部２２０、低優先パケット抽出部１２３０、低優先パケットキュー部２３２及びパケット送信部２４０を有する。
【０４１６】
無線受信部１２０４は、無線回線及びアンテナ２０２を介して、送信局１００から無線信号を受信する。そして、無線信号に対して増幅等の必要な処理を施して、シンボルデマッピング部１２０６に対して出力する。さらに、無線受信部１２０４は、送信局１１００から変調方式変更通知を受信した場合に、その変調方式変更通知を、シンボルデマッピング部１２０６に対して出力する。
【０４１７】
シンボルデマッピング部１２０６は、シンボルデマッピング部２０６と同様の機能を有する。シンボルデマッピング部１２０６は、無線信号に対して復調処理を行う。具体的には、シンボルデマッピング部１２０６は、無線信号に含まれる受信シンボル（位相・振幅情報）から送信データを復元する。さらに、シンボルデマッピング部１２０６は、復元された送信データを、ＦＥＣ復号化部２０８に対して出力する。
また、シンボルデマッピング部１２０６は、無線受信部１２０４から変調方式変更通知を受け付けると、その変調方式変更通知に示された変調方式で、復調処理を行うように、設定を変更する。  
【０４１８】
低優先パケット抽出部１２３０は、低優先パケット抽出部２３０と同様の機能を有する。低優先パケット抽出部１２３０は、送信局１１００の低優先パケット抽出部１１３２に設定された低優先パケット抽出容量Ｃｌで、ＦＥＣ復号化部２０８から低優先パケットを抽出する。さらに、低優先パケット抽出部１２３０は、抽出された低優先パケットを、低優先パケットキュー部２３２に対して出力する。
また、低優先パケット抽出部１２３０は、送信局１１００から、低優先パケット抽出容量Ｃｌを切り替える旨を示す容量切替通知が受信された場合には、その容量切替通知に応じて、低優先パケット抽出容量Ｃｌを切り替える。
【０４１９】
図３８及び図３９は、実施の形態７において、送信局１１００の無線帯域（伝送容量）に、高優先パケット及び低優先パケットが多重化される状態を説明するための概念図である。なお、以下、高優先パケット＃１〜＃３及び低優先パケット＃１〜＃４のサイズをＰｋ［Ｍｂｉｔ］とするが、各パケットのサイズは一定でなくてもよい。  
【０４２０】
図３８の例では、適用変調制御により、変調方式は６４ＱＡＭと設定されている。また、伝送容量（無線帯域）Ｃは、１２０Ｍｂｐｓと設定されている。さらに、高優先パケット抽出容量Ｃｈは６０Ｍｂｐｓと設定されている。
パケットヘッダ解析部１１１０は、低優先パケットキュー部１３０において低優先パケットが滞留しない低優先パケット抽出容量Ｃｌ’を算出し、Ｃｌ’＝６０［Ｍｂｐｓ］が求まる。ここで、Ｃ−Ｃｈ≧Ｃｌ’（Ｃ−Ｃｈ＝Ｃｌ’）であるので、パケットヘッダ解析部１１１０は、抽出された伝送容量Ｃが十分な容量であると判断し、低優先パケット抽出容量Ｃｌを６０Ｍｂｐｓに設定する。
【０４２１】
また、変調方式として設定されている６４ＱＡＭでは１シンボルあたりのビット数は６ビットである、また、Ｃｈ：Ｃｌ＝６０：６０＝１：１である。したがって、シンボルマッピング部１１４２は、１シンボルあたりのビット数（６ビット）のうち、前の３ビットに対して、高優先パケットに対応するデータをマッピングし、後の３ビットに対して、低優先パケットに対応するデータをマッピングする。これによって、高優先パケットについて、伝送容量Ｃｈ（６０Ｍｂｐｓ）が確保される。同様に、低優先パケットについて、伝送容量Ｃｌ（６０Ｍｂｐｓ）が確保される。
【０４２２】
時刻ｔ１１において、高優先パケットキュー部１２０は、高優先パケット＃１の格納を開始する。そして、高優先パケット＃１の格納が開始されると、高優先パケット抽出部１２２によって高優先パケット＃１が高優先パケット抽出容量Ｃｈ（６０Ｍｂｐｓ）で抽出される。そして、ＦＥＣ符号化部１４０の処理を経て、上述したようにシンボルマッピング部１１４２によって伝送容量Ｃｈが確保されるように高優先パケット＃１が変調される。そして、時刻ｔ１１＋Ｔｄにおいて、無線送信部１１５０は、無線帯域を使用して、伝送容量Ｃｈで、高優先パケット＃１の送信を開始する。
【０４２３】
また、同様に、時刻ｔ１２において、高優先パケットキュー部１２０は、高優先パケット＃２の格納を開始する。そして、同様に、高優先パケット抽出部１２２、ＦＥＣ符号化部１４０及びシンボルマッピング部１１４２の処理を経て、時刻ｔ１２＋Ｔｄにおいて、無線送信部１１５０は、無線帯域を使用して、伝送容量Ｃｈ（６０Ｍｂｐｓ）で、高優先パケット＃２の送信を開始する。また、同様に、時刻ｔ１３において、高優先パケットキュー部１２０は、高優先パケット＃３の格納を開始する。そして、同様に、高優先パケット抽出部１２２、ＦＥＣ符号化部１４０及びシンボルマッピング部１１４２の処理を経て、時刻ｔ１３＋Ｔｄにおいて、無線送信部１１５０は、無線帯域を使用して、伝送容量Ｃｈ（６０Ｍｂｐｓ）で、高優先パケット＃３の送信を開始する。
【０４２４】
一方、高優先パケット＃１〜＃３の処理と並行して、低優先パケット＃１〜＃４が処理される。
時刻ｔ２１において、低優先パケットキュー部１３０は、低優先パケット＃１の格納を開始する。そして、低優先パケット＃１の格納が開始されると、低優先パケット抽出部１１３２によって低優先パケット＃１が低優先パケット抽出容量Ｃｌ（６０Ｍｂｐｓ）で抽出される。そして、ＦＥＣ符号化部１４０の処理を経て、上述したようにシンボルマッピング部１１４２によって伝送容量Ｃｌが確保されるように低優先パケット＃１が変調される。そして、時刻ｔ２１＋Ｔｄにおいて、無線送信部１１５０は、無線帯域を使用して、伝送容量Ｃｌで、低優先パケット＃１の送信を開始する。
【０４２５】
また、同様に、時刻ｔ２２において、低優先パケットキュー部１３０は、低優先パケット＃２の格納を開始する。そして、同様に、低優先パケット抽出部１１３２、ＦＥＣ符号化部１４０及びシンボルマッピング部１１４２の処理を経て、時刻ｔ２２＋Ｔｄにおいて、無線送信部１１５０は、無線帯域を使用して、伝送容量Ｃｈ（６０Ｍｂｐｓ）で、低優先パケット＃２の送信を開始する。また、同様に、時刻ｔ２３において、低優先パケットキュー部１３０は、低優先パケット＃３の格納を開始する。そして、同様に、低優先パケット抽出部１１３２、ＦＥＣ符号化部１４０及びシンボルマッピング部１１４２の処理を経て、時刻ｔ２３＋Ｔｄにおいて、無線送信部１１５０は、無線帯域を使用して、伝送容量Ｃｈ（６０Ｍｂｐｓ）で、低優先パケット＃３の送信を開始する。
【０４２６】
また、同様に、時刻ｔ２４において、低優先パケットキュー部１３０は、低優先パケット＃４の格納を開始する。そして、同様に、低優先パケット抽出部１１３２、ＦＥＣ符号化部１４０及びシンボルマッピング部１１４２の処理を経て、時刻ｔ２４＋Ｔｄにおいて、無線送信部１１５０は、無線帯域を使用して、伝送容量Ｃｈ（６０Ｍｂｐｓ）で、低優先パケット＃４の送信を開始する。
このように、図３８の例においては、他の実施の形態と同様に、高優先パケットは滞留しないように構成されている。さらに、低優先パケットも、滞留しないように構成されている。
【０４２７】
図３９の例では、適用変調制御により、変調方式は１６ＱＡＭと設定されている。また、伝送容量（無線帯域）Ｃは、８０Ｍｂｐｓと設定されている。さらに、高優先パケット抽出容量Ｃｈは、図３８の例と同様に６０Ｍｂｐｓと設定されている。
パケットヘッダ解析部１１１０は、低優先パケットキュー部１３０において低優先パケットが滞留しない低優先パケット抽出容量Ｃｌ’を算出し、Ｃｌ’＝６０［Ｍｂｐｓ］が求まる。ここで、Ｃ−Ｃｈ＜Ｃｌ’であるので、パケットヘッダ解析部１１１０は、抽出された伝送容量Ｃが十分な容量でないと判断し、低優先パケット抽出容量Ｃｌを２０Ｍｂｐｓ（＝Ｃ−Ｃｈ）に設定する。
【０４２８】
また、変調方式として設定されている１６ＱＡＭでは１シンボルあたりのビット数は４ビットである、また、Ｃｈ：Ｃｌ＝６０：２０＝３：１である。したがって、シンボルマッピング部１１４２は、１シンボルあたりのビット数（４ビット）のうち、前の３ビットに対して、高優先パケットに対応するデータをマッピングし、後の１ビットに対して、低優先パケットに対応するデータをマッピングする。これによって、高優先パケットについて、伝送容量Ｃｈ（６０Ｍｂｐｓ）が確保される。同様に、低優先パケットについて、伝送容量Ｃｌ（２０Ｍｂｐｓ）が確保される。
【０４２９】
高優先パケット＃１〜＃３については、図３８と同様の処理がなされる。
一方、高優先パケット＃１〜＃３の処理と並行して、低優先パケット＃１〜＃４が処理される。
時刻ｔ２１において、低優先パケットキュー部１３０は、低優先パケット＃１の格納を開始する。そして、低優先パケット＃１の格納が開始されると、低優先パケット抽出部１１３２によって低優先パケット＃１が低優先パケット抽出容量Ｃｌ（２０Ｍｂｐｓ）で抽出される。そして、ＦＥＣ符号化部１４０の処理を経て、上述したようにシンボルマッピング部１１４２によって伝送容量Ｃｌが確保されるように低優先パケット＃１が変調される。そして、時刻ｔ２１＋Ｔｄにおいて、無線送信部１１５０は、無線帯域を使用して、伝送容量Ｃｌで、低優先パケット＃１の送信を開始する。
【０４３０】
さらに、時刻ｔ２２において、低優先パケットキュー部１３０は、低優先パケット＃２の格納を開始する。ここで、低優先パケット＃２の格納が開始されたとき、先行する低優先パケット＃１の抽出が終了していないので、低優先パケット抽出部１３２は、低優先パケット＃２を抽出することができない。したがって、低優先パケット＃２の処理は送信待ち状態となる。つまり、低優先パケット＃２は、時刻ｔ２２＋Ｔｄから、先行する低優先パケット＃１の処理が終了する時刻ｔ２１＋Ｔｄ＋Ｐｋ／Ｃｌまで滞留する。
【０４３１】
同様に、低優先パケット＃３の格納が開始されたとき、先行する低優先パケット＃２の抽出が終了していない。したがって、低優先パケット＃３は、先行する低優先パケット＃２の処理が終わるまで滞留する。
このように、図３９の例においては、他の実施の形態と同様に、高優先パケットは滞留しないように構成されている。一方に、低優先パケットは、伝送容量が十分でないので、滞留してしまう。このように、実施の形態７においては、適用変調制御に応じて伝送容量（無線帯域）が変動することに伴い、伝送容量が大きい場合には、低優先パケットが滞留せずに伝送され、伝送容量が小さい場合には、低優先パケットが滞留して伝送されるように構成されている。
【０４３２】
次に、実施の形態７にかかる送信局１１００及び受信局１２００の処理フローについて説明する。なお、受信局１２００の処理については、図８に示した実施の形態１にかかる受信局２００の処理と比較して、変調方式の変更処理及び低優先パケット抽出容量Ｃｌの切替処理が追加されるのみであるので、説明を省略する。
【０４３３】
図４０は、実施の形態７にかかる送信局１１００の処理を示すフローチャートである。まず、送信局１１００は、変調方式を変更するか否かを判断する（Ｓ１１０２）。具体的には、送信局１１００の無線送信部１１５０は、適応変調制御を用いて、変調方式を変更するか否かを判断する。
【０４３４】
変調方式を変更すると判断された場合（Ｓ１１０２のＹＥＳ）、送信局１１００は、変調方式を変更する（Ｓ１１０４）。具体的には、無線送信部１１５０は、適応変調制御を用いて、変調方式及び伝送容量（無線帯域）を変更する。一方、変調方式を変更しないと判断された場合（Ｓ１１０２のＮＯ）、処理はＳ１１０６に遷移する。
【０４３５】
次に、送信局１１００は、ネットワーク網からパケットを受信する（Ｓ１１０６）。具体的には、図７のＳ１０２の処理と同様に、送信局１１００のパケット受信部１０４は、データ回線６０を介して、ネットワーク網からパケットを受信する。
【０４３６】
次に、送信局１１００は、受信されたパケットを、高優先パケットと低優先パケットとに振り分ける（Ｓ１１０８）。具体的には、送信局１１００のパケットヘッダ解析部１１１０は、パケットのヘッダを解析し、受け付けたパケットが、高優先パケットであるか、低優先パケットであるかを判断する。そして、パケットヘッダ解析部１１１０は、その判断結果に応じて、パケットを、高優先パケットと低優先パケットとに振り分ける。
【０４３７】
次に、送信局１１００は、伝送容量Ｃが十分な容量であるか否かを判断する（Ｓ１１２０）。具体的には、上述したように、パケットヘッダ解析部１１１０は、伝送容量Ｃが、高優先パケットだけでなく、低優先パケットも滞留しないように伝送できる程、十分な容量であるか否かを判断する。
【０４３８】
伝送容量Ｃが十分な容量であると判断された場合（Ｓ１１２０のＹＥＳ）、送信局１１００は、高優先パケット及び低優先パケットを、ともに滞留しないようにしないように伝送する（Ｓ１１２２）。具体的には、送信局１１００は、他の実施の形態と同様に、高優先パケットを、滞留しないように伝送するように処理する。さらに、パケットヘッダ解析部１１１０は、低優先パケット抽出容量Ｃｌを、低優先パケットが低優先パケットキュー部１３０において滞留しないような容量に設定する。そして、低優先パケット抽出部１１３２は、滞留しないように設定された低優先パケット抽出容量Ｃｌで、低優先パケットキュー部１３０から低優先パケットを抽出する。そして、シンボルマッピング部１１４２は、伝送容量Ｃｌが確保されるように低優先パケットを変調する。そして、無線送信部１１５０は、低優先パケットを、伝送容量Ｃｌで伝送する。
【０４３９】
一方、伝送容量Ｃが十分な容量でないと判断された場合（Ｓ１１２０のＮＯ）、送信局１１００は、高優先パケットを滞留しないようにしないように伝送し、低優先パケットを滞留するように伝送する（Ｓ１１２４）。具体的には、送信局１１００は、他の実施の形態と同様に、高優先パケットを、滞留しないように伝送するように処理する。さらに、パケットヘッダ解析部１１１０は、他の実施の形態と同様に、低優先パケット抽出容量Ｃｌを、伝送容量Ｃ及び高優先パケット抽出容量Ｃｈから設定する。そして、低優先パケット抽出部１１３２は、設定された低優先パケット抽出容量Ｃｌで、低優先パケットキュー部１３０から低優先パケットを抽出する。そして、シンボルマッピング部１１４２は、伝送容量Ｃｌが確保されるように低優先パケットを変調する。そして、無線送信部１１５０は、低優先パケットを、伝送容量Ｃｌで伝送する。
【０４４０】
［変形例］
なお、本発明は上記実施の形態に限られたものではなく、趣旨を逸脱しない範囲で適宜変更することが可能である。
上記説明では、複数の実施の形態についてそれぞれ別個に説明したが、これらの実施の形態は、相互に組み合わせ可能である。
【０４４１】
また、上述した実施の形態においては、送信局において、パケットヘッダ解析部（振分手段）によって振り分けられた高優先パケットが高優先パケットキュー部に格納され、高優先パケット抽出部（高優先パケット抽出手段）が、その格納された高優先パケットを、設定された抽出容量で抽出するとした。同様に、パケットヘッダ解析部（振分手段）によって振り分けられた低優先パケットが低優先パケットキュー部に格納され、低優先パケット抽出部（低優先パケット抽出手段）が、その格納された低優先パケットを、設定された抽出容量で抽出するとした。しかしながら、本発明は、このような構成に限定されない。例えば、高優先パケットキュー部、高優先パケット抽出部、低優先パケットキュー部及び低優先パケット抽出部はなくてもよい。
【０４４２】
この場合、パケットヘッダ解析部によって振り分けられた高優先パケット及び低優先パケットを、シンボルマッピング部（変調手段）が（ＦＥＣ符号化部を介して）直接受け付けてもよい。このとき、シンボルマッピング部は、高優先パケットに対応するデータと低優先パケットに対応するデータとを、それぞれ並行してシンボルに対してマッピングするようにしてもよい。また、このとき、シンボルマッピング部は、高優先パケットが滞留しないように、両者のマッピングの割り振りを調整するようにしてもよい。つまり、シンボルマッピング部は、高優先パケットが滞留しないように、高優先パケットに対応するデータをシンボルの一部（例えば１シンボルあたり４ビットの場合で３ビット）に対してマッピングしてもよい。このとき、シンボルマッピング部は、シンボルの残り（上記例では、残りの１ビット）に対し、低優先パケットに対応するデータをマッピングしてもよい。
【０４４３】
また、実施の形態３において、パケットヘッダ解析部が高優先パケット受信量測定期間を計測するとしたが、計測手段をパケットヘッダ解析部とは別個に設けてもよい。
同様に、実施の形態５及び実施の形態６において、パケットヘッダ解析部が高優先パケット受信有無測定期間を計測するとしたが、計測手段をパケットヘッダ解析部とは別個に設けてもよい。
【０４４４】
また、上述した実施の形態４及び実施の形態６では、ネットワーク網Ａからの高優先パケットＡとネットワーク網Ｂからの高優先パケットＢとを別個に処理するのに対して、低優先パケットについては、ネットワーク網Ａからの低優先パケットとネットワーク網Ｂからの低優先パケットとを１つの低優先パケットキュー部に格納し、それらの低優先パケットを順次処理する。しかしながら、このような処理に限定されず、低優先パケットについても、高優先パケットと同様に、ネットワーク網Ａからの低優先パケットとネットワーク網Ｂからの低優先パケットとを別個のキューに格納して別個に処理するようにしてもよい。この場合、低優先パケットのための専用の帯域を複数設けるようにすればよい。ただし、低優先パケットは伝送遅延の長さの変動が許容されるので、ネットワーク網Ａからの低優先パケットとネットワーク網Ｂからの低優先パケットとを別個に処理する必要はない。
【０４４５】
実施の形態５及び実施の形態６において、高優先パケット受信有無測定期間の開始は高優先パケットの受信が終了した時点としたが、高優先パケットの受信が開始した時点からとしてもよい。この場合、現時点で受信中の高優先パケットの次の高優先パケットの受信が、高優先パケット受信有無測定期間の間に行われたか否かを判断してもよい。
【０４４６】
また、上述したフローチャートにおいて、処理（ステップ）の順序は、適宜、変更可能である。また、複数ある処理（ステップ）のうちの１つ以上は、省略されてもよい。さらに、各処理（ステップ）は、それぞれ同時に実行されてもよい。
【０４４７】
また、上述の実施の形態では、本発明をハードウェアの構成として説明したが、本発明は、これに限定されるものではない。本発明は、無線通信装置（送信局及び受信局）内の各回路の処理を、ＣＰＵ（Central Processing Unit）にコンピュータプログラムを実行させることにより実現することも可能である。
【０４４８】
上述の例において、プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【符号の説明】
【０４４９】
１  無線通信装置
１２  パケット受信手段
１４  振分手段
１８  高優先パケット抽出手段
２０  低優先パケット抽出手段
２２  変調手段
２４  無線送信手段
５０  無線通信システム
６０  データ回線
７０  データ回線
１００  送信局
１０２  アンテナ
１０４  パケット受信部
１１０  パケットヘッダ解析部
１２０  高優先パケットキュー部
１２２  高優先パケット抽出部
１３０  低優先パケットキュー部
１３２  低優先パケット抽出部
１４０  ＦＥＣ符号化部
１４２  シンボルマッピング部
１５０  無線送信部
２００  受信局
２０２  アンテナ
２０４  無線受信部
２０６  シンボルデマッピング部
２０８  ＦＥＣ復号化部
２２０  高優先パケット抽出部
２３０  低優先パケット抽出部
２３２  低優先パケットキュー部
２４０  パケット送信部
３００  送信局
３１０  パケットヘッダ解析部
３２０−１  優先度１パケットキュー部
３２０−２  優先度２パケットキュー部
３２２−１  優先度１パケット抽出部
３２２−２  優先度２パケット抽出部
３４２  シンボルマッピング部
４００  受信局
４２０−１  優先度１パケット抽出部
４２０−２  優先度２パケット抽出部
４２２  優先度２パケットキュー部
５００  送信局
５１０  パケットヘッダ解析部
５２０  高優先パケット抽出部
５２２  高優先パケット抽出部
５３２  低優先パケット抽出部
５４２  シンボルマッピング部
６００  受信局
６２０  高優先パケット抽出部
６３０  低優先パケット抽出部
７００  送信局
７０４Ａ  パケット受信部Ａ
７０４Ｂ  パケット受信部Ｂ
７１０Ａ  パケットヘッダ解析部Ａ
７１０Ｂ  パケットヘッダ解析部Ｂ
７１２  ネットワーク識別子付与部
７２０Ａ  高優先パケットキュー部Ａ
７２０Ｂ  高優先パケットキュー部Ｂ
７２２Ａ  高優先パケット抽出部Ａ
７２２Ｂ  高優先パケット抽出部Ｂ
７４２  シンボルマッピング部
８００  受信局
８２０Ａ  高優先パケット抽出部Ａ
８２０Ｂ  高優先パケット抽出部Ｂ
８３２  低優先パケットキュー部
８３４  ネットワーク識別子削除部
８４０Ａ  パケット送信部Ａ
８４０Ｂ  パケット送信部Ｂ
９００  送信局
９１０  パケットヘッダ解析部
９１２  ネットワーク識別子付与部
９１４  低優先パケット識別子付加部
９２０  高優先パケットキュー部
９２２  高優先パケット抽出部
９３０  低優先パケットキュー部
９３２  低優先パケット抽出部
９４２  シンボルマッピング部
９５０  送信局
９１０Ａ  パケットヘッダ解析部Ａ
９１０Ｂ  パケットヘッダ解析部Ｂ
９１６  低優先パケット識別子付加部
９２０Ａ  高優先パケットキュー部Ａ
９２０Ｂ  高優先パケットキュー部Ｂ
９２２Ａ  高優先パケット抽出部Ａ
９２２Ｂ  高優先パケット抽出部Ｂ
９６２  シンボルマッピング部
１０００  受信局
１０２０  高優先パケット抽出部
１０２４  低優先パケット判定部
１０２６  低優先パケット識別子削除部
１０３２  低優先パケットキュー部
１０５０  受信局
１０２０Ａ  高優先パケット抽出部Ａ
１０２０Ｂ  高優先パケット抽出部Ｂ
１０２４Ａ  低優先パケット判定部Ａ
１０２４Ｂ  低優先パケット判定部Ｂ
１０２８  低優先パケット識別子削除部
１０３４  低優先パケットキュー部
１１００  送信局
１１１０  パケットヘッダ解析部
１１３２  低優先パケット抽出部
１１４２  シンボルマッピング部
１１５０  無線送信部
１２００  受信局
１２０４  無線受信部
１２０６  シンボルデマッピング部
１２３０  低優先パケット抽出部
【図１】
2015015539.tif 000003
【図２】
2015015539.tif 000004
【図３】
2015015539.tif 000005
【図４】
2015015539.tif 000006
【図５】
2015015539.tif 000007
【図６】
2015015539.tif 000008
【図７】
2015015539.tif 000009
【図８】
2015015539.tif 000010
【図９】
2015015539.tif 000011
【図１０】
2015015539.tif 000012
【図１１】
2015015539.tif 000013
【図１２】
2015015539.tif 000014
【図１３】
2015015539.tif 000015
【図１４】
2015015539.tif 000016
【図１５】
2015015539.tif 000017
【図１６】
2015015539.tif 000018
【図１７】
2015015539.tif 000019
【図１８】
2015015539.tif 000020
【図１９】
2015015539.tif 000021
【図２０】
2015015539.tif 000022
【図２１】
2015015539.tif 000023
【図２２】
2015015539.tif 000024
【図２３】
2015015539.tif 000025
【図２４】
2015015539.tif 000026
【図２５】
2015015539.tif 000027
【図２６】
2015015539.tif 000028
【図２７】
2015015539.tif 000029
【図２８】
2015015539.tif 000030
【図２９】
2015015539.tif 000031
【図３０】
2015015539.tif 000032
【図３１】
2015015539.tif 000033
【図３２】
2015015539.tif 000034
【図３３】
2015015539.tif 000035
【図３４】
2015015539.tif 000036
【図３５】
2015015539.tif 000037
【図３６】
2015015539.tif 000038
【図３７】
2015015539.tif 000039
【図３８】
2015015539.tif 000040
【図３９】
2015015539.tif 000041
【図４０】
2015015539.tif 000042